(57)【要約】【課題】  前開き着衣側に携帯のための手段を設けることなく、前開き着衣上に携帯品の振れを抑えるようにし且つ該携帯品を着脱自在に保持するとともに携帯品の着脱操作が簡単に行える携帯品振れ止め保持具を提供することを目的としている。【解決手段】  保持プレート本体３の上方を形成してなる掛部１５と、保持プレート本体３の下方を形成する保持部１６と、この保持部１６の表と裏にそれぞれ設けられた保持側面ファスナー６ａ、６ｂと、保持された携帯品４に覆われることなく該４の外側にはみ出る形態の指で抑える部位７，８と、ボタン部位掛部１１と、掛部１５と保持部１６の間に形成された袷避け部２０とからなっている。【選択図】図１
2007160072.tif 000002
【特許請求の範囲】
【請求項１】
着衣の前立て部位の内側に位置される前立て部位等内側差込部と、
この前立て部位等内側差込部の上方あるいは下方に設けられた、着衣の前立て部位の表側に位置される携帯電話などの携帯品を保持する保持部と、
この保持部と前記前立て部位等内側差込部の間に形成された、一方が開放された横長の空間からなる、前記保持部が着衣の前立て部位上に位置するように着衣の前立て部位を入れるための前立て部位等入り部と、
前記保持部に設けられた携帯品を該保持部上に着脱自在に保持するため面ファスナ、磁石、フック、ケースなどからなる携帯品着脱保持手段と、  前記保持部の裏側に設けられた着衣の前立て部位を挟持するためのクリップと、とからなることを特徴とする携帯品の振れ止め保持具。
【請求項２】
着衣の前立て部位の内側に位置される第１の前立て部位等内側差込部と、
着衣の前立て部位の内側に位置される第２の前立て部位等内側差込部と、
前記第１の前立て部位等内側差込部と前記第２の前立て部位等内側差込部の間に設けられた、着衣の前立て部位の表側に位置される携帯電話などの携帯品を保持する保持部と、
この保持部と前記第１の前立て部位等内側差込部の間に形成された、一方が開放された横長の空間からなる、前記保持部が着衣の前立て部位上に位置するように着衣の前立て部位を入れるための第１の前立て部位等入り部と、
前記保持部と前記第２の前立て部位等内側差込部の間に形成された、一方が開放された横長の空間からなる、前記保持部が着衣の前立て部位上に位置するように着衣の前立て部位を入れるための第２の前立て部位等入り部と、
前記保持部に設けられた携帯品を該保持部上に着脱自在に保持するため面ファスナ、磁石、フック、ケースなどからなる携帯品着脱保持手段と、
前記保持部の裏側に設けられた着衣の前立て部位を挟持するためのクリップと、とからなることを特徴とする携帯品の振れ止め保持具。
【請求項３】
前立て部位等内側差込部の長さが前立て部位等入り部の付け根部位から略７０ｍｍ以上であり且つ保持部に保持された１００ｇ〜２００ｇ程度の携帯電話などの携帯品の振れにより、着衣と身体との間で抵抗状態となって容易に弾性しなりが得られる弾性しなり力を有するものであることを特徴とする請求項１、２いずれか記載の携帯品の振れ止め保持具。
【請求項４】
前立て部位等内側差込部の長さが前立て部位等入り部の付け根部位から略８０ｍｍ〜略９０ｍｍであり且つ保持部に保持された１００ｇ〜２００ｇ程度の携帯電話などの携帯品の振れにより、着衣と身体との間で抵抗状態となって容易に弾性しなりが得られる弾性しなり力を有するものであることを特徴とする請求項１、２、３いずれか記載の携帯品の振れ止め保持具。
【請求項５】
携帯品着脱保持手段が面ファスナであることを特徴とする請求項１〜４いずれか記載の携帯品の振れ止め保持具。
【請求項６】
携帯電話などの携帯品を保持するプレートからなる保持部、
この保持部の表側に設けられた携帯品を着脱自在に保持する面ファスナと、
前記保持部の裏側に設けられた着衣の前立て部位を挟持するためのクリップと、
前記保持部の上方に設けられたボタン部位支持部と、
このボタン部位支持部に設けられた、前開き着衣のボタン縫い止め糸を通し案内するボタンよりも幅の狭い形態の糸案内部と、
この糸案内部の下部に設けられたボタンを通すためのボタン通し部と、とからなるきとを特徴とする携帯品の振れ止め保持具。
【請求項７】
バネ付勢力により付勢閉じ状態とされるクリップ本体と、
このクリップ本体の一方の挟持体を形成する断面が内側湾曲凹形態である挟持部位が６０ｍｍ以上の長さの前挟持体と、
前記クリップ本体のもう一方の挟持体を形成する前記前挟持体の前記内側湾曲凹部位に閉じ状態において挟持部位を嵌める形態である後挟持体と、
前記前挟持体の外側に設けられた平部と、
この平部に設けられた面ファスナと、とからなることを特徴とする携帯品の振れ止め保持具。
【請求項８】
着衣の前立て部位の内側に位置される前立て部位等内側差込部と、
この前立て部位等内側差込部の下方に設けられた、着衣の前立て部位の表側に位置される携帯電話などの携帯品を保持する保持部と、
この保持部と前記前立て部位等内側差込部の間に形成された、一方が開放された横長の空間からなる、前記前立て部位等内側差込部および前記保持部が着衣の前立て部位のボタン線上に位置するように着衣の前立て部位を入れるための前立て部位等入り部と、
この前立て部位等入り部に連絡して前記前立て部位等内側差込部内に立ち上がるように形成された空間からなる、着衣の前立て部位のボタンがボタン穴に通された状態で着衣の前立て部位の内側でボタン縫い止め糸を通して該ボタン縫い止め糸に掛かるボタン縫い止め糸入れ掛り部と、
前記保持部に設けられた携帯品を該保持部上に着脱自在に保持するため面ファスナ、磁石、フック、ケースなどからなる携帯品着脱保持手段と、とからなることを特徴とする携帯品の振れ止め保持具。
【請求項９】
着衣の前立て部位の内側に位置される前立て部位等内側差込部と、
この前立て部位等内側差込部に設けられた、一方が開放された空間からなる着衣の前立て部位のボタンがボタン穴に通された状態で着衣の前立て部位の内側でボタン縫い止め糸を通して該ボタン縫い止め糸に掛かるボタン縫い止め糸入れ掛り部と、
前記前立て部位等内側差込部の前方に設けられた、着衣の前立て部位の表側に位置される携帯電話などの携帯品を保持する保持部と、
この保持部と前記前立て部位等内側差込部の間に形成されて上下と側部の一方が開放された空間からなる、前記前立て部位等内側差込部および前記保持部が着衣の前立て部位のボタン線上に位置するように着衣の前立て部位を入れるための前立て部位等入り部と、
前記保持部に設けられた携帯品を該保持部上に着脱自在に保持するため面ファスナ、磁石、フック、ケースなどからなる携帯品着脱保持手段と、とからなることを特徴とする携帯品の振れ止め保持具。
【請求項１０】
携帯品着脱保持手段が面ファスナであることを特徴とする請求項８、９いずれか記載の携帯品の振れ止め保持具。
【請求項１１】
保持部の裏側に着衣の前立て部位を挟持するためのクリップを設けてなる請求項８、９、１０いずれか記載の携帯品の振れ止め保持具。
【請求項１２】
保持部に着脱自在の２部品からなる着脱パーツの一方の着脱パーツを固定するなどして設け、前記着脱パーツのもう一方の着脱パーツに携帯電話等の携帯品を取り付ける細紐部材からなる携帯品取付け手段を設けてなることを特徴とする請求項１〜１１いずれか記載の携帯品の振れ止め保持具。
【請求項１３】
保持部の裏側にプレートを設け、このプレートの裏側にクリップを設け、前記保持部と前記プレートの間にネクタイが真っ直ぐな垂れ下がり状態で入り支持されるネクタイ入り支持部を設けてなることを特徴とする請求項１〜１２いずれか記載の携帯品の振れ止め保持具。
【請求項１４】
挟持する着衣の前立て部位の表側に位置される第１の挟持板と、
この第１の挟持坂と閉じ付勢状態とされてなる挟持する着衣の前立て部位の内側に位置される第２の挟持板と、
前記第１の挟持坂の表面に設けられた面ファスナと、
前記第２の挟持坂の上方から下方に向け、下方から上方に向けあるいは挟持嘴側から指で摘む側に向けてら空けられた着衣のボタン縫い止め糸を通し入れるためのボタン縫い止め糸通しいれ部と、とからなることを特徴とする携帯品の振れ止め保持具。
【請求項１５】
前立ての第１の挟持板と、
この第１の挟持板と閉じ付勢状態とされてなる該第１の挟持板より長い形態で、挟持した着衣の前立て部位の縁からの長さが約６０ｍｍ以上である第２の挟持板と、
前記第１の挟持坂の表面に設けられた面ファスナと、
この第２の挟持板の先端が身体に当たらないようにし且つ携帯品を保持しての振れ動きによる身体への該第２の挟持板当たりが面当たりとなるように先方を湾曲せてなる湾曲部と、とからなることを特徴とする携帯品の振れ止め保持具。
【請求項１６】
保持体本体の裏側部位の方に前立て側面ファスナを設けてなる（該保持体本体の裏側部位に着衣の前立て部位を挟持するための挟持板やクリップなどの前立て部位挟持手段を有するものにおいては、該前立て部位挟持手段に前記前立て側面ファスナを設けた場合にはそれも含む）ことを特徴とする請求項１〜１５いずれか記載の携帯品の振れ止め保持具。
【請求項１７】
表面に面ファスナ、フック、ケースなどの携帯品を着脱自在に保持する携帯品着脱保持手段を設けてなる、着衣の前立て部位の表側に位置される保持部と、
この保持部の裏側に設けられた着衣の前立て部位の内側で着衣の内立て部位の前に位置して該着衣の前立て部位を挟む前立て部位挟み部と、
この前立て部位挟み部あるいは前記保持部に設けられたり着脱自在に取り付けることができるようにした、着衣の内立て部位に係止されるあるいは該内立て部位の内側に位置される内立て部位側振れ止め部と、とからなることを特徴とする携帯品の振れ止め保持具。
【請求項１８】
１つの部材を折り曲げて折り曲げ部と一方の挟持部と他方の挟持部を形成し、前記折り曲げ部の弾性閉じ付勢力により閉じ付勢状態とされ、前記一方の挟持部と他方の挟持部による布地の挟持形態が面による面挟持形態ないし３箇所以上の湾曲箇所による複数湾曲部位挟持形態であり、着衣の前立て部位を挟持し取り付けられた状態において首からネックストラップにより吊り下げ１００ｇ〜２００ｇ程度の携帯電話を保持した状態で、該携帯電話が通常の身体動作により振れても着衣の前立て部位からは容易には外れない挟持状態を維持する挟持力を有する保持具本体と、
この保持具本体の着衣の前立て部位の表側に位置する一方の挟持部に設けられた携帯電話等の携帯品を着脱自在に保持するための面ファスナと、とからなることを特徴とする携帯品の振れ止め保持具。
【請求項１９】
保持体本体と、
この保持体本体に設けられた面ファスナやケースなどからなる着脱保持手段と、
前記保持体本体に設けられた携帯者の胴に廻されて該保持体本体を該胴上に保持するベルト、紐、ゴム紐、ベルトなどからなる胴廻し保持手段と、
前記保持体本体を首から吊るあるいは肩から吊る掛けループ部と、とからなることを特徴とする携帯品の振れ止め保持具。
【請求項２０】
衣類本体と、
この衣類本体の４箇所以上に設けられた第１のループ面ファスナ〜第ｎのループ面ファスナと、
携帯電話などの携帯品を保持する携帯品保持プレートと、
この携帯品保持プレートの表側に設けられた表側フック面ファスナあるいは表側ループ面ファスナと、
前記携帯品保持プレートの裏側に設けられた裏側フック面ファスナと、とからなることを特徴とする振れ止め保持具付き衣類。
【発明の詳細な説明】
【技術分野】
【０００１】
本発明は、ネックストラップなどにより首などから吊り下げた携帯電話などの携帯品の振れを抑え携帯性を向上させる携帯品振れ止め保持具に関する。
【背景技術】
【０００２】
（１）近年携帯電話は、電話機能、インターネット機能、ブログ作成、ワープロ機能、メール機能、タイマー機能、カメラ機能、ラジオ機能、音楽プレイヤー機能、テレビ機能、読書機能、お財布携帯機能、定期券機能、クレジットカード機能、ショッピング機能、ＩＤカード機能、子供居場所追跡機能、ＧＰＳ機能、家の鉤機能、室内・室外の遠隔からの画像監視機能、緊急警報受信機能、など多種多様な機能を有しており、多くの人がますます生活や仕事に欠かせないものとしている。
このような、携帯電話を落下により故障させたり、置き忘れたり、紛失させてしまったり、着信に気が付かず着信があったことをかなりの時間が経過してから知るなどのことは、生活や仕事に支障をきたす、不便をきたす、中には重大なトラブルを招くなどという問題、リスクに繋がることがあるものである。
すくなくとも、生活と仕事のなかで常に離さないように身体に携行（携帯）しておいて、且つ、上述した各種機能を素早く、軽快で最適な形で、安全に享受でき操作できるようにすることは、多くの携帯電話使用者が切望するものであり、このような携帯電話の携帯補助具なりが技術的課題として切望されている。
しかるに、この技術的課題を手軽に解決する手段として地面への落下の心配のないネックストラップがあるが、腕をある程度延ばしてボタン押し操作を行う、撮影を行うなどの操作を支障なく快適に行うためにはみぞおちより下方に常に下げていなければならず、携帯電話の下部までの首元からの下がり距離が３５ｃｍ程度となってしまい、動作のたびに大きく振れ動いてしまい、携帯電話を周囲の物に引掛けたり衝突させたりしてしまう、動作の度に常に振れるので落ち着かない、常に携帯電話の振れ動きに気遣いをしなくてはならず煩わしく強いストレスを感じるなどの欠点を有するものである。
本出願人はこの欠点を解決するために、ネックストラップで首から吊り下げた携帯電話を主に面ファスナを使用して着脱容易に、ワイシャツなどの前開き着衣の前立て部位に係止するなら振れの無い携帯と、腕を延ばしての軽快な操作と、地上に落下しない周囲の物に当たらない、すなわち「振れない携行と腕を延ばしての軽快な操作と落下しない安全性」を実現して、前述した技術的課題を解決することができると発想し、その技術の開発に傾注してきた。
（２）そもそも、１００ｇ〜２００ｇ程度の重さの携帯電話などの携帯品の振れを抑えるように前開き着衣の前立て部位に振れを抑えるように着脱自在に保持するという着想そのものがこれまで無かったものである。
（３）しかるに、「前開き着衣の前立て部位に振れを抑えるように着脱自在に保持する」ことを実現可能とする技術として、例えば特許文献１（特開平１０−３０４０３８号公報）、特許文献２（実登３０５９６８９号公報）、特許文献３（特開２００３−３１９０４６号公報）、特許文献４（特開平１１−２４４００５号公報）、特許文献５（公開実用平成３−１０６９１５号公報）、特許文献６（公開実用昭和６３−１９４８１１号公報）がある。
{特許文献１}（特開平１０−３０４０３８号公報）
（１）図３、図４に、大きくても約３ｃｍ四方形態の第１のクリップ板と、大きくても３ｃｍ四方形態の第２のクリップ板と、第１のクリップ板の表側にクリップ側面ファスナを設けてなるクリップが開示されている。その使用形態は、携帯電話の裏側に携帯品側面ファスナを設け、両面ファスナによりクリップを携帯電話の裏側の最適な位置に係着させ、着衣の胸ポケットないし下ポケット、鞄などの内側に携帯電話を入れそれらの縁をクリップで挟持して、ポケット等の内側に携帯電話を保持するというものである。（２）図１、図２、図６に、幅広の短い第１のクリップ
板と、長物（８０ｍｍ〜１００ｍｍくらいと思われる。）の二股形態の第２のクリップ板（軸）となるクリップが開示されている。その使用形態は、第２のクリップ板を取り付けて移動させてクリップの高さ位置を調節する軸受けを携帯電話に取り付け、着衣の胸ポケットないし下ポケット、鞄などの内側に携帯電話を入れそれらの縁をクリップで挟持して、ポケット等の内側に携帯電話を吊り保持するというものである。
{特許文献２}（実登３０５９６８９号公報）
図６に幅１０ｍｍ〜１５ｍｍ程度、長さ５０ｍｍ〜６０ｍｍ程度の長方形板からなる長挟持部材と、この長挟持部材に閉じ付勢状態に取り付けられた、該長挟持部材より短く且つ中ほどが持ち上がり先方で挟持する形態の短挟持部材と、長挟持部材の表面に設けられた面ファスナとからなるクリップ側面ファスナを設けてなるクリップが開示されている。その使用形態は、携帯電話側面ファスナを設けた携帯電話にクリップ側面ファスナを係着させて取り付け、着衣の胸ポケットを入れそれらの縁をクリップで挟持して、ポケット等の内側に携帯電話を吊り保持するというものである。
{特許文献３}（特開２００３−３１９０４６号公報）
幅約３０ｍｍ、長さ約６０ｍｍ程度の長方形のプレートと、このプレートの上方端方に設けられた一対の短い挟持部材からなるクリップと、このクリップの反対側となるプレート面に設けられたクリップ側面ファスナとかなるクリップ装置が開示されている。その使用形態は、携帯電話側面ファスナを設けた携帯電話にクリップ側面ファスナを係着させて取り付け、着衣の胸ポケットを入れそれらの縁をクリップで挟持して、ポケット等の内側に携帯電話を吊り保持するというものである。
{特許文献４}（特開平１１−２４４００５号公報）
ネクタイの振れを抑えるようにするための技術であって、幅４ｃｍ程度、高さ５ｃｍ程度の布生地の上方にワイシャツのボタンを通し出すボタンホールを設け、布生地の表面に面ファスナを設けてなるネクタイの振れ止め具が開示されている。その使用形態は、ネクタイ側にも面ファスナを設け面ファスナ同士を係着させてネクタイの振れを抑えるように係止するというものである。
{特許文献５}（公開実用平成３−１０６９１５号公報）
ネクタイの振れを抑えるようにするための技術であって、幅４ｃｍ程度、高さ２ｃｍ程度の一枚の板材からなるクリップであって、板材の内側に３辺を切り離す切り溝を形成して内側挟持片と外側挟持片を形成し、その内側挟持片の表側に面ファスナを設けてなるクリップが開示されている。その使用形態は、ネクタイ側にも面ファスナを設け面ファスナ同士を係着させてネクタイの振れを抑えるように係止するというものである。
{特許文献６}（公開実用昭和５９−１９４８１１号公報）
ネクタイの振れを抑えるようにするための技術であって、ネクタイピンの如き挟持具からなるクリップ本体と、このクリップ本体の一方の挟持板に設けられたクリップ側面ファスナとからなるクリップが開示されている。その使用形態は、クリップを着衣の前立てに取付け、ネクタイ側にネクタイ側面ファスナを設け、クリップ側面ファスナとネクタイ側面ファスナを係着させてネクタイの振れを抑えるようにするというものである。
【特許文献１】特開平１０−３０４０３８号公報
【特許文献２】実登３０５９６８９号公報
【特許文献３】特開２００３−３１９０４６号公報
【特許文献４】特開平１１−２４４００５号公報
【特許文献５】公開実用平成３−１０６９１５号公報
【特許文献６】公開実用昭和５９−１９４８１１号公報
【非特許文献１】特になし
【発明の開示】
【発明が解決しようとする課題】
【０００３】
上述した特許文献の技術を用いて、一般的なワイシャツを着てその着衣の前立て部位に１００ｇ〜２００ｇの重さの携帯電話の振れを抑えるように保持した場合、次に述べるような欠点を有するものであった。
（１）  {特許文献１の技術}（特開平１０−３０４０３８号公報）
一方の面にクリップ側面ファスナを設けた約３ｃｍ四方形態のクリップを着衣の前立て部位に取り付け、これに携帯品側面ファスナを設けた携帯電話を係着保持して身体を横に繰り返し振った場合、携帯電話は前て部位の開き方向に略３０度、その反対方向に略９０度起き立つように大きく振れるという欠点を有するものである。さらにこのとき、クリップの先端である着衣の挟持部位が着衣に突き当たる、引っ張られなど力が加わり、擦れるなどの状態が生じ着衣の生地を傷めてしまうという欠点を有するものである。
一方形態電話の裏側に軸受け（携帯側面ファスナに変わるもの）を取り付け、これにの二股の８０ｍｍから１００ｍｍの第２挟持板（軸）（クリップ側面ファスナに変わるもの）を有するクリップは、面ファスナーの変わりに軸受けと長物の第２挟持坂（軸）としたものであって、ここからは、第１挟持坂に面ファスナを設けるという構成は容易には想到できないものである。
しかるに、重さの携帯電話を前開き着衣の前立て部位に振れを抑えるように保持するとう技術思想、それを示唆する記載は何らないものである。
（２）  {特許文献２の技術] （実登３０５９６８９号公報）
長挟持部材が容易にしなるような部材では挟持力を得ることができないことから、長挟持部材は幅１０ｍｍ〜１５ｍｍ程度、長さ５０ｍｍ〜６０ｍｍ程度の容易にはしならない金属ないし硬質プラスチックからなるものである。着衣の前立て部位に取り付けて１００ｇ〜２００ｇの重さの携帯電話を保持した状態で身体を横に振ると、長挟持部材の先端が身体に当たり、その当たり感が硬くて強い異物感、違和感を強く感じさせる大変使用感が悪いという欠点を有するものである。
また、使用者が前向きに転倒したときに、長挟持部材が起き立った状態であった場合には、長挟持部材が腹部や胸部を強く突いて負傷させたり、最悪の場合は突き刺さる危険があるものであった。
また、短挟持部材の先方は外側に湾曲した形態なので挟持しても滑りやすく、携帯電話を保持した状態で身体を横に振ると数回〜十数回の振れで着衣から外れてしまうという欠点を有するものである。挟持状態が滑らないように短挟持部材の先方を内側に折り曲げた形態にすると、携帯電話が横に起き上がるように振れるたびに、挟持部位の布地が折られ引っ張れれてしまい、布地を傷つけてしまうという欠点を有するものであった。
しかるに、重さの携帯電話を前開き着衣の前立て部位に振れを抑えるように保持するとう技術思想、それを示唆する記載は何らないものである。
（３）  {特許文献３の技術}（特開２００３−３１９０４６号公報）
着衣の前立て部位に取り付けて１００ｇ〜２００ｇの重さの携帯電話を保持した状態で身体を横に振ると、長方形のプレートの先端が身体に当たり、その当たり感が硬くて強い異物感、違和感を強く感じさせる大変使用感が悪いという欠点を有するものである。
また、短いクリップで着衣の前って部位を挟持するものであるので、、携帯電話を保持した状態で身体を横に振ると、振れるたびに挟持部位の布地が折られ引っ張れれてしまい、布地を傷つけてしまうという欠点を有するものであった。
しかるに、重さの携帯電話を前開き着衣の前立て部位に振れを抑えるように保持するとう技術思想、それを示唆する記載は何らないものである。
（４）  {特許文献４の技術}（特開平１１−２４４００５号公報）
ネクタイという極めて軽いものを着衣の前立て部位に振れを抑えるように面ファスナの係着により保持するものであり、１００ｇ〜２００ｇもの重さのもの（例えば携帯電話）の振れを抑えるように保持するという発想も、技術的思想もないものである。
したがって、その構成も面ファスナを設けた布生地の上方にワイシャツのボタンを通し出すボタンホールを設けたものであって、ネクタイのような数グラム、重くても２０グラム程度の軽量なものは振れを抑えることができるものであるが、１００ｇの携帯電話と係着保持した場合は、ボタンホールが縦に開いてちょっとした振れが続くだけで直ちに外れてしまう、身体を横に振った場合にボタン部位を軸にして携帯電話は大く左右に振れるとい欠点を有するものである。このような軟弱な布生地とボタンホールという構成でによって、この軽微な挟持力構造でネクタイを係止するという目的を十分に実現しているものである。
仮に布生地ではなく硬質のプラスチックプレートで構成した場合は、身体を横に振った場合にボタン部位を軸にして携帯電話は大く左右に振れるという欠点に加えて、ボタン縫い止め糸で携帯電話の荷重を支えている上に振れにより糸を頻繁に擦るので、ボタン縫い止め糸が擦りきれてしまうという欠点を有するものであった。
（５）  {特許文献５の技術}（公開実用平成３−１０６９１５号公報）
ネクタイという極めて軽いものを着衣の前立て部位に振れを抑えるように面ファスナ（ベルベット式ファスナ、フックループ式ファスナ、マジックテープ（登録商標）と呼ばれているもの。）の係着により保持するものであり、１００ｇ〜２００ｇもの重さのもの（例えば携帯電話）の振れを抑えるように保持するという発想も、技術的思想もないものである。
したがって、一枚の板片の３辺を打抜いて内側挟持片と外側挟持片を形成し、その間に着衣の前立て部位に挟み込んで係止するという極めて軽微な係止としたくリップとなっており、この軽微な挟持力構造でネクタイを係止するという目的を十分に実現しているものである。
このクリップに１００ｇ〜２００ｇの重さの携帯電話を係着保持した場合、クリップはその軽微な挟持から携帯電話の重さを支持できず、たちまち着衣の前立て部位から外れてしまうという欠点を有する、使い物にならないものであった。
そこからは、１００ｇ〜２００ｇの重さの携帯電話を振れないように着衣の前立て部位に保持したらよいという発想に想到することはできないものである。
また、外側挟持片の先端は連結された閉じ形態となっているので、ボタン縫い止め糸を中に通した状態にできず、ボタン縫い止め糸の上か下にしか取り付けることができず、取り付け部位がボタン縫い止め糸の間に限定されてしまうという欠点を有するものであった。
（６）  {特許文献６の技術}（公開実用昭和５９−１９４８１１号公報）
ネクタイピンに面ファスナを取り付けたもので、特許文献２の技術と同様である。
（７）  特許文献１〜特許文献６の技術はいずれのものも、着衣の前立て部位にクリップを取り付けて、１００ｇ〜２００ｇの重さの携帯電話を着衣の前立て部位に振れを抑えるように保持する、重さのある携帯電話の振れ動きによる着衣の挟持部分を傷めないようににする、身体への違和感を少ないものにするという技術課題の記述も、それを示唆するものも何らないものである。
また、特許文献１〜特許文献６の技術はいずれのものも、ネクタイを着衣の前立て部位に係止し且つネクタイの前に携帯電話を保持することはできないものであった。
（８）２枚の別体からなる挟持部材での挟持形態である特許文献２、特許文献３においては、１００ｇ〜２００ｇの重さの携帯電話を着衣の前立て部位に振れても外れないように安定して係止するには、強い閉じ不勢力のスプリングによる強い挟持力が必要であり、これを指で摘み開くためには肉厚０．４ｍｍ金属（ステンレスや鉄）によるものでも前後長さが１０ｍｍ程度のものとなる。
この１０ｍｍ厚さのクリップが携帯電話と身体との間に位置されるので、突起が当たるような感じで身体に当たり異物感を感じさせるという欠点を有するものであった。特に胸ポケットにクリップを係止して胸ポケット外側に携帯電話を保持する携行においては顕著である。
（９）上述したいずれの技術も、着衣を挟持する形態であるため、着衣の前立て部位やポケットの無いＴしゃつなどの着衣では使用でき難いという欠点を有するものであった。
（１０）上述した技術のいずれのものも、使用者の作業・仕事形態などによりそれらに影響の少ない部位への携帯電話の振れ止め保持を自在に簡単・容易に素早く選んで使用できるものではないという欠点を有するものであった。
【０００４】
本発明は上述した従来技術の持つ問題点に鑑みてなされたものであって、
（１）  その第１の目的は、携帯品振れ止め保持具を着衣の前立て部位に挟持取り付けて、該携帯品振れ止め保持具に１００ｇ〜２００ｇの重さの携帯電話等の携帯品を着脱自在に保持した状態において、使用感のよい携帯品振れ止め保持具を提供することを目的としている。
（２）  また本発明の第２の目的は、携帯品振れ止め保持具を着衣の前立て部位に挟持取り付けて、該携帯品振れ止め保持具に１００ｇ〜２００ｇの重さの携帯電話等の携帯品を着脱自在に保持した状態において、身体の動きにより生ずる携帯品の振れ動きによる携帯品振れ止め保持具の身体への当たり感を軽減するようにした携帯品振れ止め保持具を提供することを目的としている。
（３）  また本発明の第３の目的は、携帯品振れ止め保持具を着衣の前立て部位に挟持取り付けて、該携帯品振れ止め保持具に１００ｇ〜２００ｇの重さの携帯電話等の携帯品を着脱自在に保持した状態において、身体の動きにより生ずる携帯品の振れ動きによる携帯品振れ止め保持具の動きによって、着衣の挟持部分が傷つき難い形態の携帯品振れ止め保持具を提供することを目的としている。
（４）  また本発明の第４の目的は、携帯品振れ止め保持具を着衣の前立て部位に挟持取り付けて、該携帯品振れ止め保持具に１００ｇ〜２００ｇの重さの携帯電話等の携帯品をネクタイの前に着脱自在に保持できるとともに、ネクタイを保持するタイピンとしても機能し、且つ、且つ身体の動きにより生ずる携帯品の振れ動きを抑制する携帯品の振れ止め保持具を提供することを目的としている。
（５）  また本発明の第５の目的は、携帯品振れ止め保持具を着衣の前立て部位に挟持取り付けて、該携帯品振れ止め保持具に１００ｇ〜２００ｇの重さの携帯電話等の携帯品を着脱自在に且つ使用感よく保持する、従来技術からは容易には想到することはできない新規な形態の携帯品の振れ止め保持具を提供することを目的としている。
（６）  また本発明の第６の目的は、着衣の前立て部位および胸ポケットに携帯品振れ止め保持具を挟持取り付けて、該携帯品振れ止め保持具に首からネックストラップにより吊り下げた１００ｇ〜２００ｇの重さの携帯電話等の携帯品を着脱自在に保持するとともに、着衣の前立て部位および胸ポケットからは容易には外れない強い挟持力を有し、且つ、身体と携帯電話の間にあって身体への突起異物的当たりを感じさせない携帯品の振れ止め保持具を提供することを目的としている。
（７）  また本発明の第７の目的は、着衣の種類にかかわらず携帯電話を、身体上に着脱自在で且つ振れないように保持することができる携帯品の振れ止め保持具を提供することを目的としている。
（８）  また本発明の第７の目的は、作業形態や仕事の邪魔にならない部位を選んで携帯電話を着脱自在で且つ振れないように保持することができる携帯品の振れ止め保持具付き衣類を提供することを目的としている。
【０００５】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲をそれらのみに限定するものではない。
【課題を解決するための手段】
【０００６】
上記目的を達成するために、本発明は次に述べるような構成となっている。
＜請求項１記載の発明＞
着衣の前立て部位の内側に位置される前立て部位等内側差込部と、
この前立て部位等内側差込部の上方あるいは下方に設けられた、着衣の前立て部位の表側に位置される携帯電話などの携帯品を保持する保持部と、
この保持部と前記前立て部位等内側差込部の間に形成された、一方が開放された横長の空間からなる、前記保持部が着衣の前立て部位上に位置するように着衣の前立て部位を入れるための前立て部位等入り部と、
前記保持部に設けられた携帯品を該保持部上に着脱自在に保持するため面ファスナ、磁石、フック、ケースなどからなる携帯品着脱保持手段と、  前記保持部の裏側に設けられた着衣の前立て部位を挟持するためのクリップとで携帯品の振れ止め保持具を構成している。
＜請求項２記載の発明＞
着衣の前立て部位の内側に位置される第１の前立て部位等内側差込部と、
着衣の前立て部位の内側に位置される第２の前立て部位等内側差込部と、
前記第１の前立て部位等内側差込部と前記第２の前立て部位等内側差込部の間に設けられた、着衣の前立て部位の表側に位置される携帯電話などの携帯品を保持する保持部と、
この保持部と前記第１の前立て部位等内側差込部の間に形成された、一方が開放された横長の空間からなる、前記保持部が着衣の前立て部位上に位置するように着衣の前立て部位を入れるための第１の前立て部位等入り部と、
前記保持部と前記第２の前立て部位等内側差込部の間に形成された、一方が開放された横長の空間からなる、前記保持部が着衣の前立て部位上に位置するように着衣の前立て部位を入れるための第２の前立て部位等入り部と、
前記保持部に設けられた携帯品を該保持部上に着脱自在に保持するため面ファスナ、磁石、フック、ケースなどからなる携帯品着脱保持手段と、
前記保持部の裏側に設けられた着衣の前立て部位を挟持するためのクリップとで携帯品の振れ止め保持具を構成している。
＜請求項３記載の発明＞
請求項１、２いずれか記載の発明の構成において、前立て部位等内側差込部の長さが前立て部位等入り部の付け根部位から略７０ｍｍ以上であり且つ保持部に保持された１００ｇ〜２００ｇ程度の携帯電話などの携帯品の振れにより、着衣と身体との間で抵抗状態となって容易に弾性しなりが得られる弾性しなり力を有するものである携帯品の振れ止め保持具を構成している。
＜請求項４記載の発明＞
請求項１、２、３いずれか記載の発明の構成において、前立て部位等内側差込部の長さが前立て部位等入り部の付け根部位から略８０ｍｍ〜略９０ｍｍであり且つ保持部に保持された１００ｇ〜２００ｇ程度の携帯電話などの携帯品の振れにより、着衣と身体との間で抵抗状態となって容易に弾性しなりが得られる弾性しなり力を有するものである携帯品の振れ止め保持具を構成している。
＜請求項５記載の発明＞
請求項１〜４いずれか記載の発明の構成において、携帯品着脱保持手段が面ファスナである携帯品の振れ止め保持具を構成している。
＜請求項６記載の発明＞
携帯電話などの携帯品を保持するプレートからなる保持部、
この保持部の表側に設けられた携帯品を着脱自在に保持する面ファスナと、
前記保持部の裏側に設けられた着衣の前立て部位を挟持するためのクリップと、
前記保持部の上方に設けられたボタン部位支持部と、
このボタン部位支持部に設けられた、前開き着衣のボタン縫い止め糸を通し案内するボタンよりも幅の狭い形態の糸案内部と、
この糸案内部の下部に設けられたボタンを通すためのボタン通し部とで携帯品の振れ止め保持具を構成している。
＜請求項７記載の発明＞
バネ付勢力により付勢閉じ状態とされるクリップ本体と、
このクリップ本体の一方の挟持体を形成する断面が内側湾曲凹形態である挟持部位が６０ｍｍ以上の長さの前挟持体と、
前記クリップ本体のもう一方の挟持体を形成する前記前挟持体の前記内側湾曲凹部位に閉じ状態において挟持部位を嵌める形態である後挟持体と、
前記前挟持体の外側に設けられた平部と、
この平部に設けられた面ファスナとで携帯品の振れ止め保持具を構成している。
＜請求項８記載の発明＞
着衣の前立て部位の内側に位置される前立て部位等内側差込部と、
この前立て部位等内側差込部の下方に設けられた、着衣の前立て部位の表側に位置される携帯電話などの携帯品を保持する保持部と、
この保持部と前記前立て部位等内側差込部の間に形成された、一方が開放された横長の空間からなる、前記前立て部位等内側差込部および前記保持部が着衣の前立て部位のボタン線上に位置するように着衣の前立て部位を入れるための前立て部位等入り部と、
この前立て部位等入り部に連絡して前記前立て部位等内側差込部内に立ち上がるように形成された空間からなる、着衣の前立て部位のボタンがボタン穴に通された状態で着衣の前立て部位の内側でボタン縫い止め糸を通して該ボタン縫い止め糸に掛かるボタン縫い止め糸入れ掛り部と、
前記保持部に設けられた携帯品を該保持部上に着脱自在に保持するため面ファスナ、磁石、フック、ケースなどからなる携帯品着脱保持手段とで携帯品の振れ止め保持具を構成している。
＜請求項９記載の発明＞
着衣の前立て部位の内側に位置される前立て部位等内側差込部と、
この前立て部位等内側差込部に設けられた、一方が開放された空間からなる着衣の前立て部位のボタンがボタン穴に通された状態で着衣の前立て部位の内側でボタン縫い止め糸を通して該ボタン縫い止め糸に掛かるボタン縫い止め糸入れ掛り部と、
この保持部と前記前立て部位等内側差込部の間に形成されて上下と側部の一方が開放された空間からなる、前記前立て部位等内側差込部および前記保持部が着衣の前立て部位のボタン線上に位置するように着衣の前立て部位を入れるための前立て部位等入り部と、
前記保持部に設けられた携帯品を該保持部上に着脱自在に保持するため面ファスナ、磁石、フック、ケースなどからなる携帯品着脱保持手段とで携帯品の振れ止め保持具を構成している。
＜請求項１０記載の発明＞
請求項８，９いずれか記載の発明の構成において、携帯品着脱保持手段が面ファスナである携帯品の振れ止め保持具を構成している。
＜請求項１１記載の発明＞
前記前立て部位等内側差込部の前方に設けられた、着衣の前立て部位の表側に位置される携帯電話などの携帯品を保持する保持部と、
請求項８〜１０いずれか記載の発明の構成において、保持部の裏側に着衣の前立て部位を挟持するためのクリップを設けてなる携帯品の振れ止め保持具を構成している。
＜請求項１２記載の発明＞
請求項１〜１１いずれか記載の発明の構成において、保持部に着脱自在の２部品からなる着脱パーツの一方の着脱パーツを固定するなどして設け、前記着脱パーツのもう一方の着脱パーツに携帯電話等の携帯品を取り付ける細紐部材からなる携帯品取付け手段を設けてなる携帯品の振れ止め保持具を構成している。
＜請求項１３記載の発明＞
請求項１〜１２いずれか記載の発明の構成において、保持部の裏側にプレートを設け、このプレートの裏側にクリップを設け、前記保持部と前記プレートの間にネクタイが真っ直ぐな垂れ下がり状態で入り支持されるネクタイ入り支持部を設けてなる携帯品の振れ止め保持具を構成している。
＜請求項１４記載の発明＞
挟持する着衣の前立て部位の表側に位置される第１の挟持板と、
この第１の挟持坂と閉じ付勢状態とされてなる挟持する着衣の前立て部位の内側に位置される第２の挟持板と、
前記第１の挟持坂の表面に設けられた面ファスナと、
前記第２の挟持坂の上方から下方に向け、下方から上方に向けあるいは挟持嘴側から指で摘む側に向けてら空けられた着衣のボタン縫い止め糸を通し入れるためのボタン縫い止め糸通しいれ部とで携帯品の振れ止め保持具を構成している。
＜請求項１５記載の発明＞
前立ての第１の挟持板と、
この第１の挟持板と閉じ付勢状態とされてなる該第１の挟持板より長い形態で、挟持した着衣の前立て部位の縁からの長さが約６０ｍｍ以上である第２の挟持板と、
前記第１の挟持坂の表面に設けられた面ファスナと、
この第２の挟持板の先端が身体に当たらないようにし且つ携帯品を保持しての振れ動きによる身体への該第２の挟持板当たりが面当たりとなるように先方を湾曲せてなる湾曲部とで携帯品の振れ止め保持具を構成している。
＜請求項１６記載の発明＞
請求項１〜１５いずれか記載の発明の構成において、保持体本体の裏側部位の方に前立て側面ファスナを設けてなる（該保持体本体の裏側部位に着衣の前立て部位を挟持するための挟持板やクリップなどの前立て部位挟持手段を有するものにおいては、該前立て部位挟持手段に前記前立て側面ファスナを設けた場合にはそれも含む）携帯品の振れ止め保持具を構成している。
＜請求項１７記載の発明＞
表面に面ファスナ、フック、ケースなどの携帯品を着脱自在に保持する携帯品着脱保持手段を設けてなる、着衣の前立て部位の表側に位置される保持部と、
この保持部の裏側に設けられた着衣の前立て部位の内側で着衣の内立て部位の前に位置して該着衣の前立て部位を挟む前立て部位挟み部と、
この前立て部位挟み部あるいは前記保持部に設けられたり着脱自在に取り付けることができるようにした、着衣の内立て部位に係止されるあるいは該内立て部位の内側に位置される内立て部位側振れ止め部とで携帯品の振れ止め保持具を構成している。
＜請求項１８記載の発明＞
１つの部材を折り曲げて折り曲げ部と一方の挟持部と他方の挟持部を形成し、前記折り曲げ部の弾性閉じ付勢力により閉じ付勢状態とされ、前記一方の挟持部と他方の挟持部による布地の挟持形態が面による面挟持形態ないし３箇所以上の湾曲箇所による複数湾曲部位挟持形態であり、着衣の前立て部位を挟持し取り付けられた状態において首からネックストラップにより吊り下げ１００ｇ〜２００ｇ程度の携帯電話を保持した状態で、該携帯電話が通常の身体動作により振れても着衣の前立て部位からは容易には外れない挟持状態を維持する挟持力を有する保持具本体と、
この保持具本体の着衣の前立て部位の表側に位置する一方の挟持部に設けられた携帯電話等の携帯品を着脱自在に保持するための面ファスナとで携帯品の振れ止め保持具を構成している。
＜請求項１９記載の発明＞
保持体本体と、
この保持体本体に設けられた面ファスナやケースなどからなる着脱保持手段と、
前記保持体本体に設けられた携帯者の胴に廻されて該保持体本体を該胴上に保持するベルト、紐、ゴム紐、ベルトなどからなる胴廻し保持手段と、
前記保持体本体を首から吊るあるいは肩から吊る掛けループ部とで携帯品の振れ止め保持具を構成している。
＜請求項２０記載の発明＞
衣類本体と、
この衣類本体の４箇所以上に設けられた第１のループ面ファスナ〜第ｎのループ面ファスナと、
携帯電話などの携帯品を保持する携帯品保持プレートと、
この携帯品保持プレートの表側に設けられた表側フック面ファスナあるいは表側ループ面ファスナと、
前記携帯品保持プレートの裏側に設けられた裏側フック面ファスナとで振れ止め保持具付き衣類を構成している。
【発明の効果】
【０００７】
以上の説明から明らかなように、本発明にあっては次に列挙する効果が得られる。
＜請求項１記載の発明の効果＞
着衣の前立て部位の内側に位置される前立て部位等内側差込部と、この前立て部位等内側差込部の上方あるいは下方に設けられた、着衣の前立て部位の表側に位置される携帯電話などの携帯品を保持する保持部と、この保持部と前記前立て部位等内側差込部の間に形成された、一方が開放された横長の空間からなる、前記保持部が着衣の前立て部位上に位置するように着衣の前立て部位を入れるための前立て部位等入り部と、前記保持部に設けられた携帯品を該保持部上に着脱自在に保持するため面ファスナ、磁石、フック、ケースなどからなる携帯品着脱保持手段と、前記保持部の裏側に設けられた着衣の前立て部位を挟持するためのクリップとで携帯品の振れ止め保持具を構成しているので、
１００ｇ〜２００ｇの重さの携帯電話等（首からネックストラップで吊り状態にして）を保持した状態にして、携帯者の通常の歩行動作や振り向き動作によって携帯電話が起き振れ状態となっても、着衣の前立て部位の内側に位置される前立て部位等内側差込部により振れが抑えられ、且つ、前立て部位等内側差込部に先に布地が当たるのでクリップによる布地の挟持部位への影響が大幅に軽減され、布地が傷つき難くするという効果を奏する。これはボタン部位に近い部位をクリップで挟持することにより更に効果的である。
また、前立て部位等内側差込部をボタン縫い止め糸に載せることができ、ボタン縫い止め糸とクリップの共同保持を実現できるという効果を奏する。
携帯電話等の携帯品を着脱自在に保持した状態において、使用感のよい携帯品振れ止め保持具を実現している。
＜請求項２記載の発明の効果＞
着衣の前立て部位の内側に位置される第１の前立て部位等内側差込部と、着衣の前立て部位の内側に位置される第２の前立て部位等内側差込部と、前記第１の前立て部位等内側差込部と前記第２の前立て部位等内側差込部の間に設けられた、着衣の前立て部位の表側に位置される携帯電話などの携帯品を保持する保持部と、この保持部と前記第１の前立て部位等内側差込部の間に形成された、一方が開放された横長の空間からなる、前記保持部が着衣の前立て部位上に位置するように着衣の前立て部位を入れるための第１の前立て部位等入り部と、前記保持部と前記第２の前立て部位等内側差込部の間に形成された、一方が開放された横長の空間からなる、前記保持部が着衣の前立て部位上に位置するように着衣の前立て部位を入れるための第２の前立て部位等入り部と、前記保持部に設けられた携帯品を該保持部上に着脱自在に保持するため面ファスナ、磁石、フック、ケースなどからなる携帯品着脱保持手段と、前記保持部の裏側に設けられた着衣の前立て部位を挟持するためのクリップとで携帯品の振れ止め保持具を構成しているので、
すなわち、前記請求項１記載の発明の構成において上下両方に前立て部位等内側差込部を設けた構成としたものであるので、前記請求項１記載の発明と同様な効果を奏するとともに、更に安定した携帯品の保持および布地に優しい携帯品の振れ止め保持具を実現するという効果を奏する。
＜請求項３記載の発明の効果＞
請求項１、２いずれか記載の発明の構成において、前立て部位等内側差込部の長さが前立て部位等入り部の付け根部位から略７０ｍｍ以上であり且つ保持部に保持された１００ｇ〜２００ｇ程度の携帯電話などの携帯品の振れにより、着衣と身体との間で抵抗状態となって容易に弾性しなりが得られる弾性しなり力を有するものである携帯品の振れ止め保持具を構成しているので、
請求項１、２いずれか記載の発明の効果に加えて、
携帯品振れ止め保持具は着衣の前立て部位等の縁端が上下の前立て部位等入り部に当たる状態にしてクリップで前立等を挟持する。したがって着衣の前立て部位等の縁端から前立て部位等内側差込部は約７０ｍｍ以上内側に差し込まれた状態にある。この約７０ｍｍという長さはダブダブノ着衣を除いて、一般的なワイシャツやポケットなどにおいては、略１００ｇ〜２００ｇの重さの携帯電話を保持部に保持した状態で振れても、前立て部位等内側差込部がその一方側を身体側に当てその他方側を着衣側に当てた突っ張り状態、つっかえ状態となって、弾性しなり状態が容易に形成され、振れを大きく抑制した振れのより少ない携帯を実現するという効果を奏する。
具体的には、携帯電話が着衣の前立て部位を閉じる側に振れると、保持体本体の端が身体に圧し当たり、保持部と前立て部位等内側差込部は前方へ引かれる。その際前立て部位等内側差込部は着衣に当たり抑えられて、約７０ｍｍ以上という長さから、着衣にその腹全体を押し当て弾性しなり状態（湾曲反り状態）となって、ソフトにその振れ動作の衝撃を吸収する。
逆に携帯電話が着衣の前立て部位を開く側に振れると、前立て部位等内側差込部の先方の腹が身体に押し付けられての弾性しなり状態となって、ソフトにその振れ動作の衝撃を吸収する。
また、携帯電話が身体動作中に横から周囲の物に衝突しても、保持体本体がその長さで弾性反り曲り状態となってその衝撃を吸収して、携帯電話そのものを保護するとともに、面ファスナで係着状態にある携帯電話の係着が解かれての携帯電話の外れをし難くするという効果を得ることができる。
また、携帯電話の振れによる振れは保持体本体であり、保持体本体が着衣側や身体側に当たってその振れを緩和し抑制するものであるので、その保持体本体の内側に固定されたクリップでの着衣の前立て部位等の挟持部分は影響を受け難い状態が実現されているので、着衣を損傷しない着衣に優しいという効果を得ることができる。
＜請求項４記載の発明の効果＞
請求項１、２、３いずれか記載の発明の構成において、前立て部位等内側差込部の長さが前立て部位等入り部の付け根部位から略８０ｍｍ〜略９０ｍｍであり且つ保持部に保持された１００ｇ〜２００ｇ程度の携帯電話などの携帯品の振れにより、着衣と身体との間で抵抗状態となって容易に弾性しなりが得られる弾性しなり力を有するものである携帯品の振れ止め保持具を構成しているので、
前記請求項３記載の作用効果をさらに高めるという効果を奏する。
＜請求項５記載の発明の効果＞
請求項１〜４いずれか記載の発明の構成において、携帯品着脱保持手段が面ファスナである携帯品の振れ止め保持具を構成しているので、
請求項１〜４いずれか記載の発明の効果に加えて、携帯電話側に設けた携帯側面ファスナを携帯品着脱保持手段（面ファスナ）により、携帯電話の保持部からの素早い取付け取り外しが行えるので、操作性と使用感のよいものにできるという効果を奏する。
また、携帯電話を太陽光や蛍光灯光にさらした光さらし状態を実現するものであるので、充電用太陽電池付き携帯電話や太陽電池式充電器を長時間に渡って光にさらす状態を実現し、電源コンセントからの充電操作を大幅に減らし、且つ、電池切れの起こり難い携帯電話を実現するという効果を奏する。
＜請求項６記載の発明の効果＞
携帯電話などの携帯品を保持するプレートからなる保持部、この保持部の表側に設けられた携帯品を着脱自在に保持する面ファスナと、前記保持部の裏側に設けられた着衣の前立て部位を挟持するためのクリップと、前記保持部の上方に設けられたボタン部位支持部と、このボタン部位支持部に設けられた、前開き着衣のボタン縫い止め糸を通し案内するボタンよりも幅の狭い形態の糸案内部と、この糸案内部の下部に設けられたボタンを通すためのボタン通し部とで携帯品の振れ止め保持具を構成しているので、
１００ｇ〜２００ｇの重さの携帯電話等（首からネックストラップで吊り状態にして）を保持した状態にして、携帯者の通常の歩行動作や振り向き動作によって携帯電話が起き振れ状態となっても、ボタン部位に係止されたボタン部位支持部とクリップとの上下２点支持により振れが抑えられ、使用感のよい携帯品振れ止め保持具を実現している。
また、ボタン部位に係止されたボタン部位支持部とクリップとの上下２点支持であるので、外れ難く、携帯品の振れ止め保持具そのものの振れは完全に抑えられ、クリップの前縦部位に挟持により携帯電話の過重をクリップで受けるので、ボタン縫い止め糸を擦り磨耗させ切ってしまうことが無いという効果を奏する。
＜請求項７記載の発明の効果＞
バネ付勢力により付勢閉じ状態とされるクリップ本体と、このクリップ本体の一方の挟持体を形成する断面が内側湾曲凹形態である挟持部位が６０ｍｍ以上の長さの前挟持体と、前記クリップ本体のもう一方の挟持体を形成する前記前挟持体の前記内側湾曲凹部位に閉じ状態において挟持部位を嵌める形態である後挟持体と、前記前挟持体の外側に設けられた平部と、この平部に設けられた面ファスナとで携帯品の振れ止め保持具を構成しているので、
「前記前挟持体の前記内側湾曲凹部位に閉じ状態において挟持部位を嵌める形態である後挟持体」という構成により、前挟持体と後挟持体の略全域で布地を挟持する形態を実現して、確りと挟持し容易には動かない且つ傾かない確りとした係止状態を形成でき、１００ｇ〜２００ｇ程度の重さの携帯電話を平部の面ファスナに係着保持してもその振れにより居時場所がずれたり、傾いたり、外れたりすることが生じ難い携帯を実現するという効果を奏する。
また、６０ｍｍ以上の長さから、ネクタイピンとして使用することでき、この場合は平部と面ファスナはネクタイの表側に位置して、ネクタイの前に携帯電話を係着保持できるという効果を奏する。
＜請求項８記載の発明の効果＞
着衣の前立て部位の内側に位置される前立て部位等内側差込部と、この前立て部位等内側差込部の下方に設けられた、着衣の前立て部位の表側に位置される携帯電話などの携帯品を保持する保持部と、この保持部と前記前立て部位等内側差込部の間に形成された、一方が開放された横長の空間からなる、前記前立て部位等内側差込部および前記保持部が着衣の前立て部位のボタン線上に位置するように着衣の前立て部位を入れるための前立て部位等入り部と、この前立て部位等入り部に連絡して前記前立て部位等内側差込部内に立ち上がるように形成された空間からなる、着衣の前立て部位のボタンがボタン穴に通された状態で着衣の前立て部位の内側でボタン縫い止め糸を通して該ボタン縫い止め糸に掛かるボタン縫い止め糸入れ掛り部と、前記保持部に設けられた携帯品を該保持部上に着脱自在に保持するため面ファスナ、磁石、フック、ケースなどからなる携帯品着脱保持手段とで携帯品の振れ止め保持具を構成しているので、
ワイシャツの前開きボタンを閉めた状態で、着衣の前立て部位と着衣の内立て部位の間に前立て部位等内側差込部を差し込み且つ下ろしてボタン縫い止め糸をボタン縫い止め糸入れ掛り部に通して、ボタン縫い止め糸に掛けるので、クリップによる布地の挟持なしに、着衣への素早い取付けと取り外しが行え且つボタン縫い止め糸による掛け支持だけによる支持であるので、布地を全くいためないという効果を奏する。
着衣の前立て部位と着衣の内立て部位に案内されて確実にボタン縫い止め糸に掛るので、素早い装着ができるという効果を奏する。
また、携帯電話と身体との間に突起の無い形態を実現するので、異物当たり感のない使用感のよい携帯を実現するという効果を奏する。
また、一枚のプレートに面ファスナを設けたシンプルな構成であるので、極めて安価にできるという効果を奏する。
＜請求項９記載の発明の効果＞
着衣の前立て部位の内側に位置される前立て部位等内側差込部と、この前立て部位等内側差込部に設けられた、一方が開放された空間からなる着衣の前立て部位のボタンがボタン穴に通された状態で着衣の前立て部位の内側でボタン縫い止め糸を通して該ボタン縫い止め糸に掛かるボタン縫い止め糸入れ掛り部と、前記前立て部位等内側差込部の前方に設けられた、着衣の前立て部位の表側に位置される携帯電話などの携帯品を保持する保持部と、この保持部と前記前立て部位等内側差込部の間に形成されて上下と側部の一方が開放された空間からなる、前記前立て部位等内側差込部および前記保持部が着衣の前立て部位のボタン線上に位置するように着衣の前立て部位を入れるための前立て部位等入り部と、前記保持部に設けられた携帯品を該保持部上に着脱自在に保持するため面ファスナ、磁石、フック、ケースなどからなる携帯品着脱保持手段とで携帯品の振れ止め保持具を構成しているので、
前記請求項８記載の発明と同様な効果を奏するとともに、着衣の前立て部位と着衣の内立て部位の間に入り且つボタン縫い止め糸を入れ掛る前立て部位等内側差込部と携帯電話を着脱自在に保持する保持部とで、着衣の前立て部位を挟む形態であり、すなわち一枚のプレートを折り曲げた形態であり、この形態では着衣の前立て部位の外側に大きく突出する部位を設け無くてよく、着衣の表に露出する部位を携帯電話で覆うことができる、目立たない形態を可能にできるという効果を奏する。
＜請求項１０記載の発明の効果＞
請求項８，９いずれか記載の発明の構成において、携帯品着脱保持手段が面ファスナである携帯品の振れ止め保持具を構成しているので、
請求項８、９ずれか記載の発明の効果に加えて、携帯電話側に設けた携帯側面ファスナを携帯品着脱保持手段（面ファスナ）により、携帯電話の保持部からの素早い取付け取り外しが行えるので、操作性と使用感のよいものにできるという効果を奏する。
また、携帯電話を太陽光や蛍光灯光にさらした光さらし状態を実現するものであるので、充電用太陽電池付き携帯電話や太陽電池式充電器を長時間に渡って光にさらす状態を実現し、電源コンセントからの充電操作を大幅に減らし、且つ、電池切れの起こり難い携帯電話を実現するという効果を奏する。
＜請求項１１記載の発明の効果＞
請求項８〜１０いずれか記載の発明の構成において、保持部の裏側に着衣の前立て部位を挟持するためのクリップを設けてなる携帯品の振れ止め保持具を構成しているので、
請求項８〜１０いずれか記載の発明の効果に加えて、強く前屈みになっても、ずれ外れ落ちることがない、より振れを抑える携行を実現するという効果を奏する。
また、胸ポケットや腹横ポケットやズボンの胴縁にその縁を挟持し且つ保持部および携帯品着脱保持手段をその外側に位置させて、携帯電話をポケットの外側に保持できるという効果を奏する。
＜請求項１２記載の発明の効果＞
請求項１〜１１いずれか記載の発明の構成において、保持部に着脱自在の２部品からなる着脱パーツの一方の着脱パーツを固定するなどして設け、前記着脱パーツのもう一方の着脱パーツに携帯電話等の携帯品を取り付ける細紐部材からなる携帯品取付け手段を設けてなる携帯品の振れ止め保持具を構成しているので、
請求項１〜１１いずれか記載の発明の効果に加えて、携帯電話を操作する場合は、着脱パーツを外し携帯電話を手に持って操作し、保持部への携帯電話の保持状態では着脱バーツを連結しているので、保持部への保持状態において携帯電話が落下しても、着脱パーツと携帯電話を繋いだ細紐部材により、携帯品の振れ止め保持具に吊り状態になるのみで、地面に落下しない安全性を実現するとともに、携帯電話をネックストラップにより首から掛け下げなくて良い携行を実現するという効果を奏する。
＜請求項１３記載の発明の効果＞
請求項１〜１２いずれか記載の発明の構成において、保持部の裏側にプレートを設け、このプレートの裏側にクリップを設け、前記保持部と前記プレートの間にネクタイが真っ直ぐな垂れ下がり状態で入り支持されるネクタイ入り支持部を設けてなる携帯品の振れ止め保持具を構成しているので、
請求項１〜１２いずれか記載の発明の効果と同様な効果を奏するとともに、ネクタイを着衣の前立て部位に振れないように係止するとともに、ネクタイの表側に保持部が位置されるので、ネクタイの表側に携帯電話を着脱自在の保持できるという効果を奏する。
＜請求項１４記載の発明の効果＞
挟持する着衣の前立て部位の表側に位置される第１の挟持板と、この第１の挟持坂と閉じ付勢状態とされてなる挟持する着衣の前立て部位の内側に位置される第２の挟持板と、前記第１の挟持坂の表面に設けられた面ファスナと、前記第２の挟持坂の上方から下方に向け、下方から上方に向けあるいは挟持嘴側から指で摘む側に向けてら空けられた着衣のボタン縫い止め糸を通し入れるためのボタン縫い止め糸通しいれ部とで携帯品の振れ止め保持具を構成しているので、
着衣の前立て部位と着衣の内立て部位の間に差し込んだ第２の挟持板の内側にボタン縫い止め糸部位を通した状態で挟持して携帯品の振れ止め保持具を係止するので、ボタンとボタン縫い止め糸により合わせ状態にある着衣の前立て部位と着衣の内立て部位により、１００ｇから２００ｇ程度の携帯電話を保持した携帯品の振れ止め保持具の振れを抑えた状態にでき、且つ、ボタン縫い止め糸に掛った外れないという効果を奏する。
これにより、使用感がよく安全なクリップ形態の携帯品の振れ止め保持具を実現するという効果を奏する。
＜請求項１５記載の発明の効果＞
前立ての第１の挟持板と、この第１の挟持板と閉じ付勢状態とされてなる該第１の挟持板より長い形態で、挟持した着衣の前立て部位の縁からの長さが約６０ｍｍ以上である第２の挟持板と、前記第１の挟持坂の表面に設けられた面ファスナと、この第２の挟持板の先端が身体に当たらないようにし且つ携帯品を保持しての振れ動きによる身体への該第２の挟持板当たりが面当たりとなるように先方を湾曲せてなる湾曲部とで携帯品の振れ止め保持具を構成しているので、
ネックストラップにより首から下げた携帯電話を、着衣の前立て部位や胸ポケットや胴ポケットの表側に着脱自在に保持できるとともに、このような形態とすることにより振れ動いても、先端が身体に当たることがなく、身体への当たりは面ないし線当たりとなるので、ソフトで違和感の少ない当たりを実現し使用感のよいものとでき、６０ｍｍ以上という長さから、ネクタイ前に携帯電話を振れないように保持するネクタイピントしても使用できる携帯品の振れ止め保持具を実現するという効果を奏する。
＜請求項１６記載の発明の効果＞
請求項１〜１５いずれか記載の発明の構成において、保持体本体の裏側部位の方に前立て側面ファスナを設けてなる（該保持体本体の裏側部位に着衣の前立て部位を挟持するための挟持板やクリップなどの前立て部位挟持手段を有するものにおいては、該前立て部位挟持手段に前記前立て側面ファスナを設けた場合にはそれも含む）携帯品の振れ止め保持具を構成しているので、
着衣の内立て部位側に内立て側面ファスナを取り付けて、この内立て側面ファスナと携帯品振れ止め保持具の前立て側面ファスナを狭着されることにより、保持した携帯電話の振れによっても前立て部位が全く開かない、少々の激しい動作でも携帯電話の起き上がり振れの生じない携行を実現するという効果を奏する。
＜請求項１７記載の発明の効果＞
表面に面ファスナ、フック、ケースなどの携帯品を着脱自在に保持する携帯品着脱保持手段を設けてなる、着衣の前立て部位の表側に位置される保持部と、この保持部の裏側に設けられた着衣の前立て部位の内側で着衣の内立て部位の前に位置して該着衣の前立て部位を挟む前立て部位挟み部と、この前立て部位挟み部あるいは前記保持部に設けられたり着脱自在に取り付けることができるようにした、着衣の内立て部位に係止されるあるいは該内立て部位の内側に位置される内立て部位側振れ止め部とで携帯品の振れ止め保持具を構成しているので、
このような構成としても、前記請求項１６記載の発明と同様な効果を奏する。
＜請求項１８記載の発明の効果＞
１つの部材を折り曲げて折り曲げ部と一方の挟持部と他方の挟持部を形成し、前記折り曲げ部の弾性閉じ付勢力により閉じ付勢状態とされ、前記一方の挟持部と他方の挟持部による布地の挟持形態が面による面挟持形態ないし３箇所以上の湾曲箇所による複数湾曲部位挟持形態であり、着衣の前立て部位を挟持し取り付けられた状態において首からネックストラップにより吊り下げ１００ｇ〜２００ｇ程度の携帯電話を保持した状態で、該携帯電話が通常の身体動作により振れても着衣の前立て部位からは容易には外れない挟持状態を維持する挟持力を有する保持具本体と、この保持具本体の着衣の前立て部位の表側に位置する一方の挟持部に設けられた携帯電話等の携帯品を着脱自在に保持するための面ファスナとで携帯品の振れ止め保持具を構成しているので、
厚さを薄くでき且つ全体が際立った突出部位のない形態を実現できるので、携帯電話と身体の間にあっても、身体に当たる突起の異物感を感じさせない携帯品の振れ止め保持具を実現するという効果を奏する。
また、布の挟持形態が局部挟持形態ではない面挟持形態であるので、携帯電話の振れに伴う振れ状態が続いても布地を傷つけることが少ないという効果を奏する。
＜請求項１９記載の発明の効果＞
保持体本体と、この保持体本体に設けられた面ファスナやケースなどからなる着脱保持手段と、前記保持体本体に設けられた携帯者の胴に廻されて該保持体本体を該胴上に保持するベルト、紐、ゴム紐、ベルトなどからなる胴廻し保持手段と、前記保持体本体を首から吊るあるいは肩から吊る掛けループ部とで携帯品の振れ止め保持具を構成しているので、
着衣に関係なくネックストラップにより首から吊るした携帯電話を振れないように且つ着脱自在に保持できるという効果を奏する。
＜請求項２０記載の発明の効果＞
衣類本体と、この衣類本体の４箇所以上に設けられた第１のループ面ファスナ〜第ｎのループ面ファスナと、携帯電話などの携帯品を保持する携帯品保持プレートと、この携帯品保持プレートの表側に設けられた表側フック面ファスナあるいは表側ループ面ファスナと、前記携帯品保持プレートの裏側に設けられた裏側フック面ファスナとで振れ止め保持具付き衣類を構成しているので、
仕事形態や作業内容などにより、携帯電話が最も邪魔にならない第ｎのループ面ファスナに携帯品保持プレートを係着保持させ、これに裏側に携帯側面ファスナを設けた携帯電話を振れない落ちないように着脱自在に係着保持することが素早く自在に行えるので大変便利であるという効果を奏する。
また、衣類の側の面ファスナーはループ面ファスナであるので、他の着衣と一緒に洗濯機で洗濯しても、他の衣類を引掛けることが無いという効果を奏する。
また、複数の携帯電話や他の例えばＩＤカードケースなどを着脱自在に、あわせて保持することができるという効果を奏する。
適した衣類として事務服を含む作業服や制服が最適である。
【発明を実施するための最良の形態】
【０００８】
以下、図面に示す発明を実施するための最良の形態により、本発明を詳細に説明する。
【０００９】
＜第1の実施の形態＞
図１に示す本発明を実施するための最良の第１の実施の形態において１は携帯品振れ止め保持具であって、この携帯品振れ止め保持具１は主にワイシャツに代表される前開き着衣からなる着衣２に取り付ける無色透明ないし有色の合成樹脂製板状体の保持体本体３と、この保持体本体３の上方を形成してなる着衣２の着衣の前立て部位１９の内側に差し入れる前立て部位等内側差込部１５と、この前立て部位等内側差込部１５の下方に設けられた着衣の前立て部位１９の表側に位置される携帯品４を保持する保持部１６と、前立て部位等内側差込部１５と保持部１６の間に横長に設けられた一方を開放してなる前立て部位等内側差込部１５および保持部１６が着衣の前立て部位１９のボタン線上に位置するように着衣の前立て部位１９を避け入れるための３ｍｍ程度の上下幅空間からなる前立て部位等入り部２０と、この前立て部位等入り部２０に連絡して前立て部位等内側差込部１５内に立ち上がるように形成された空間からなる着衣の前立て部位１９部位のボタン９の縫い止め糸１０にボタンがボタン穴に嵌った（通した）状態で着衣の前立て部位１９の内側で掛るボタン縫い止め糸入れ掛り部１１と、保持部１６の表と裏にそれぞれ設けられた掛ヒゲがフック形態の保持側面ファスナ６ａ、６ｂと、着衣装着時に裏側となる保持側面ファスナ６ａ、６ｂの裏側になった方をマスクする掛ヒゲがループ形態おファスナマスク１７と、保持部１６の保持側面ファスナ６ａ、６ｂの両側に形成された保持された携帯品４に覆われることなく該４の外側にはみ出る形態の、携帯品４の取り外し操作の際に携帯品４を手で掴みその手の指で抑えあるいはもう一方の手で抑えて、掴んだ携帯品４を保持側面ファスナ６ａないし６ｂから着衣を引っ張ることなく剥がし易くするための指で抑える部位７，８と、とからなっている
携帯品４の裏側にヒゲがループ形態の携帯側面ファスナ２１を設け、携帯品４をネックストラップ２２で首から吊り下げて、携帯品４を保持側面ファスナ６ａないし６ｂと携帯側面ファスナ２１の引掛接合により着脱自在に携帯品振れ止め保持具１に保持する。
男性と女性の着衣は着衣の前立て部位が逆向きであるため、携帯品振れ止め保持具１を向きを変えて使用する。保持側面ファスナ６ａないし６ｂが表側となって携帯品を保持する男女兼用を実現するのもよい。
保持側面ファスナを表面のみとするのもよい。
保持体本体３の色彩は無色透明にとどまらず白いワイシャツに合わせた白色、グレー、黒など多様なものがある。
保持体本体と保持側面ファスナを射出成型などにより一体成型することにより、極めて安価なものとできる。フック面ファスナー（オス面ファスナー）は表面にのみ形成するのもよい。この保持体本体と面ファスナーの一体成形は後述する実施の形態にも適用される。
保持体本体の材質は柔軟性のあるものがよく、例えば皮製部材、柔軟性塩化ビニールシートなどで、携帯者が転倒したり衝突した場合などに、身体を傷つけないものもよい。
面ファスナによる引掛け接着には多様な形態がある。例えば、引掛けヒゲがフック形態には鉤形態のものマッシュルーム形態のもの、引掛けヒゲとループヒゲの両方が一つの面ファスナに設けられているもの、携帯品保持体側にも携帯品側にもマッシュルーム形態を用いる形態など多様な形態がある。
保持部１６の裏側に着衣の前立て部位１９を挟持するクリップを設けるのが良い。これにより振れ外れの起きないものとできる。この場合い、着衣の前立て部位のみならず、胸ポケットや脇ポケットの縁やエプロンの前上部縁などを前立て部位等入り部２０に通し、クリップでそれらの縁を挟持して使用することが可能となる。前立て部位等入り部２０の「着衣の前立て部位等」とした意味は前開き着衣の前立て部位以外のポケットの縁、エプロンの前上部縁など他の部位も通すことを意味している。
[付記Ａ１]
（１）特許文献1
特許文献１の技術は着衣に面ファスナを縫い付けるなどして設けるのであるが、そのまま保持されている携帯電話を剥がし外そうとして引っ張ると、着衣が引っ張られてしまい操作性が大変悪く、着衣も乱れてしまうという欠点があった。
（２）特許文献２
特許文献２のクリップは、着衣のボタンに挿着するのであるが、挿着操作が面倒であること、ボタンから抜き取る場合はボタンと着衣が引っ張られるなど、使用し難いという欠点を有するものであった。
本発明は以上のような従来技術の問題点に鑑み、着衣上に面ファスナにより保持した携帯電話等を剥がし外す際に、着衣を引っ張ることなく、素早く軽快な剥がし外し操作を実現する携帯品振れ止め保持具を提供することを目的としている。
[付記Ａ２]
＜発明の効果＞
着衣に取り付ける保持体本体と、この保持体本体に設けられたあるいは設けるようにした保持側面ファスナと、前記保持体本体に形成された携帯品を保持した状態で指で押さえたり摘んだりできる指で抑える部位とからなり、保持体本体を着衣に止め状態にして前記保持側面ファスナに接合する計体側側面ファスナを設けた携帯品を保持した状態から、前記指で抑える部位を指で動かないようにしておいて携帯品を剥がし外すことが出来るようにしてなる携帯品振れ止め保持具を構成しているので、
保持体本体上に保持した携帯電話を片手で掴みその手の指で携帯電話の筐体縁と少し内側から外に出ている指で抑える部位を抑えたり摘んだりして携帯電話を起こすこ、着衣を引っ張ることなく携帯品を素早く簡単軽快に剥がし外す操作性を実現するという効果を得ることができる。
【００１０】
（発明を実施するための異なる形態）
【００１１】
次に、発明を実施するための異なる形態について説明する。なお、これら本発明を実施するための異なる形態の説明に当たって、本発明を実施するための前述した実施の形態と同一構成部分には同一符号を付して重複する説明を省略する。
【００１２】
＜第２の実施の形態＞
図２に示す本発明を実施するための最良の第２の実施の形態において前記第1の実施の形態と主に異なる点は、掛ヒゲがループ形態のケース側面ファスナ２６を背部に設けたケース２７を用意し、ケース２７をボタン縫い止め糸１０に掛け下げた保持体本体３に保持するようにしたものである。
保持体本体３とケースを一体的にしたものもよい。
保持部１６の裏側に着衣の前立て部位１９を挟持するクリップを設けるのが良い。これにより動かないものとできる。
【００１３】
＜第３の実施の形態＞
図３に示す本発明を実施するための最良の第３の実施の形態において前記第1の実施の形態と主に異なる点は、保持部１６の下方に着衣の前立て部位1９内に入れられて下方のボタン縫い止め糸１０に横のみが掛かる脚部３０を設け、この脚部３０と保持部１６の間に前立て部位等入り部３１を形成してなる携帯品振れ止め保持具３２を形成した点にある。
保持部１６の裏側に着衣の前立て部位１９を挟持するクリップを設けるのが良い。これにより前屈みになっても外れの起きないものとできる。
【００１４】
＜第４の実施の形態＞
図４に示す本発明を実施するための最良の第４の実施の形態において前記第３の実施の形態と主に異なる点は、脚部３０（前立て部位等内側差込部）の下方にボタン縫い止め糸１０に下方から掛かるフック３４を設けた携帯品振れ止め保持具３５を形成した点にある。
保持部１６の裏側に着衣の前立て部位１９を挟持するクリップを設けるのが良い。これにより動かないものとできる。
【００１５】
＜第５の実施の形態＞
図５に示す本発明を実施するための最良の第５の実施の形態において前記第４の実施の形態と主に異なる点は、前立て部位等入り部２０を設けない構成としボタン部位支持部３６にボタン縫い止め糸入れ掛り部１１の下部にボタン９より大きい径のボタン通し部３７を設けてなる携帯品振れ止め保持具３８を形成した点にある。
保持部１６の裏側に着衣の前立て部位１９を挟持するクリップを設けるのが良い。これにより動かないものとできる。
【００１６】
＜第６の実施の形態＞
図６に示す本発明を実施するための最良の第６の実施の形態において前記第５の実施の形態と主に異なる点は、保持体本体３をボタン部位支持部３６と保持部１６からなる構成として保持部１６の下方の構成を設けないものとし、ボタン通し部３７の上部に糸案内部４０を設け、該４０の上部にボタン縫い止め糸入れ掛り部４１を設け、保持部１６の裏側に着衣の前立て部位１９を挟持するクリップ４３を設けてなる携帯品振れ止め保持具４２を形成した点にある。
ボタン部位に掛ける場合は、横向きにして入れ操作するとボタン通し部３７に入れやすい。
上方はボタンおよびボタン縫い止め糸に支持されて振れず、その下方はクリップ４３により着衣の前立て部位１９に係止されているので、携帯品振れ止め保持具４２がボタン縫い止め糸を擦る振れ方は生じないので、ボタン縫い止め糸が擦れ減り切れるということが生じないという効果を奏する。
また、クリップで着衣の前立て部位に係止されているので、携帯電話を外す操作で携帯品振れ止め保持具が持ち上がって、ボタンから外れてしまうことが生じない使用感のよいものとできるという効果を奏する。
【００１７】
＜第７の実施の形態＞
図７に示す本発明を実施するための最良の第７の実施の形態において前記第６の実施の形態と主に異なる点は、ボタン通し部３７を設けず糸案内部４０のみとし該４０の上部を開口してボタン縫い止め糸案内口３９を設けてなる携帯品振れ止め保持具４４を形成した点にある。
糸案内部４０に支持されたボタン縫い止め糸には荷重が掛らない形態を実現しながら、振れを確りと抑えることができるという効果を奏する。
【００１８】
＜第８の実施の形態＞
図８に示す本発明を実施するための最良の第８の実施の形態において前記第６の実施の形態と主に異なる点は、ボタン部位支持部３６にボタン縫い止め糸入れ掛り部１１を設けその下部に該１１にピンやボタン縫い止め糸などを通すボタン部位掛部材通し部４９を設けてなる携帯品振れ止め保持具４８を形成した点にある。
ベース５０と、該５０から突き出されたピン５１と、このピン５１を挟持して該５１上に止められる挟持ボタン５２とからなるタイピン５３を着衣２に取り付けておいて、ピン５１をボタン部位掛部材通し部４６に通して取り付ける。
【００１９】
＜第９の実施の形態＞
図９に示す本発明を実施するための最良の第９の実施の形態において５５は携帯品振れ止め保持具であって、この携帯品振れ止め保持具５５は透明な合成樹脂製板材で形成された長方形の保持体本体５６と、この保持プレートの下方に設けられた保持側面ファスナ６と、保持体本体５６の上方を形成する指で抑える部位５７と、この指で抑える部位５７の最上方に設けられたループ形態の着衣取り付け部である掛紐５８と、保持体本体５６の最下方に設けられた振れ止め紐５９とからなっている。
ボタン９に掛紐５８を掛て該５８を一巻きさせて掛け、振れ止め紐５９を下方のボタン９に数回巻きつけて振れ止めとする。
【００２０】
＜第１０の実施の形態＞
図１０に示す本発明を実施するための最良の第１０の実施の形態において６１は携帯品振れ止め保持具であって、この携帯品振れ止め保持具６１は、略四角形のプレートからなる保持体本体３の上側に前開き着衣の前立て部位とボタン縫い止め糸を避け通しす前立て部位等入り部２０を設け、保持体本体３の下側に前開き着衣の前立て部位とボタン縫い止め糸を避け通しす前立て部位等入り部３１を設け、前立て部位等入り部２０と前立て部位等入り部３１の間に保持部１６を設け、この保持部１６の表側に保持側面ファスナ６を設け、保持体本体３の裏側に前立て部位等入り部２０あるいは前立て部位等入り部３１に通された着衣の前立て部位を挟持するためのクリップ６３を設けた構成となっている。
このような上下対称の形態とすることにより、表面を表にしたまま半回転させることにより向きを変えて逆向きの着衣の前立て部位にも同じように係止することができる、男女兼用を実現している。
前立て部位等入り部２０あるいは前立て部位等入り部３１にボタン縫い止め糸を通すことにより、該ボタン縫い止め糸に保持体本体３は下移動することを阻止されるので下にズレ移動することがない。
【００２１】
＜第１１の実施の形態＞
図１１に示す本発明を実施するための最良の第１１の実施の形態において前記第９の実施の形態と主に異なる点は、掛紐５８に変えてクリップ６３を設けてなる携帯品振れ止め保持具６４を形成した点にある。
【００２２】
＜第１２の実施の形態＞
図１２に示す本発明を実施するための最良の第１２の実施の形態において前記第１１の実施の形態と主に異なる点は、着衣取り付け部である安全ピン６６を設けてクリップ６３か安全ピン６６のいずれかで着衣に止めることができるようにし、保持部１６の下部に前立て部位等入り部３１を形成し、該３１の下方にボタン縫い止め糸１０を嵌めるようにして該１０に乗るボタン部位乗り部６７を設けてなる携帯品振れ止め保持具６８を形成した点にある。
ボタン部位乗り部６７を着衣の前立て部位１９内に入れてボタン部位乗り部６７をボタン縫い止め糸１０に乗せておいて、クリップ６３で着衣を教示する。ボタンがない着衣は安全ピン６６により取り付ける。
図１２中右図のようにズボンのベルトやズボンの縁を前立て部位等入り部３１に通し、クリップ６３でベルトやズボン縁を挟持することにより、携帯品を腰に携帯することもできる。この場合も、長い紐のループやクリップ付ストラップやネックストラップで携帯品は落下させても地面に届かないように安全な携帯を行う。
【００２３】
＜第１３の実施の形態＞
図１３に示す本発明を実施するための最良の第１３の実施の形態において７１は携帯品振れ止め保持具であって、この携帯品振れ止め保持具７１は長方形板からなる保持体本体７２と、この保持体本体７２の左右に形成された指で抑える部位７，８と、指で抑える部位７，８の間に設けられた保持側面ファスナ６と、安全ピン６６と、一対のクリップ６３，６３とからなっている。
クリップ６３，６３によりズボンの縁、腰ベルトに取り付けることができ、携帯品を腰につけて携帯できる。
前開き着衣の前立て部位をクリップ６３で挟持する場合は、クリップ６３がボタン縫い止め糸に乗るのようにする。これにより携帯品振れ止め保持具７１は下方えの移動をとめられる。
【００２４】
＜第１４の実施の形態＞
図１４に示す本発明を実施するための最良の第１４の実施の形態において７４は携帯品振れ止め保持具であって、この携帯品振れ止め保持具７４は長方形のアルミ製部材からなる保持プレートート本体７５と、この保持体本体７５の左右に形成された指で抑える部位７，８と、指で抑える部位７，８の間で表面に設けられた保持側面ファスナ６と、保持体本体７５の裏側に形成された凹部７６に設けられた磁石７７と、この磁石７７に磁着される磁石７８を設けたアルミ製部材からなる挟持板７９とからなっている。
着衣２を磁石７７と７８の磁着力で挟持して着衣２上に保持体本体７５を保持する。
【００２５】
＜第１５の実施の形態＞
図１５に示す本発明を実施するための最良の第１５の実施の形態において８１は携帯品振れ止め保持具であって、この携帯品振れ止め保持具８１は長方形の保持体本体８２と、この保持体本体８２に設けられた保持側面ファスナ６（着脱保持手段）と、保持体本体８２の左右に形成された指で抑える部位７，８と、保持体本体８２に取り付けられたあるいは付属して取り付けられる携帯者の胴に廻されて保持体本体８２を該胴上に保持するベルト、紐、ゴム紐、ベルトなどからなる胴廻し保持手段８３と、該８３の胴廻し長さを調節する調節手段８４と、脱着手段８５と、保持体本体８２を首から吊る首掛けループ部８６（掛けループ部）と、この首掛けループ部８６の長さを調節する調節パーツ８９とからなっている。
装着取り外しが簡単であり着衣を選ばないので、特に子供の警報機、携帯電話などの携帯に便利である。
保持側面ファスナ６に変えてケース（着脱保持手段）もよい。
脱着手段８５に胴廻し保持手段８３の長さを調節する機能を持たせるのも良い。また、脱着手段８５を設けず、胴廻し保持手段８３を手で結ぶものもよい。
首掛けループ部８６は調節パーツ８９を設けず、適宜な部位を切り離して好みのループに結ぶ形態もよい。
首掛けループ部は肩掛けループ（掛けループ部）でもよい。
【００２６】
＜第１６の実施の形態＞
図１６に示す本発明を実施するための最良の第１６の実施の形態において前記第１５の実施の形態と主に異なる点は、胴廻し保持手段８３にかえて、先端にクリップ６３を有する紐８７を一対設けた携帯品の振り止め保持具８８を形成した点にある。
【００２７】
＜第１７の実施の形態＞
図１７に示す本発明を実施するための最良の第１７の実施の形態において９０は携帯品保持部付衣服であって、この携帯品保持部付衣服９０は衣服本体の中央縦線上に掛ヒゲがループ形態の衣服側面ファスナ９１ａ、９１ｂ、９１ｃを設け、左右肩に衣服側面ファスナ９１ｄ、９１ｅを設け、袖上に衣服側面ファスナ９１ｆを設け、胸ポケット上に衣服側面ファスナ９１ｇの７箇所設けた構成となっている。
衣服側面ファスナ９１ａ〜９１ｇに引掛接合される携帯品振れ止め保持具９２は、十字形態の保持体本体９３と、この保持体本体９３の表側に設けられた掛ヒゲがフック形態の保持側表面ファスナ９４と、裏側に設けられた保持側裏面ファスナ９５と、指で抑える部位７，８とから構成されている。
衣服側面ファスナ９１ａ〜９１ｇのいずれかに一つないし複数の携帯品振れ止め保持具９２を保持させ、これに携帯品４などを保持させる。
[付記Ｂ１]
＜請求項1＞
上半身に着る衣服本体と、
この衣服本体の前部の略中央上下線上の適宜な部位に設けられた、携帯側面ファスナを設けた携帯電話などの携帯品を少なくとも上方下方のいずれか好みの部位を選んで該衣服本体上に保持するための複数ないし長尺の衣服側面ファスナとからなることを特徴とする携帯品保持部付衣服。
＜請求項２＞
衣服本体と、
この衣服本体の適宜な部位に設けられた、携帯側面ファスナを設けた携帯電話などの携帯品を該衣服本体上に保持するための衣服側面ファスナと、
前記衣服側面ファスナの一部で形成され、該衣服側面ファスナを一体的に取り付けた型崩れし難い革製部材や合成樹脂製部材などの下敷きプレートの一部で形成されあるいは該衣服側面ファスナとは別体で該衣服側面ファスナの傍に前記衣服本体に縫い付けられるとか貼り付けられるとかなどして設けられた型崩れし難い革製部材や合成樹脂製部材などのプレートなどからなる、前記衣服側面ファスナに保持された携帯品の縁と略同じくらいから該携帯品の外側に出る形態の、該携帯品の取り外し操作の際に該携帯品を手で掴みその手の指で抑えあるいはもう一方の手で抑えて、掴んだ該携帯品を前記保持側面ファスナから剥がし易くするための指で抑える部位と、
以上のごとく構成されてなることを特徴とする携帯品保持部付衣服。
＜請求項３＞
衣服に取り付け取り外し自在の保持体本体、この保持体本体の表側と裏側に張り付けた該保持体本体と一体成型などにより設けられた掛ヒゲがフック形態の保持側表面ファスナ、保持側裏面ファスナとからなる携帯品振れ止め保持具と、
衣服本体、この衣服本体の適宜な部位に設けられた掛ヒゲがループ形態の衣服側面ファスナとからなる衣服とからなり、
前記衣服側面ファスナに前記保持側裏面ファスナを引掛接合して前記携帯品振れ止め保持具の衣服に保持した衣服保持状態とし、携帯電話などの携帯品に設けた掛ヒゲがループ形態の携帯側面ファスナを前記保持側表面ファスナに引掛接合させて、前記衣服保持状態とされている前記保持体本体に携帯品を保持するようにしてなることを特徴とする携帯品保持部付衣服。
＜請求項４＞
保持された携帯品の縁と略同じくらいから該携帯品の外側に出る形態の、該携帯品の取り外し操作の際に該携帯品を手で掴みその手の指で抑えあるいはもう一方の手で抑えて、掴んだ該携帯品を保持側面ファスナから剥がし易くするための指で抑える部位を保持体本体に設けてなることを特徴とする請求項３記載の携帯品保持部付衣服。
[付記Ｂ２]
特許文献１の技術においては、衣服への面ファスナを設ける記述は「面ファスナを衣服の表面に予め張り付けセットしておき」のみであり、衣服へ面ファスナを設けるについて生じる技術課題についての示唆は一切ないものである。
携帯電話のバッテリーカバーに面ファスナを設けることのみを技術課題としている特許文献１からは、「この面ファスナ２はバッテリーカバー正面の全体に渡って、あるいは、部分的に固着され、この面ファスナ２を相対する面ファスナに引掛接合させると、携帯電話を保持できるようになっている。また、この面ファスナ２のバッテリーカバー表面に占める割合を大きくすることにより、携帯電話の保持がより強固なものとなり、通常の保持をする形態にとらわれない、すべての向きでの保持を可能なものとする。」という記述のみであることからも明らかなように、どのような形態で面ファスナをバッテリーカバーに設けたらより便利になるだけが技術課題となっているものである。
すなわち特許文献１からは、衣服にどのように面ファスナを設けるか、そこにはどのような技術課題があるのかを想起することすらできないものであり、これを動機付けたりする記載は何らないものであるので、衣服に面ファスナをどのように設けるかという技術課題そのものが容易に想到しないものである。
また、「衣服側面ファスナを衣服の表面に予め張り付けセットして」おくものであるので、面ファスナのない衣服や面ファスナを張り付けたくない衣服の着用ではその機能を発揮できないという問題を持つものであった。また、面ファスナを衣服から外したくても外せない、一旦外すと再び張り付けるには粘着性・引掛接合性が無くなっているので新しい面ファスナを用意して張り付けなくてはならないなど、大変不便なものであった。
また「衣服側面ファスナを衣服の表面に予め張り付けセットして」の記述から一義的・直接的に想起される形態は、面ファスナを衣服に直接張り付ける、その形態は携帯電話に張り付けた面ファスナと同じ大きさというものである。しかし、このような形態では、引掛接合して衣服上に保持した携帯電話を剥がし外す場合は衣服が引っ張られて外し難い、特に片手に持っての外し操作は衣服を引っ張らざるを得ないという問題があり、軽快な操作性が実現できないものである。
また、携帯者の仕事などに伴う動作は荷を抱える、屈んだ動作が多い、騒音の大きい場所にいる、車の運転中である、草取りをしている、食器を洗っている、雑巾がけをしている、複数の携帯電話を携帯している、携帯電話と小型デジタルカメラを同時に携帯し使いたい、自転車に乗っているなどなど、それは個々人のタイプやその状況などにより多様なものであり、多様な動作や状況に対応した多様な携帯方法が簡単に選択できる携帯方法が技術課題となっている。
また、Ｔシャツなどの何ら掛かり部位となるところがない衣服の着用においても、ネックストラップで首から下げた携帯電話の振れを、衣服に面ファスナを張り付けることなく抑える方法が技術課題となっている。
[付記Ｂ３]
（１）本発明は以上のような従来技術の欠点に鑑み、長尺の主にネックストラップで携帯者の首から吊り携帯している主に携帯電話の振れを抑え外れないように保持するとともに、該振れ外れしないように保持した携帯電話を片手のみで素早く軽快に着脱操作することができ、且つ、携帯電話などの着信通話およびボタン操作や撮影操作などをなんら支障来たすことなく行える携帯品振れ止め保持具を提供することを目的としている。
（２）また本発明の他の目的は、長尺の主にネックストラップで携帯者の首から吊り携帯している主に携帯電話の振れを抑え保持するもので、該衣服への取り付け取り外しが自在あるいは衣服への止めを行わないで身体への取り付けを取り外しを実現した携帯品振れ止め保持具を提供することを目的としている。
（３）また本発明の他の目的は、複数の携帯電話などを衣服に同時に振れない、外れないように保持させての携帯を可能とする携帯品振れ止め保持具を提供することを目的としている。
（３）本発明の他の目的は携帯電話を着脱自在に保持する面ファスナを設けた衣服において、保持した携帯電話の剥がし外しが片手で素早く軽快に行える携帯品振れ止め保持具を提供することを目的としている。
[付記Ｂ４]
＜請求項１記載の発明の効果＞
上半身に着る衣服本体と、この衣服本体の前部の略中央上下線上の適宜な部位に設けられた、携帯側面ファスナを設けた携帯電話などの携帯品を少なくとも上方下方のいずれか好みの部位を選んで該衣服本体上に保持するための複数ないし長尺の衣服側面ファスナとで携帯品保持部付衣服を構成しているので、
（１）衣服の複数箇所から好み、使用状況などで保持場所を自在に変えながら携帯電話などの振れを抑えるように保持できるという効果を得ることができる。
（２）身体を屈めても携帯電話などは衣服に止められて前方に振れることがなく、歩行したり振り向いたりしても衣服に止められて振れることがないので、仕事や動作の邪魔にならない軽快な携帯を実現する。
ネックストラップで首から下げた携帯電話の振れを抑えるように携帯できるとともに、ネックストラップを緩めた形態で携帯電話の重量は衣服で受ける携帯を実現できるので、首に負荷のかからない肩凝りの起こらない携帯を実現する。
ネックストラップで首に掛けたままであるので、保持プレートから外れたり、携帯電話を手に持って操作中に滑りおとしても、ネックストラップに吊られて落下が止められるという安全性を実現する。
ネックストラップのループを狭めることなく、携帯電話の振れ止め保持を行うので、首への掛け外しに支障をきたさない。
携帯電話を直接吊っていた松葉（細い紐）への荷重がほとんどないので、松葉の寿命を飛躍的に延ばし安全性と経済性を向上させる。
すなわち、仕事や歩行に支障をきたさない、振れない、肩凝りないの軽快な携帯性、携帯電話の素早い操作性、落下しない安全性などを実現するものである。
＜請求項２記載の発明の効果＞
衣服本体と、この衣服本体の適宜な部位に設けられた、携帯側面ファスナを設けた携帯電話などの携帯品を該衣服本体上に保持するための衣服側面ファスナと、前記衣服側面ファスナの一部で形成され、該衣服側面ファスナを一体的に取り付けた型崩れし難い革製部材や合成樹脂製部材などの下敷きプレートの一部で形成されあるいは該衣服側面ファスナとは別体で該衣服側面ファスナの傍に前記衣服本体に縫い付けられるとか貼り付けられるとかなどして設けられた型崩れし難い革製部材や合成樹脂製部材などのプレートなどからなる、前記衣服側面ファスナに保持された携帯品の縁と略同じくらいから該携帯品の外側に出る形態の、該携帯品の取り外し操作の際に該携帯品を手で掴みその手の指で抑えあるいはもう一方の手で抑えて、掴んだ該携帯品を前記保持側面ファスナから剥がし易くするための指で抑える部位とで携帯品保持部付衣服を構成しているので、
衣服上に保持した携帯電話を片手で掴みその手の指で携帯電話の筐体外に出ている指で抑える部位を抑え、携帯電話を起こすことにより、衣服を引っ張ることなく素早く軽快に携帯電話を剥がし外すことができるるという効果を得ることができる。
＜請求項３記載の発明の効果＞
衣服に取り付け取り外し自在の保持体本体、この保持体本体の表側と裏側に張り付けた該保持体本体と一体成型などにより設けられた掛ヒゲがフック形態の保持側表面ファスナ、保持側裏面ファスナとからなる携帯品振れ止め保持具と、衣服本体、この衣服本体の適宜な部位に設けられた掛ヒゲがループ形態の衣服側面ファスナとからなる衣服とからなり、前記衣服側面ファスナに前記保持側裏面ファスナを引掛接合して前記携帯品振れ止め保持具の衣服に保持した衣服保持状態とし、携帯電話などの携帯品に設けた掛ヒゲがループ形態の携帯側面ファスナを前記保持側表面ファスナに引掛接合させて、前記衣服保持状態とされている前記保持体本体に携帯品を保持するようにしてなる携帯品保持部付衣服を構成しているので、
（１）衣服を洗濯するときは携帯品振れ止め保持具を外して、他の衣服に引っかからないフック形態の面ファスナのみの衣服とできるので、他の衣服と一緒に洗濯ができるという効果を得ることができる。
（２）身体を屈めても携帯電話などは衣服に止められて前方に振れることがなく、歩行したり振り向いたりしても衣服に止められて振れることがないので、仕事や動作の邪魔にならない軽快な携帯を実現する。
ネックストラップで首から下げた携帯電話の振れを抑えるように携帯できるとともに、ネックストラップを緩めた形態で携帯電話の重量は衣服で受ける携帯を実現できるので、首に負荷のかからない肩凝りの起こらない携帯を実現する。
ネックストラップで首に掛けたままであるので、保持プレートから外れたり、携帯電話を手に持って操作中に滑りおとしても、ネックストラップに吊られて落下が止められるという安全性を実現する。
ネックストラップのループを狭めることなく、携帯電話の振れ止め保持を行うので、首への掛け外しに支障をきたさない。
携帯電話を直接吊っていた松葉（細い紐）への荷重がほとんどないので、松葉の寿命を飛躍的に延ばし安全性と経済性を向上させる。
すなわち、仕事や歩行に支障をきたさない、振れない、肩凝りのない軽快な携帯性、携帯電話の素早い操作性、落下しない安全性などを実現するものである。
＜請求項４記載の発明の効果＞
請求項３記載の記載の発明の構成において、保持された携帯品の縁と略同じくらいから該携帯品の外側に出る形態の、該携帯品の取り外し操作の際に該携帯品を手で掴みその手の指で抑えあるいはもう一方の手で抑えて、掴んだ該携帯品を保持側面ファスナから剥がし易くするための指で抑える部位を保持体本体に設けてなる携帯品保持部付衣服を構成しているので、
衣服上に保持した携帯電話を片手で掴みその手の指で携帯電話の筐体外に出ている指で抑える部位を抑え、携帯電話を起こすことにより、衣服を引っ張ることなく素早く軽快に携帯電話を剥がし外すことができるるという効果を得ることができる。
【００２８】
＜第１８の実施の形態＞
図１８に示す本発明を実施するための最良の第１８の実施の形態において前記第１７の実施の形態と主に異なる点は、衣服側面ファスナ９１ａ、９１ｂ、９１ｃを一本にした形態の衣服側面ファスナ９７を設けた携帯品保持部付衣服９８を形成した点にある。
【００２９】
＜第１９の実施の形態＞
図１９に示す本発明を実施するための最良の第１９の実施の形態において前記第１７の実施の形態と主に異なる点は、衣服側面ファスナ９１ａ〜９１ｇに変えて携帯品振れ止め保持具９９ａ〜９９ｇを設けた携帯品保持部付衣服１００を形成した点にある。
携帯品振れ止め保持具９９ａ〜９９ｇは、革や柔軟性で腰のある合成樹脂製部材や腰の強い布製部材などからなる保持体本体１０１と、この保持体本体９９に形成された指で抑える部位７と、保持体本体９９の表に設けられた掛ヒゲがループ形態の面ファスナ１０２とからなっている。
携帯品振れ止め保持具９９ａ〜９９ｇは衣服に縫い付けられている。
【００３０】
＜第２０の実施の形態＞
図２０に示す本発明を実施するための最良の第２０の実施の形態において前記第１８の実施の形態と主に異なる点は、携帯品振れ止め保持具９９ａ〜９９ｇに変えて輪郭を保持体本体１０１と同様な形態とした掛ヒゲがループ形態のベースが腰の強い面ファスナ１０４ａ〜１０４ｇとしてなる携帯品保持部付衣服１０５を形成した点にある。
面ファスナ１０４ａ〜１０４ｇには該面ファスナからなる指で抑える部位７が設けられている。
【００３１】
＜第２１の実施の形態＞
図２１に示す本発明を実施するための最良の第２１の実施の形態において前記第１の実施の形態と主に異なる点は、ボタン部位支持部３６の上部に着衣の前立て部位を挟むクリップ１０７を設けた携帯品振れ止め保持具１０８を形成した点にある。
前立て部位等入り部２０にボタン縫い止め糸を通すことにより、該ボタン縫い止め糸に保持体本体３は下移動することを阻止されるので下にズレ移動することがない。
【００３２】
＜第２２の実施の形態＞
図２２に示す本発明を実施するための最良の第２２の実施の形態において前記第１の実施の形態と主に異なる点は、保持体本体３の裏側にクリップ１０７を設けてなる携帯品振れ止め保持具１１２を形成した点にある。
前立て部位等入り部１１にボタン縫い止め糸を通すことにより、該ボタン縫い止め糸に保持体本体３は下移動することを阻止されるので下にズレ移動することがない。
【００３３】
＜第２２の実施の形態＞
図２３に示す本発明を実施するための最良の第２３の実施の形態において前記第１の実施の形態と主に異なる点は、保持体本体３の上部に着衣の前立て部位を挟持するクリップ１０７を該１０７の一方側を保持体本体３と一体成型により形成して設け、保持側面ファスナ６を携帯電話を横付けにしても安定するように保持部１６全体に横長にした形態に設けてなる携帯品振れ止め保持具１１４を形成した点にある。
【００３４】
＜第２４の実施の形態＞
図２４に示す本発明を実施するための最良の第２４の実施の形態において１１６は携帯品振れ止め保持具であってこの携帯品振れ止め保持具１１６は、四角形の保持体本体３と、該３の左右および下部に設けられた指で抑える部位７、８、１１０と、保持体本体３の中ほどに設けれられた、ボタン通し部３７および該３７から上方に延び形成されたボタン縫い止め糸入れ掛り部１１と、保持体本体３の表面に設けられた保持側面ファスナ６と、保持体本体３の裏側上部に設けられたクリップ１０７と、ボタン通し部３７からボタン部位掛け部１１に掛けてその両縁にはボタンが通りやすくするための薄い部位に形成してなるボタン逃げ部１１７とからなっている。
クリップ１０７は上部、中部、下部のいずれでも良いが、下部が振れを最も押える効果があるので下部に設ける形態がよい。
【００３５】
＜第２５の実施の形態＞
図２５に示す本発明を実施するための最良の第２５の実施の形態において前記第２４の実施の形態と主に異なる点は、クリップ１０７を保持体本体３の裏側下部の左右にそれぞれ設け、保持体本体３の上部側部にストラップを取り付けるストラップ取付け部１１９を設けてなる携帯品振れ止め保持具１２０を形成した点にある。
クリップ１０７が左右に設けられているので男性でも女性でも使用できる。
【００３６】
＜第２６の実施の形態＞
図２６に示す本発明を実施するための最良の第２６の実施の形態において１２２は携帯品振れ止め保持具であってこの携帯品振れ止め保持具１２２は、上部を形成するボタン部位支持部３６、右部を形成する指で抑える部位７、左部を形成する指で抑える部位８、下部を形成する指で抑える部位１１０とからなる十字形態の保持体本体３と、該３の中央に設けられた保持側面ファスナ６と、ボタン部位支持部３６に設けられたボタン縫い止め糸入れ掛り部１１、ボタン逃げ部１１７、１１７を有するボタン通し部３７と、指で抑える部位７、８のそれぞれの裏側に設けられたクリップ１０７，１０７とからなっている。
保持した携帯電話から露出する部位が少ないので目立たない携帯を実現する。
【００３７】
＜第２７の実施の形態＞
図２７に示す本発明を実施するための最良の第２７の実施の形態において前記第２３の実施の形態と主に異なる点は、裏側にもクリップ１０７ｂを設け、裏側にも保持側面ファスナ６ｂを設けてなる携帯品振れ止め保持具１２４を形成した点にある。
右端図では、裏側に面ファスナを設けたペンケースを保持させて、ペンを入れて使用している。
【００３８】
＜第２８の実施の形態＞
図２８に示す本発明を実施するための最良の第２８の実施の形態において１２９は携帯品振れ止め保持具であってこの携帯品振れ止め保持具１２９は、保持体本体３と、この保持体本体３の上方側部から裏側に折り曲げたようにして形成された該３の略半分ほどの上下幅の着衣の前立て部位１９内側に差し込まれる掛け部１２６（前立て部位等内側差込部）と、この掛け部１２６と保持体本体３の間に形成され着衣の前立て部位１９を避ける前立て部位等入り部１２７と、掛け部１２６に下方から延びるように形成されたボタン縫い止め糸入れ掛り部１１と、保持体本体３に形成された指で抑える部位７、８、１１０と、指で抑える部位７、８に渡って設けられた保持側面ファスナ６とから構成されている。
掛け部1２６およびボタン部位掛け部位１１が保持体本体３の裏側に位置するので、全体の上下幅を小さくし小型化を図れる。
【００３９】
＜第２９の実施の形態＞
図２９に示す本発明を実施するための最良の第２９の実施の形態において前記第２８の実施の形態と主に異なる点は、掛け部１２６の上部にクリップ１０７を設けてなる携帯品振れ止め保持具１３１を形成した点にある。
クリップ１０７で着衣の前立て部位を挟持することにより、抜け防止、振れ抑制を実現し、何よりも携帯者に安心感を与える。
【００４０】
＜第３０の実施の形態＞
図３０に示す本発明を実施するための最良の第３０の実施の形態において前記第２９の実施の形態と主に異なる点は、保持側面ファスナに変えてフック１３２を設けてなる携帯品振れ止め保持具１３３を形成した点にある。
携帯品４の背部にフック受け１３４を設けて使用する。
【００４１】
＜第３１の実施の形態＞
図３０に示す本発明を実施するための最良の第３０の実施の形態において前記第２９の実施の形態と主に異なる点は、保持側面ファスナに変えてケース１３６を設けてなる携帯品振れ止め保持具１３７を形成した点にある。
ケース１３６は底受け部１３９、収納する携帯品の幅に合わせて後付けする２部品の脇支持部品１４０ａ、１４０ｂからなっている。
【００４２】
＜第３２の実施の形態＞
図３２に示す本発明を実施するための最良の第３２の実施の形態において前記第３１の実施の形態と主に異なる点は、脇支持部１４２ａ、１４２ｂを保持体本体３と一体成型とし、保持体本体３の内側に中空部位１４３を形成して軽量化を図ってなる携帯品振れ止め保持具１４４を形成した点にある。
【００４３】
＜第３３の実施の形態＞
【００４４】
図３３に示す本発明を実施するための最良の第３３の実施の形態において前記第２３の実施の形態と主に異なる点は、クリップを保持体本体３から湾曲した付勢部１４６を形成し、該１４６に挟持部位１４７を形成してなる、すなわち保持体本体３と付勢部１４６と挟持部位１４７と保持側面ファスナ６との善構成部分を、射出成型による一体成型により形成してなる携帯品振れ止め保持具１４８を形成した点にある。
【００４５】
＜第３４の実施の形態＞
図３４に示す本発明を実施するための最良の第３４の実施の形態において前記第２６実施の形態と主に異なる点は、クリップ１０７を保持体本体３の上部に背部に一つ設けた構成に変えた携帯品振れ止め保持具１５０を形成した点にある。
【００４６】
＜第３５の実施の形態＞
図３５に示す本発明を実施するための最良の第３５の実施の形態において前記第２８実施の形態と主に異なる点は、掛け部１２６に変えて保持体本体３の上部から裏側に下方に向けて折り曲げられたように立ち下げられるように形成された該３との間に両側部および下部を開放してボタン入り隙間１５４を形成してなる掛け部１５２を設け、該１５２に下部を開口させてボタン逃げ部１１７を有するボタン縫い止め糸入れ掛り部１１を設けてなる携帯品振れ止め保持具１５３を形成した点にある。
下部のみを開放して両側部をふさいだ形態もよい。
保持体本体の裏側に着衣の前立て部位１９を挟持するクリップを設けるのが良い。こうすることにより振れ外れの起きない携帯を実現する.
【００４７】
＜第３６の実施の形態＞
図３６に示す本発明を実施するための最良の第３６の実施の形態において前記第３５の実施の形態と主に異なる点は、保持体本体３の背部にクリップ１０７ａ、１０７ｂを横向き対抗関係に設け、更に上部前側にクリップ１０７ｃを縦向きに設けてなる携帯品振れ止め保持具１５６を形成した点にある。
クリップ１０７ａ、１０７ｂは着衣の前立て部位をクリップ１０７ｃはポケットに収納する下場合に利用する。
【００４８】
＜第３７の実施の形態＞
図３７に示す本発明を実施するための最良の第３７の実施の形態において前記第１の実施の形態と主に異なる点は、保持体本体３の保持部１６の下部に指で抑える部位を下方に突出させるような形態で設けた携帯品振れ止め保持具１５８を形成しするとともに、クリップ１０７（粘着剤付）、保持側面ファスナ６（粘着剤付）は保持体本体３には使用者が張り付けるよう分離して添付し、携帯側面ファスナ２１（粘着剤付）とともに、袋１５７に収納して提供するようにしている。このように携帯品保持手段を使用者が取り付けるように保持体本体と分離されて提供する形態も、本願発明の技術的範疇に含まれるものである。
図３７の下図に示すように、男性の場合は「使用者男性」のようにクリップ１０７（剥離紙を剥がし）を図のように置いて裏面、保持側面ファスナ６（剥離紙を剥がし）を図のように置いて表面の保持体本体３の指定された部位に貼り付ける。
女性の場合は「使用者女性」のようにクリップ１０７（剥離紙を剥がし）を図のように置いて裏面、保持側面ファスナ６（剥離紙を剥がし）を図のように置いて表面の保持体本体３の指定された部位に貼り付ける。
携帯品４の裏側に携帯側面ファスナ２１を剥離しを剥がし貼り付ける。
【００４９】
＜第３８の実施の形態＞
図３８に示す本発明を実施するための最良の第３８の実施の形態において１６８は携帯品振れ止め保持具であってこの携帯品振れ止め保持具１６８は、前方部位を形成する着衣の前立て部位に差し込まれる保持体本体３と、該３に下部を開口して立ち上げられたボタン縫い止め糸入れ掛り部１１と、保持体本体３の側部で裏側に折り曲げ下げられるように形成された固定部１６９と、該１６９に粘着剤からなる接着部１６０とからなっている。
携帯品４のボタン操作側の背部に接着部１６０により貼り付けて使用する。
保持体本体３と携帯品４の間には前立て部位等入り部１２７が形成される。
図では携帯品振れ止め保持具１６８は縦方向向きに取り付けているが、横向方向向きに取り付けるのもよい。また、両方ができるように軸支などして回転や回動できるようにするのもよい。これは他の形態の携帯品振れ止め保持具ないし、ボタン縫い止め糸入れ掛り部を有する部位を設ける場合に適応される。
また、携帯品の背部に最初から一体成形などによりボタン縫い止め糸入れ掛り部を有する部位が設けらてなる形態も本願発明の技術的範疇である。
【００５０】
＜第３９の実施の形態＞
図３９に示す本発明を実施するための最良の第３９の実施の形態において１７１は折り畳み式携帯電話からなる携帯品であってこの携帯品１７１は、携帯品本体１６３と、該１６３の背部にセットされるバッテリーカバー１６５と、該１６５との間に前立て部位等入り部１２７が形成し側部から折り曲げ横に延びるように該１６５と一体成型されて設けられた保持体本体１７２と、該１７２の中央に下部を開口して立ち上げられたボタン縫い止め糸入れ掛り部１１とからなっている。
【００５１】
＜第４０の実施の形態＞
図４０および図４１に示す本発明を実施するための最良の第４０の実施の形態において１７４は携帯品振れ止め保持具であって、この携帯品振れ止め保持具１７４は、保持体本体３と、この保持体本体３を構成する一方の側部と底部と上部を開口してなる前立て部位等入り部１２７をその間に形成する前後関係で設けられた保持部（前部材）１７５ａ、保持部（後部材）１７５ｂと、保持部１７５ａに設けられた下部を開口して立ち上げられたボタン縫い止め糸入れ掛り部１１ａと、保持部１７５ｂに設けられた下部を開口して立ち上げられたボタン縫い止め糸入れ掛り部１１ｂと、保持部１７５ａの表側に設けられた保持側面ファスナ６ａと、保持部１７５ｂの表側に設けられた保持側面ファスナ６ｂとからなっている。
図４１に示すごとく、着衣の前立て部位が相違する男女の着衣でもその向きを変えることにより使用できる男女兼用を実現し、ワイシャツやスーツの胸ポケットの内側や外側に横向きにして取り付けることができる、多様な形態の携帯品の携帯を可能とするものである。
保持部１７５ａ、１７５ｂは、正面図右側を少し延長した形態の２枚の板部材（保持部）の右側を直接にあるいは部材を挟で接着や融着により接合固定してなる形態のものもよい。この形態では、前開き着衣の前立て部位を二枚の板部材で挟持するので、横に振れ難く外れ難いものにできる。
【００５２】
＜第４１の実施の形態＞
図４２および図４３に示す本発明を実施するための最良の第４１の実施の形態において前記第４１の実施の形態と主に異なる点は、保持部（前部材）１７５ａの上部（下部でも良い）にクリップ１０７を設けてなる携帯品振れ止め保持具１７７を形成した点にある。
クリップ１０７は着衣の前立て部位取付け時でも、ポケット掛け取付け時でも、ベルトないしズボン縁取付け時でも着衣を挟持することができ、着衣への保持状態を安定させ使用者に安心感を与え大変に便利である。
クリップ１０７の挟持口奥止まり部位と前立て部位等入り部１２７の根元部位は同じ位置となっていて、着衣への掛け部位ないし当たり部位と挟持当たり部位が同じとなって保持体本体３の水平ないし垂直を保持するようになっている。
【００５３】
＜第４２の実施の形態＞
図４４に示す本発明を実施するための最良の第４２の実施の形態において前記第1の実施の形態と主に異なる点は、指で抑える部位を設けずできる限り保持体本体３が携帯電話に隠される形態としてなる携帯品振れ止め保持具１８０を形成した点にある。
操作は携帯品振れ止め保持具１８０を取り付けたまま、着衣の前立て部位から抜き差して行うことを基本操作としている。
これにより、面ファスナ同士の着脱を少なくでき、面ファスナの特にループ側の保持力の低下を招くことが減らして、長期間の使用を可能とする。
保持体本体３の裏側に着衣の前立て部位１９を挟持するクリップを設けるのが良い。こうすることにより振れ外れの起きない携帯を実現する
【００５４】
＜第４３の実施の形態＞
図４５に示す本発明を実施するための最良の第４３の実施の形態において前記第４３の実施の形態と主に異なる点は、面ファスナ６に変えて粘着剤１８１を設け、携帯品に接着固定して使用するようにした携帯品振れ止め保持具１８２を形成した点にある。
【００５５】
＜第４４の実施の形態＞
図４６に示す本発明を実施するための最良の第４４の実施の形態において前記第４４の実施の形態と主に異なる点は、保持体本体をステンレス棒などの硬い棒部材で形成した保持体本体１８４とし、該１８４の下部に粘着剤１８１を設けた固定部１８５を設けてなる携帯品振れ止め保持具１８６を形成した点にある。
【００５６】
＜第４５の実施の形態＞
図４７に示す本発明を実施するための最良の第４５の実施の形態において前記第４５の実施の形態と主に異なる点は保持体本体１８下部に取り付けバー１８８を設けて、携帯品に設けたバー取付け部１８９に取り付けバー１８８を回動できるようにした携帯品振れ止め保持具１９０を形成した点にある。
最初から非回動か回動可能に設けてなる携帯品もよい。
【００５７】
＜第４６の実施の形態＞
図４８に示す本発明を実施するための最良の第４６の実施の形態において前記第１２の実施の形態と主に異なる点は、着脱手段８５を有する短め（２０ｃｍ程度）のストラップ１９４を保持体本体３に取付けてなる携帯品振れ止め保持具１９３を形成した点にある。
携帯品を着脱手段８５の松葉２３に取付け、保持体本体３に保持された携帯品の取り外しは着脱手段８５を分離して行う。
【００５８】
＜第４７の実施の形態＞
図４９に示す本発明を実施するための最良の第４７の実施の形態において前記第１の実施の形態と主に異なる点は、保持体本体３の前開き着衣の前立て部位の外側に露出する部位にマークや模様や絵などの一部を突き出すように形取った飛び出し表現部１９６を打抜き形成してなる携帯品振れ止め保持具１９７を形成した点にある。
飛び出し表現部１９６は多様な形態のものに形成し且つ印刷することができるので、スポーツ団体や記号のマークなどを飛び出し形態にするなど広告宣伝が多様にできる。
また、個人使用向けのものでは、露出する部位を広めに形成しておいて絵などの模様を露出部位に描いたり、パソコンで作成した者を貼り付けたりして、その輪郭を挟みでカットして輪郭を形成して、オリジナルティー溢れるデザインにするようにするのもよい。
【００５９】
＜第４８の実施の形態＞
図５０に示す本発明を実施するための最良の第４８の実施の形態において前記第１の実施の形態と主に異なる点は、保持体本体３の前開き着衣の前立て部位にセットした場合に露出する側部部位に名刺などのカード１９８を収納するカード収納部１９９を突き出し設けてなる携帯品振れ止め保持具２００を形成した点にある。
【００６０】
＜第４９の実施の形態＞
図５１に示す本発明を実施するための最良の第４９の実施の形態において前記第４８の実施の形態と主に異なる点は、カード収納部を保持体本体３の上部側に設け、表側にカード指当て孔２０２ａを有するカード収納部１９９ａを設け、裏側にカード指当て孔２０２ｂを有するカード収納部１９９ｂを設け、カード収納部側と保持体本体３の間に前立て部位等入り部２２ａを設けてなる携帯品振れ止め保持具２０４を形成した点にある。
クリップ１０７と保持側面ファスナ６は粘着材が設けられ、使用者の性別により貼り付ける側を選んで、使用者自らが貼り付ける。
【００６１】
＜第５０の実施の形態＞
図５２に示す本発明を実施するための最良の第５０の実施の形態において前記第２６の実施の形態と主に異なる点は、保持体本体３の上部にカード収納部１９９を設けてなる携帯品振れ止め保持具２０６を形成した点にある。
クリップ１０７と保持側面ファスナ６は粘着材が設けられ、使用者自らが貼り付ける。
【００６２】
＜第５１の実施の形態＞
図５３に示す本発明を実施するための最良の第５１の実施の形態において前記第４７の実施の形態（図５０）と主に異なる点は、保持体本体３の上部に安全ピン２０７のピン２０８を通し着衣に取り付けるためのピン通し孔２０９ａ、２０９ｂを設けてなる携帯品振れ止め保持具２１０を形成した点にある。
クリップ１０７と保持側面ファスナ６は粘着材が設けられ、使用者自らが貼り付ける。
【００６３】
＜第５２の実施の形態＞
図５４に示す本発明を実施するための最良の第５２の実施の形態において前記第４８の実施の形態（図５１）と主に異なる点は、保持体本体３のボタン縫い止め糸入れ掛り部１１部位の裏側に正面図右側を固定したカード収納部１９９を設けた携帯品振れ止め保持具２１２を形成した点にある。
【００６４】
＜第５３の実施の形態＞
図５５に示す本発明を実施するための最良の第５３の実施の形態において前記第１の実施の形態と主に異なる点は、保持部１６の下部に前開き着衣の前立て部位を通し挟持する略鋸歯形態の切り込みからなる着衣の前立て部位挟持部２１４を設けてなる携帯品振れ止め保持具２１５を形成した点にある。
【００６５】
＜第５４の実施の形態＞
図５６〜図６３に示す本発明を実施するための最良の第５４の実施の形態は前記第３７の実施の形態の携帯品振れ止め保持具の使用方法を示したものである。
（図５６）保持体本体３の上部端方からストラップ１９４を下げている。
（図５７）保持体本体３の上部端方に通し穴２２０を設け、ループ形態の紐部分２１９と、ストッパーリング２２１有するストラップ２２２を下げている。
このような構成とすることにより携帯電話等を保持した状態で紐部分２１９を引き出すことにより垂れ下がり長さを短くでき、携帯時の垂れ下がりを短くでき、一方より長い紐部分の使用を行いやすくする。
紐部分は一本形態でもよく、ストッパーリング２２１に変えて強力なクリップ（後記するクリプ４０７など）を設ける形態もよい。こうすることにより、着衣の前立て部位を挟持するクリップが外れても携帯品振れ止め保持具で落下が止められる、逆に携帯品振れ止め保持具が外れてもクリップで落下が止められるので安全性をより高いものとできる。
また、紐部分２２９を長いものとすることにより、より多様な形態や多様な背丈に柔軟に対応することができる。
このような携帯品振れ止め保持具にクリップ付のストラップを移動自在に設けてなる携帯品振れ止め保持具も本願発明の技術的範疇に含まれるものである。
（図５８）紐８７の一方の側にクリップ１０６を有し、他方の側に着脱手段８５と松葉２３を有するストラップ２２４と組み合わせた。
（図５９）ストラップ２２４との組み合わせで３タイプの使用例を示した。（ａ）携帯品振れ止め保持具１５８を前開き着衣のボタン縫い止め糸に掛けて携帯電話を保持した状態。（ｂ）携帯品振れ止め保持具１５８を横にして胸ポケットに前立て部位等入り部２０にポケット縁を通し一部をポケット内に他をポケット外にしてポケット縁をクリップ１０７で挟持し外に出された保持部１６の携帯電話を保持した状態。（ｃ）携帯品振れ止め保持具１５８を横にして腰ベルトを前立て部位等入り部２０に通し一部をベルト内に他をベルト外にしてベルトをクリップ１０７で挟持し外に出された保持部１６の携帯電話を保持した状態。
（図６０）保持体本体３の上部端方に通し穴２２０を設け、形態の紐部分８７の一方側にループ２２６を有し、他方の側に松葉２３付の着脱手段８５を有するストラップ２２７を添付している。
（図６１）ストラップ２２７との組み合わせで３タイプの使用例を示した。（ａ）携帯品振れ止め保持具１５８を前開き着衣のボタン縫い止め糸に掛けて携帯電話を保持した状態。（ｂ）携帯品振れ止め保持具１５８を縦状態のままベルトにボタン部位掛け部１１を掛けて保持部１６の携帯電話を保持した状態。（ｃ）携帯品振れ止め保持具１５８を横にして腰ベルトを前立て部位等入り部２０に通し一部をベルト内に他をベルト外にしてベルトをクリップ１０７で挟持し外に出された保持部１６の携帯電話を保持した状態。
（図６２）保持体本体３の裏側上部端にクリップ１０７ａを加えたクリップを２箇所とした構成とし、ストラップ２２４を添付している。
（図６３）ストラップ２２４との組み合わせで３タイプの使用例を示した。ベルトやズボン縁に係止する場合も前開き着衣のボタン縫い止め糸に掛けると同じ縦向きで掛けクリップ１０７ａでベルトやズボン縁を挟持する使用とできる。
【００６６】
＜第５５の実施の形態＞
図６４に示す本発明を実施するための最良の第５５の実施の形態において前記第３７の実施の形態と主に異なる点は、保持体本体３の上部左側にボタン縫い止め糸入れ掛り部１１と同じ形態のベルト掛け部２２９を設けてなる携帯品振れ止め保持具２３０を形成した点にある。
【００６７】
＜第５６の実施の形態＞
図６５に示す本発明を実施するための最良の第５５の実施の形態において前記第３７の実施の形態と主に異なる点は、保持体本体３の前立て部位等入り部２０の上方に１０ｍｍ程度の挟持穴２３２を設けてなる携帯品振れ止め保持具２３３を形成した点にある。クリップ１０７は設けず、ストラップ２２４のクリップ１０６で挟持穴２３２に重なったベルトや前開き着衣の前立て部位や胸ポケットの縁を挟持する。
【００６８】
＜第５７の実施の形態＞
図６６に示す本発明を実施するための最良の第５７の実施の形態において前記第４の実施の形態と主に異なる点は、下部にボタン縫い止め糸が囲われるボタンを摘み出しボタン穴に嵌め操作ができる大きさ（略２０ｍｍ〜３０ｍｍ）のボタン部位囲い部２３５を設けてなる携帯品振れ止め保持具２３６を形成した点にある。ボタン部位囲い部２３５の内側部位２３７はボタン縫い止め糸入れ掛り部１１の内側部位と同じ上下位置になっていて、外側に振れるのを阻止するようになっている。
【００６９】
＜第５８の実施の形態＞
図６７に示す本発明を実施するための最良の第５８の実施の形態において前記第４の実施の形態と主に異なる点は、保持体本体３の上部にズボンのベルト通し部に挿入される挿入部２３９を設けてなる携帯品振れ止め保持具２４０を形成した点にある。
厚みのあるベルトに係止する場合は全部位がベルトの前部に出てクリップ１０７によるベルトの挟持をおこなう。
【００７０】
＜第５９の実施の形態＞
図６８に示す本発明を実施するための最良の第５９の実施の形態において前記第５６の実施の形態と主に異なる点は、挟持穴２３２を保持端本体の上部に突出して設けてなる携帯品振れ止め保持具２４２を形成した点にある。
【００７１】
＜第６０の実施の形態＞
図６９および図７０に示す本発明を実施するための最良の第６０の実施の形態において２４４は携帯品振れ止め保持具であって、この携帯品振れ止め保持具２４４は保持体本体３と、この保持体本体３の上部を形成する掛け部２４５ａ（前立て部位等内側差込部）と、保持体本体３の下部を形成する掛け部２４５ｂ（前立て部位等内側差込部）と、掛け部２４５ａと掛け部２４５ｂの間に形成された携帯品を保持する部位となる保持部２４６と、掛け部２４５ａと保持部２４６の間に形成された前開き着衣の前立て部位を避け通すための略２ｍｍ幅の前立て部位等入り部２４７ａと、掛け部２４５ｂと保持部２４６の間に形成された前開き着衣の前立て部位を通すための前立て部位等入り部２４７ｂと、前立て部位等入り部２４７ａに連絡して該２４７ａから掛け部２４５ａ内に延びるように形成された前開き着衣のボタンのボタン縫い止め糸が入り該縫い止め糸に掛かるボタン縫い止め糸入れ掛り部２４８ａと、前立て部位等入り部２４７ｂに連絡して該２４７ｂから掛け部２４５ｂ内に延びるように形成された前開き着衣のボタンのボタン縫い止め糸が入り該縫い止め糸に掛かるボタン縫い止め糸入れ掛り部２４８ｂと、掛け部２４５ａ、保持部２４６、掛け部２４５ｂを一体的に連絡してなる連絡部２４９とからなっている。
保持部２４６には保持側面ファスナ６が設けられているが、ケース、フック、磁石などの携帯品を着脱自在に保持する他の携帯品着脱保持手段でもよい。また保持部２４６を携帯品に設けたフックを掛けるフック掛け部とするのもよい。この考え方は前述しおよび後述する実施の形態に殆ど全てに適応されるものである。
上下対象の形態となっているので、着衣の前立て部位が逆向きの男女のワイシャツにも、表面を表にしたまま半回転させることにより、いずれのワイシャツにも対応できる男女兼用を実現している。
携帯品はネックストラップによりさげたものでもよいが、図示した一本紐でその長さを調節できる調節手段２５０を具え該２５０の位置を好みの位置にできるストラップ２５１が好適である。
クリップ１０６を前開き着衣の前立て部位上方に止め、紐８７を首に廻して松葉２３つけた携帯品を垂れ下げ、携帯品振れ止め保持具２４４に保持する、腰ベルトにつけた携帯品振れ止め保持具２４４にクリップ１０６を前開き着衣の前立て部位上方に止めそのまま松葉２３つけた携帯品を垂れ下げ、携帯品振れ止め保持具２４４に保持するなど多様な使用を選択することができる。
使用例を図７０により説明する。
（ａ）（ｂ）前開き着衣のボタン部位に掛けた状態図と、それに携帯電話を保持させた状態図。
（ｃ）（ｄ）前開き着衣の胸ポケットに掛けた状態図と、それに携帯電話を保持させた状態図。
（ｅ）（ｆ）腰ベルトに掛けた状態図と、それに携帯電話を保持させた状態図。
【００７２】
＜第６１の実施の形態＞
図７１に示す本発明を実施するための最良の第６１の実施の形態において前記第６０の実施の形態と主に異なる点は、保持体本体３の側部にカードケース２５４を設けてなる携帯品振れ止め保持具２５５を形成した点にある。
【００７３】
＜第６２の実施の形態＞
図７２に示す本発明を実施するための最良の第６２の実施の形態において前記第６０の実施の形態と主に異なる点は、前立て部位等入り部２４７ａ、２４７ｂのボタン縫い止め糸入れ掛り部の２４８ａ、２４８ｂから入り口側を殆ど切り込み状態とした狭い通り部２５９とし、保持部６側を突出させてなる突出部２５７を形成してなる携帯品振れ止め保持具２５８を形成した点にある。突出部２５７は掛け部側を突出させても、両側を突出させてもよい。
前屈みになっても保持した携帯電話の重量では狭い通り部２５９が殆ど開かないように、保持体本体３を固めのものとすることにより、クリップ無しでも前屈みになっても突出部２５７に当たり抜けないものとすることができる。
【００７４】
＜第６３の実施の形態＞
図７３に示す本発明を実施するための最良の第６３の実施の形態において前記第６０の実施の形態と主に異なる点は、前開き着衣のボタン縫い止め糸に横から掛かり、保持体本体３が着衣の前立て部位の外側に振れでないようにするための掛かり脚部３０１ａ、３０１ｂを設けてなる携帯品振れ止め保持具３０２を形成した点にある。
【００７５】
＜第６４の実施の形態＞
図７４に示す本発明を実施するための最良の第６４の実施の形態において３０４は携帯品振れ止め保持具であって、この携帯品振れ止め保持具３０４はプレート状の保持体本体３と、この保持体本体３の下方に設けられたクリップ３０５と、このクリップ３０５に設けられた前開き着衣の前立て部位の内側に差し込まれる側に設けられた前開き着衣のボタンのボタン縫い止め糸に乗り掛かる凹形態のボタン部位掛り部３０６とからなっている。
クリップは保持体本体３を折り曲げて形成したもの、射出成形による一体成形により形成したものなどもふくむものである。射出成形による一体成形の場合、保持側面ファスナやフック掛けやケース（複数の爪などでケースと同じように保持する形態を含む）も同時に一体成形するのが安価にできる。
クリップ摘み部３０７が保持体本体３と一体成形により横に突出前方に傾いて設けられ、これにストレート板部材からなるクリップ３０５が付勢手段３０３に閉じ付勢された状態で軸支部３００に取り付けられた構成となっている。クリップ３０５には滑り止めの突起を１以上設けるのがよい。
このような形態の二つの挟持板からんるクリップ部材を、保持体本体の裏側ないし表側に接着、融着するなどして設けるのもよい。凹形態のボタン部位掛り部３０６が無いストレートな形態のものもよい。これらのことは、他の実施の形態においても適用されるものである。
このような形態のクリップとすることにより、身体に当る突起の無い、違和感を与えない形態を実現する。
【００７６】
＜第６５の実施の形態＞
図７５に示す本発明を実施するための最良の第６５の実施の形態において前記第６０の実施の形態と主に異なる点は、保持体本体３の連絡部２４９から側方に突出するように着脱手段３０８の雌側パーツ３０９を接着ないし融着あるいは一体成形により設け、この雌側パーツ３０９に長い松葉２３（細い携帯品取り付け紐）を設けた雄側パーツ３１０を着脱自在としてなる携帯品振れ止め保持具３１１を形成した点にある。
【００７７】
＜第６６の実施の形態＞
図７６に示す本発明を実施するための最良の第６６の実施の形態において前記第６０の実施の形態と主に異なる点は、保持体本体３の連絡部２４９の略中央側方に突出するように着脱手段３０８の雄側パーツ３１０（一方のパーツ）を該３と射出成形により一体成形により設け、裏側にクリプ１０７のクリップ取付部３１３を設け、雄側パーツ３１０に長い松葉２３（携帯品取付け手段）を設けた雌側パーツ３０（他方のパーツ）９を着脱自在としてなる携帯品振れ止め保持具３１４を形成した点にある。
クリップ取付部３１３には一枚板からなるクリップ１０７をスプリングにより閉じ付勢力をつけた状態で取り付ける。
第６５の実施の形態および第６６の実施の形態のように、裏側に着衣の前立て部位を挟持するクリップ（クリップ１０７等）を設けてなる構成においては、ボタン縫い止め糸入れ掛り部２４８ａ、２４８ｂを設けない引っ掛かりの無いストレートな前立て部位等入り部２４７ａ、２４７ｂとするのもよい。このように前述したあるは後述する実施の形態において前立て部位等入り部を有する振れ止め保持具の形態においては、着衣の前立て部位１９を挟持するクリップを設けることが振れ外れの起きない携帯を実現するものであり、クリップを設けた構成においてはを、ボタン縫い止め糸入れ掛り部を設けない形態とするのが、その分上下幅の狭い形態を実現するので好ましい。
【００７８】
＜第６７の実施の形態＞
図７７に示す本発明を実施するための最良の第６７の実施の形態において３１６は携帯品振れ止め保持具であって、この携帯品振れ止め保持具３１６はプレートからなる保持体本体３と、この保持体本体３の上部に形成された前開き着衣のボタンを指で摘み布地も少し引き入れ通して容易に該ボタンを着衣の前立て部位のボタン止め穴に入れる大きさ（略１５ｍｍ〜３０ｍｍ（図のものは略２５ｍｍ）程度の穴が適当）の四角形（形状は円、多角など多様）の穴からなるボタン引き出し開口３１７と、このボタン引出し穴３１７の上部に凹形成されたボタン縫い止め糸を入れ乗り掛かるボタン縫い止め糸入れ掛り部３１８と、保持体本体３の下部に設けられたボタン縫い止め糸が通されて保持体本体３の下方が横前後振れしないように係止されるためのボタン縫い止め糸通し係止部３１９と、このボタン縫い止め糸通し係止部３１９の下方を形成し且つ保持体本体３が衿側に移動した場合にボタン縫い止め糸に当り掛ってその移動を阻止する抜け防止部３２０と、ボタン引き出し開口３１７とボタン縫い止め糸通し係止部３１９の間に着衣の前立て部位から露出する部位を融着や接着（接合部３２２）により固定して設けられた携帯品を保持するプレートとからなる保持部３２１と、この保持部３２１に設けられた保持側面ファスナ６とからなっている。
保持部３２１は保持体本体３の一部を突出させそれを折り曲げて形成したり、射出成形により一体成形するのもよい。
【００７９】
＜第６８の実施の形態＞
図７８に示す本発明を実施するための最良の第６８の実施の形態において前記第６７の実施の形態と主に異なる点は、保持部を保持体本体３に着衣の前立て部位を避け通す適宜な上下幅で前立て部位等入り部３２５ａ、３２５ｂを設け、前立て部位等入り部３２５ａと３２５ｂの間に形成した保持部３２６としてなる携帯品振れ止め保持具３２７を形成した点にある。
【００８０】
＜第６９の実施の形態＞
図７９に示す本発明を実施するための最良の第６９の実施の形態において前記第６０の実施の形態と主に異なる点は、保持部２４６に保持板３２９を連絡部（露出部）２４９に重なる部位を融着や接着などにより固定して設け、保持板３２９の先端には抑え突起３３０が設けられ、突起３３０により持ち上げ反らされた保持板３２９の押さえ付勢力が形成され、保持板３２９には保持側面ファスナ６が設け、前立て部位等入り部２４７ａ、２４７ｂをボタン縫い止め糸通し部３３２ａ、３３２ｂとしてなる携帯品振れ止め保持具３３１を形成した点にある。
突起３３０に変えてゴムなどの滑り止め部材を設けるのもよい。
前立て部位等入り部２４７ａ、２４７ｂはボタン縫い止め糸入れ掛り部２４８ａ、２４８ｂまでの通し部でよい。
【００８１】
＜第７０の実施の形態＞
図８０に示す本発明を実施するための最良の第７０の実施の形態において前記第６９の実施の形態と主に異なる点は、保持板３２９を保持体本体３の側部を延長した部位を折り曲げて形成してなる携帯品振れ止め保持具３３３を形成した点にある。
【００８２】
＜第７１の実施の形態＞
図８１に示す本発明を実施するための最良の第７１の実施の形態において前記第７０の実施の形態と主に異なる点は、保持板を連絡部全体を延長して折り曲げてなるこ保持板３３５としてなる携帯品振れ止め保持具３３６を形成した点にある。
【００８３】
＜第７２の実施の形態＞
図８２に示す本発明を実施するための最良の第７２の実施の形態において前記第６０の実施の形態と主に異なる点は、保持部２４６を根元部位で折奥まらせてボタン縫い止め糸入れ掛り部２４８ａ、２４８ｂとの前後に１．５ｍｍ〜３ｍｍ程度の隙間３３８を形成し、この隙間３３８を裏側から埋めるように滑り止めようの凸凹を有する保持板３３９を設けてなる携帯品振れ止め保持具３４０を形成した点にある。
隙間３３８により腰ベルトのような厚みのあるものにも保持体本体３を変形させることなく容易に係止でき、且つ、保持板３３９により着衣の前立て部位や胸ポケット縁の挟持を容易には滑り動かないように挟持することができる。
少し激しい身体動作では携帯電話（重量１２０グラム程度）が動かない摩擦抵抗を得るために、ゴムなどの適度な滑り止め部材を設けるのもよい。
滑り止めようの凸凹は先端側に１つ２つ程度の突起でもよい。
【００８４】
＜第７３の実施の形態＞
図８３に示す本発明を実施するための最良の第７３の実施の形態において前記第６８の実施の形態と主に異なる点は、上下に対称形態のボタン引き出し開口３１７ａ、３１７ｂを設けてなる携帯品振れ止め保持具３４２を形成した点にある。
【００８５】
＜第７４の実施の形態＞
図８４に示す本発明を実施するための最良の第７４の実施の形態において前記第７３の実施の形態と主に異なる点は、ボタン引き出し開口を前立て部位等入り部３２５ａ、３２５ｂと全面連絡した形態としたボタン引き出し開口３４４ａ、３４４ｂとしてなる携帯品振れ止め保持具３４５を形成した点にある。
【００８６】
＜第７５の実施の形態＞
図８５に示す本発明を実施するための最良の第４５の実施の形態において前記第４５の実施の形態と主に異なる点は、掛け部２４５ａ、２４５ｂを延長して裏側に折り曲げて内着衣の前立て部位に掛る内着衣の前立て部位掛り部３４７ａ、３４７ｂを設けてなる携帯品振り止め保持具３４８を形成した点にある。
【００８７】
＜第７６の実施の形態＞
図８６に示す本発明を実施するための最良の第７６の実施の形態において前記第６０の実施の形態と主に異なる点は、保持部２４６をフック掛け部３５０として携帯品４の裏側に設けられたフック３５１を掛けて携帯品４を保持するようにし、フック３５が横滑りしても止められて外れないようにするために保持部２４の先方を上下に突出させフック止め部３５２ａ、３５２ｂを設けてなる携帯品振り止め保持具３５３を形成した点にある。
フック３５は下方の掛け部に重なるようにする長さとすることにより、前屈みなっても携帯品の重量で保持部２４６が反り離れようとしても下方の掛け部に止められて離れないので、携帯品振り止め保持具３５３が移動してもボタン部位で止められる。
【００８８】
＜第７７の実施の形態＞
図８７に示す本発明を実施するための最良の第７７の実施の形態において前記第４５の実施の形態と主に異なる点は、ボタン引き出し開口３４４ａ、３４４ｂの内側辺を連結してなる内側辺連結部３５５（前立て部位等内側差込部）を形成し、この内側辺連結部３５５から切り離されてその内側に位置されるように保持部３２６を配置してなる携帯品振れ止め保持具３５６を形成した点にある。
このような構成も本願発明の技術的範疇に入る。
【００８９】
＜第７８の実施の形態＞
図８８に示す本発明を実施するための最良の第７８の実施の形態において３５８は携帯品振れ止め保持具であって、この携帯品振れ止め保持具３５８は、略四角形の板材からなる保持体本体３と、この保持体本体３の縦方向の一方側を形成する上方に位置する場合に前開き着衣の前立て部位内側に差し込まれる掛け部３５９ａ（前立て部位等内側差込部）と、保持体本体３の縦方向の他方側を形成する上方に位置する場合に前開き着衣の前立て部位内側に差し込まれる掛け部３５９ｂ（前立て部位等内側差込部）と、掛け部３５９ａと掛け部３５９ｂの間に形成された前開き着衣の前立て部位を避け通すための前立て部位等入り部３６０と、この前立て部位等入り部３６０の中途から該３６０と連絡して掛け部３５９ａ側に凹形成された前開き着衣のボタンのボタン縫い止め糸を通し該ボタン縫い止め糸に垂れ掛るボタン縫い止め糸入れ掛り部３６１ａと、前立て部位等入り部３６０の中途から該３６０と連絡して掛け部３５９ｂ側に凹形成された前開き着衣のボタンのボタン縫い止め糸を通し該ボタン縫い止め糸に垂れ掛るボタン縫い止め糸入れ掛り部３６１ｂと、掛け部３５９ａと掛け部３５９ｂを連絡する前開き着衣の前立て部位外に露出する連絡部３６２と、掛け部３５９ｂの表側に設けら面ファスナを設けた携帯品を着脱自在に保持する保持側面ファスナ３６３ａと、掛け部３５９ｂの表側に設けら面ファスナを設けた携帯品を着脱自在に保持する保持側面ファスナ３６３ｂとからなっている。
前開き着衣の前立て部位の逆の男女兼用形態を実現するとともに、前立て部位等入り部を一箇所共通としたことにより、保持体本体のコンパクト化を実現した。
身体を深く屈めた姿勢となっても保持した携帯電話の重量によって、重心がボタン部位よりもかなり下方となるので、下方が前方向きに垂れようとするので、激しい動作をしてもボタン部位への垂れ吊り状態が外れることはない。
前開き着衣の前開きはボタン止め穴が設けられた前に位置する着衣の前立て部位と、該着衣の前立て部位が重なるボタンが縫い付けられた内側に位置する内立てとからなっている。
携帯品振れ止め保持具３５８の掛け部３５９ａ、３５９ｂの先端は延長されて内側に折り曲げられた形態で内立てが入って携帯品振れ止め保持具３５８の下方が振れを抑えるようにするための内立て入り部３６６ａ、３６６ｂが一体的（別部材の接合などでもよい）に形成されたり張り付けられたりして設けられている。
【００９０】
＜第７９の実施の形態＞
図８９に示す本発明を実施するための最良の第７９の実施の形態において前記第７８の実施の形態と主に異なる点は、保持側面ファスナ３６３ａ、３６３ｂの配置の仕方を、ボタン縫い止め糸入れ掛り部３６１ａ、３６１ｂの左右を囲うように設けてなる携帯品振れ止め保持具３６５を形成した点にある。
よりコンパクト化を実現している。
【００９１】
＜第８０の実施の形態＞
図９０に示す本発明を実施するための最良の第８０の実施の形態において前記第７８の実施の形態と主に異なる点は、保持体本体３より上下に略同じ、正面図右側が少し短い形態（保持体本体３が背部から突出した形態）保持板３６７で保持体本体３を覆い形態とし、連絡部３６２部位で融着や接着などで接合した接合部３６８として保持板（保持部）３６７と保持体本体３の間に着衣の前立て部位を入れる形態とした前立て部位等内側差込部、保持板３６７の略上下全長にわたって保持側面ファスナ６を設け、保持体本体３全体と保持板３６７の間全部に着衣の前立て部位を差込み、ボタン縫い止め糸をボタン縫い止め糸通し部３７０に通しボタン縫い止め糸入れ掛り部３６１ａ、３６１ｂのいずれかをボタン縫い止め糸に垂れかけるようにした携帯品の振れ止め保持具３６９を形成した点にある。
保持体本体３の略全体と保持板３６７の略全体で着衣の前立て部位を挟みつける形態であるので、身体を深く屈めた姿勢となっても保持した携帯電話の重量によって、ボタン部位は保持体本体３と保持板３６７で挟持が維持され、且つ、重心がボタン部位よりもかなり下方となるので、下方が前方向きに垂れようとするので、激しい動作をしてもボタン部位への垂れ吊り状態が外れることはない。
保持体本体３の略全体と保持板３６７の略全体での着衣の前立て部位の挟みつけにより、３部材（保持体本体３、着衣の前立て部位、保持板３７１）の簡易摩擦が生じ滑り動き難い状態が形成されているので、通常の歩行動作においては着衣の前立て部位から下方が滑り外れることは殆ど無く、横振れのない安定した軽快な形態を実現する。
保持板３６７の上下長さや横長さは保持体本体より短い場合や、長い場合など多様な形態が採用できる。
【００９２】
＜第８１の実施の形態＞
図９１に示す本発明を実施するための最良の第８１の実施の形態において前記第７８の実施の形態と主に異なる点は、保持体本体３の連絡部３６２を該３より上下に長く、正面図右が少し短い形態（保持体本体３が背部から突出した形態）保持板３７１を連絡部３６２部位で折り曲げた形態で設けて保持板３７１で保持体本体３を覆い形態とし、保持板３７１の略上下全長にわたって保持側面ファスナ６を設け、保持体本体３全体と保持板３６７の間全部に着衣の前立て部位を差込みボタン縫い止め糸入れ掛り部３６１ａ、３６１ｂのいずれかをボタン縫い止め糸に垂れかけるようにした携帯品の振れ止め保持具３７２を形成した点にある。
保持板３７１と連絡部３６２部位の折り曲げは、一枚板部材で展開した形態で形成し後で折り曲げる形態、射出成形による一体成形により最初から折り曲げ形態で形成するものがあり、一体成形の場合は保持側面ファスナ６もその一体成形により形成するのがよい。
保持体本体３の略全体と保持板３７１の略全体で着衣の前立て部位を挟みつける形態であるので、身体を深く屈めた姿勢となっても保持した携帯電話の重量によって、ボタン部位は保持体本体３と保持板３７１で挟持が維持され、且つ、重心がボタン部位よりもかなり下方となるので、下方が前方向きに垂れようとするので、激しい動作をしてもボタン部位への垂れ吊り状態が外れることはない。
保持体本体３の略全体と保持板３７１の略全体での着衣の前立て部位の挟みつけにより、３部材（保持体本体３、着衣の前立て部位、保持板３７１）の簡易摩擦が生じ滑り動き難い状態が形成されているので、通常の歩行動作においては着衣の前立て部位から下方が滑り外れることは殆ど無く、横振れのない安定した軽快な形態を実現する。
【００９３】
＜第８２の実施の形態＞
図９２に示す本発明を実施するための最良の第８２の実施の形態において前記第１の実施の形態と主に異なる点は、全てを１本針金部材からなる保持体本体３７４で形成したもので、着脱保持手段を面ファスナではなくフック掛け部３７５ａ、３７５ｂの２箇所設けてなる携帯品振れ止め保持具３７６を形成した点にある。
【００９４】
＜第８３の実施の形態＞
図９３に示す本発明を実施するための最良の第８３の実施の形態において前記第７３の実施の形態と主に異なる点は、保持部３２６に変えて、保持体本体３の側部側から折り畳まれるように形成された該３と一体成形により形成された保持板（保持部）３８０を設けてなる携帯品振れ止め保持具３８１を形成した点にある。
保持体本体３と保持板３８０の間には前立て部位等内側差込部３６４が形成されている。
【００９５】
＜第８４の実施の形態＞
図９４に示す本発明を実施するための最良の第８４の実施の形態において前記第７８の実施の形態と主に異なる点は、保持体本体３の側部を延長して折り曲げたように形成してなる保持板（保持部）３８３を設け該３８３に保持側面ファスナ６を設けるようにし、保持板３８３の上方と下方に保持体本体３の側部を延長して折り曲げ保持板３８３の影響を受け以内ように該３８３と分離形成してなるボタンの下方に被せたり裏に入れたりすることができるボタン係り部３８４ａ、３８４ｂを設けてなる携帯品振れ止め保持具３８５を形成した点にある。
保持体本体３と保持板３８３、ボタン係り部３８４ａ、３８４ｂの間には前立て部位等内側差込部３６４が形成されている。
ボタン係り部３８４ａ、３８４ｂは携帯品を保持した保持板３８３が該携帯品の重量影響を受けて前方に動くことがあっても、該３８３と分離形態にあるボタン係り部３８４ａ、３８４ｂはその影響を受けることなく、ボタンを抑えたりボタンの裏側に入った状態が維持されるので、ボタン部位への垂れ掛係止状態が外れることが無い形態を実現している。
【００９６】
＜第８５の実施の形態＞
図９５に示す本発明を実施するための最良の第８５の実施の形態において３８７は携帯品振れ止め保持具であって、この携帯品振れ止め保持具３８７は、略半円形（全体的には熊の頭部形態をイメージ）の保持体本体３と、この保持体本体３の略半円形部位の内側に略半円形に抜き取られ形態を形成する幅略４ｍｍのボタン縫い止め糸入れ掛り部３８８ａ、３８８ｂと、このボタン縫い止め糸入れ掛り部３８８の外周に形成される半リング形態を形成する幅略７ｍｍの外周部３８９ａ、３８９ｂ（前立て部位等内側差込部）と、この外周部の略中央を切り離して開口されたボタン縫い止め糸をボタン縫い止め糸入れ掛り部３８８に通すためのボタン縫い止め糸通し部３９０と、ボタン縫い止め糸入れ掛り部３８８の内側に形成された半円形形態の保持部３９１とからなっている。
外周部３８９を着衣の前立て部位の内側に保持部３９１を着衣の前立て部位の表側に出し、外周部３８９と保持部３９１とで着衣の前立て部位を挟持するように装着する。
前開き着衣に装着した状態において、ボタンの裏側に保持部３９１の一部を入れる形態となっていて、こうすることにより容易には外れない、且つ、振れを抑える形態を実現している。
全体形状は円形形態に限定されず、四角形態、楕円形態など多様な形態がある。
また、外周部３８９ａ、３８９ｂ（前立て部位等内側差込部）は一体的に繋がれたボタン縫い止め糸通し部３９０を設けない、すなわちボタン縫い止め糸の垂れ掛りができない構成とし、裏側に着衣の前立て部位を挟持するクリップを設けた構成とするのもよい。この形態では着衣の前立て部位の内側に差し込まれた状態において、前立て部位等内側差込部が繋がった構成であるため、抑えの利いた状態が得られるという効果を得ることができる。保持体本体３の上下の外周部にボタン縫い止め糸に乗り掛る下部凹部やボタン縫い止め糸を下方から嵌る上部凹部を設けたり、ボタン縫い止め糸に内側横から当接することのできる突起や段差を設けるのもよい。
【００９７】
＜第８６の実施の形態＞
図９６に示す本発明を実施するための最良の第８６の実施の形態において３９３は携帯品振れ止め保持具であって、この携帯品振れ止め保持具３９３は長方形板形態の保持体本体３と、この保持体本体３の一方の側を形成する前開きの横に露出する保持部３９４と、前開きの内側に入れられる前開き入り部３９５と、この前開き入り部の上部、下部を形成する掛け部２４５ａ、２４５ｂと、前開き入り部３９５の側部に適宜な間隔を空けて形成されたボタン縫い止め糸通し部２７０ａ、２７０ｂと、このボタン縫い止め糸通し部２７０ａ、２７０ｂに連絡されて掛け部２４５ａ、２４５ｂ側に凹形成されたボタン縫い止め糸入れ掛り部３６１ａ、３６１ｂとからなっている。
【００９８】
＜第８７の実施の形態＞
図９７に示す本発明を実施するための最良の第８７の実施の形態において６４１は携帯品振れ止め保持具であって、この携帯品振れ止め保持具６４１は保持体本体６４８と、この保持体本体６４８の上部を形成する掛け部６４９ａ（前立て部位等内側差込部）と、保持体本体６４８の下部を形成する掛け部６４９ｂ（前立て部位等内側差込部）と、掛け部６４９ａと掛け部６４９ｂの間に形成された携帯品を保持する部位となる保持部６５０と、掛け部６４９ａと保持部６５０の間に形成された前開き着衣の前立て部位を避け通すための略２ｍｍ幅の前立て部位等入り部６５１ａと、掛け部６４９ｂと保持部６５０の間に形成された前開き着衣の前立て部位を通すための前立て部位等入り部６５１ｂと、前立て部位等入り部６５１ａに連絡して該６５１ａから掛け部６４９ａ内に延びるように形成された前開き着衣のボタンのボタン縫い止め糸が入り該縫い止め糸に掛かるボタン縫い止め糸入れ掛り部６５２ａと、前立て部位等入り部６５１ｂに連絡して該６５１ｂから掛け部６４９ｂ内に延びるように形成された前開き着衣のボタンのボタン縫い止め糸が入り該縫い止め糸に掛かるボタン縫い止め糸入れ掛り部６５２ｂと、掛け部６４９ａ、保持部６５０、掛け部６４９ｂを一体的に連絡してなる連絡部６５３とからなっている。
保持部６５０には保持側面ファスナ６が設けられている。
【００９９】
＜第８８の実施の形態＞
図９８に示す本発明を実施するための第８８の実施の形態において４００は携帯品の振れ止め保持具であって、この携帯品振れ止め保持具４００はワイシャツなどのボタン合わせの前開き着衣の前立て部位の前部あるいは横に携帯電話等の携帯品４を保持する保持部４０１を具備する保持体本体４０２と、保持部４０１の上部側に設けられた着衣の前立て部位の内側に差し込まれる前立て部位等内側差込部４０３ａ、該４０１の下部側に設けられた前立て部位等内側差込部４０３ｂと、保持部４０１と前立て部位等内側差込部４０３ａの間に形成された着衣の前立て部位を避け通すための前立て部位等入り部４０４ａ、該４０１と前立て部位等内側差込部４０３ｂの間に形成された着衣の前立て部位を避け通すための前立て部位等入り部４０４ｂと、保持部４０１に設けた保持側面ファスナ４０５（着脱保持手段）と、保持体本体４０２に設けられた着衣の前立て部位を挟持するためのクリップ４０６と、前立て部位等内側差込部４０３ａに前立て部位等入り部４０４ａに連絡する該４０３ａに通されたボタン縫い止め糸が嵌るボタン縫い止め糸嵌り部４０６ａ、前立て部位等内側差込部４０３ｂに前立て部位等入り部４０４ｂに連絡する該４０３ｂに通されたボタン縫い止め糸が嵌るボタン縫い止め糸嵌り部４０６ｂとからなり、クリップ４０７の着衣の前立て部位の挟持力が、２００グラム位の重さの携帯電話を保持した状態で、通常の動作による振れでは容易には下降したり外れたりすることがない強い挟持力や挟持状態ロック式や滑り止め付きなどのものであることを特徴としている。
クリップ４０７の強力な着衣の前立て部位の挟持と、前立て部位等内側差込部４０３ａおよび前立て部位等内側差込部４０３ｂの着衣の前立て部位内側からの抑えと着衣の前立て部位縁の抑えとにより携帯品保持体６９６に保持した携帯品の振れを抑えた安定した保持携帯を実現する。
クリップ４０７の強い挟持力により着衣の前立て部位のどの部位にでも携帯品振れ止め保持具４００を止め保持することができ安定した使用を得ることができるが、さらに、ボタン縫い止め糸嵌り部４０６ａあるいは４０６ｂへのボタン縫い止め糸の嵌めにより、横に出ようとする動きを確実に抑制してより振りの抑えられたより安定した携帯を実現するし、クリップ４０７の挟持が甘かったり破損したりして外れた場合でも、ボタン縫い止め糸に掛り吊り状態となって着衣上に保持されるので安全性も高くなる。また、クリップ４０７で降下しないように保持されているので、ボタン縫い止め糸がボタン縫い止め糸嵌り部４０６ａあるいは４０６ｂに嵌っていても、そのボタン縫い止め糸に荷重が掛ることは殆ど無く、糸をすり減らすなどの弊害を起こさない。
クリップ４０７は、ベース部４０８と、該４０８の左右に立ち上げ設けられた対の軸受け板４０９と、この軸受け板４０９に設けられた対のハンドル軸受部４１０と、ハンドル軸受け部４０９の後部上方に設けられた対の挟持爪軸受け部４１１と、挟持爪軸受け部４１１に軸支されて開き動作および閉じ挟持動作をする挟持爪４１２と、ハンドル軸受け部４１０に軸支されて指により上げ回動動作および下げ回動動作するハンドル４１３とからなっていて、ハンドル４１３の腹部位と挟持爪４１２の変形湾曲尻部位は連動していて、ハンドル４１３の下げ回動させると挟持爪４１２の尻部位は押されて閉じ挟持状態となり、ハンドル４１３を下ろし切ると挟持爪４１２はロック状態となり閉じ状態が容易には開かない、挟持爪４１２の歯により布を抑えているがそれは強力な付勢挟持力というより、適当な付勢挟持力とロックにより挟持爪４１２が開かないことによる強い挟持力である。当然のことながら挟持付勢力は布などの挟持物の厚さにより違うことはいうまでもない。４１５は紐通し穴。
クリップ４０７の強い挟持力と前立て部位等内側差込部４０３ａおよび前立て部位等内側差込部４０３ｂあるいはいずれか一方の内側差込により胸ポケットの縁端への取り付け保持、エプロン前上縁への取り付け保持、パンツ縁や腰ベルトへの取り付け保持などもできる。
携帯品４は背部ないし前部に携帯側面ファスナ２１を設けて、ネックストラップやクリップ４０７ａおよび松葉２３付のハーフストラップ４１６などで保持具や操作中の落下があっても地面に落下しない手立てをとって使用する。
クリップを複数上下に適宜な間隔をあけて設けるのもよい。
二つの携帯品振れ止め保持具を着衣の前立て部位に装着し、下方に携帯電話を保持し、上方にカードを保持する、二つの携帯電話を保持携帯するなどのこともできる。
【０１００】
＜第８９の実施の形態＞
図９９に示す本発明を実施するための第８９の実施の形態において前記第８８の実施の形態と主に異なる点は、ボタン縫い止め糸嵌り部４０６ａ、４０６ｂを設けず、前立て部位等内側差込部４０３ａ、４０３ｂの外側にボタン縫い止め糸嵌り部４１９ａ、４１９ｂを設け、保持体本体４０２、クリップ４０７のベース部４０８および保持側面ファスナ４０５を一体成形により一体成形により形成し、ハーフストラップ４１６の紐８７をロングにしたロングストラップ４２０を紐通し穴４１５に移動自在にとしてなる携帯品振れ止め保持具４２１を形成した点にある。
クリップ４０７はベース部４０８に挟持爪４１２とハンドル４１３を取り付ける。
【０１０１】
＜第９０の実施の形態＞
図１００に示す本発明を実施するための第９０の実施の形態において４２５は携帯品振れ止め保持具であって、この携帯品振れ止め保持具４２５は硬質製合成樹脂部材プレート（例えばポリプロピレン）からなる保持体本体４２６と、この保持体本体４２６にあけられた略コの字形状の打抜部４２７と、この打抜部４２７により該４２７のより外側に形成されたコの字形状の主に着衣の前立て部位の内側に差し込まれる前立て部位等内側差込部４２８と、打抜部４２７により該４２７の内側に形成された携帯品保持部４２９と、この携帯品保持部４２９の表側に設けられた保持側面ファスナ６と、携帯品保持部４２９の裏側に設けられた主に着衣の前立て部位を挟持するためのクリップ４３０と、前立て部位等内側差込部４２７の上部に形成されたボタン縫い止め糸に内横から当るボタン縫い止め糸上当り部４３１ａと、前立て部位等内側差込部４２７の下部に形成されたボタン縫い止め糸に内横から当るボタン縫い止め糸下当り部４３１ｂとからなっている。
クリップ４３０は着衣の前立て部位が当ることなくスムーズにクリップ４３０の挟持部位に入るように、保持体本体４２６にクリップのベース側や軸受けを一体的に形成して、段差が全く無いようにするとか、クリープのベース部分を薄くするとか、クリップのベースの開口唇部分にテーパーを付けるなどにするのがよい。
【０１０２】
＜第９１の実施の形態＞
図１０１に示す本発明を実施するための第９１の実施の形態において４３４は携帯品振れ止め保持具であって、この携帯品振れ止め保持具４３４は、プレート形態の保持体本体４３５と、この表側に設けられた保持側面ファスナ６と、保持体本体４３５の裏側に設けられた主に前開き着衣の前立て部位を挟持するクリップ４３６と、保持体本体４３５に繋がれたハーフサイズの吊り紐４３７と、この吊り紐４３７の先端に設けられたクリップ４３８とからなっている。
保持体本体４３５を着衣の前立て部位の好みの高さ位置に係留し、吊り紐４３７が略張る位置でクリップ４３８で着衣の前立て部位を挟持してセットする。
携帯品４は図のように移動リング４３９を有するハーフストラップ４４０を該４３９を吊り紐４３７に移動自在に取り付けて携帯する。
保持体本体４３５は吊り紐４３７に吊られて傾いたり落ちたりしないようにクリップ４３６との共同し支持により保持される。
携帯品はネックストラップにより首から下げて携帯することもできる。
保持体本は本発明の実施の形態で示した他の携帯品振れ止め保持具を使用することも出来ることはいうまでもない。
【０１０３】
＜第９２の実施の形態＞
図１０２に示す本発明を実施するための第９２の実施の形態において前記第９１の実施の形態と主に異なる点は、吊り紐４３７をロングサイズの吊り紐４４４に変えてなる携帯品の振れ止め保持具４４５を形成した点にある。
吊り紐４４４を首に廻し掛け、保持体本体４３５を着衣の前立て部位の好みの部位への保持、胸ポケット、横ポケット、エプロンの腕前縁、パンツの縁などにクリップ４３６で係留し、吊り紐４４４が略張る位置でクリップ４３８で着衣の前立て部位など着衣の適当な部位を挟持してセットする。
【０１０４】
＜第９３の実施の形態＞
図１０３、図１０４に示す本発明を実施するための最良の第９３の実施の形態において４５０は携帯品振れ止め保持具であって、この携帯品振れ止め保持具４５０はネクタイピンとしての機能を果たす形態である。
携帯品振れ止め保持具４５０は横長プレート形態の保持体本体４５１と、この保持体本体４５１を挟むように設けられた前立て部位等内側差込部４５２ａ、４５２ｂと、この前立て部位等内側差込部４５２ａ、４５２ｂと保持体本体４５１の間に形成された前立て部位等入り部４５３ａ、４５３ｂと、保持体本体４５１の前部に真っ直ぐに垂れ下がったネクタイを通し支持するネクタイ入り支持部４５４を形成して設けられた携帯品保持部４５５（保持部）と、この携帯品保持部４５５の表側に設けられたフック面ファスナ４５６と、保持体本体４５１の裏側に設けられたワイシャツの着衣の前立て部位を挟み付け係止するクリップ４５７（クリップ）とからなっている。
図ではネクタイ入り支持部４５４は一方を開放しているが両側を閉じた上方からネクタイを通し入れる形態もよい。また、図とは反対側を開放したものもよい。
図１０４の（ａ）
着衣の前立て部位をクリップ４５７で挟み付け係止する。
前立て部位等内側差込部４５２ａ、４５２ｂを着衣の前立て部位の内側に入れる。
図１０４の（ｂ）
ネクタイ４５９をネクタイ入り支持部４５４に通す。
図１０４の（ｃ）
ネックストラップである携帯品の携帯補助具４６０に繋ぎ保持した携帯電品４を首から下げて、面ファスナ２１と面ファスナ４５６を係着して携帯品振れ止め保持具４５０に保持している。
図１０４の（ｄ）
携帯品振れ止め保持具４５０から携帯電品４を剥がし外して通話を行っている。
保持部の裏側にプレート（保持体本体４５１）を設けその間にネクタイを入れ支持するネクタイ入れ支持部を形成する形態は、本実施例以外の他の実施例についてもいえるものである。
【０１０５】
＜第９４の実施の形態＞
図１０５に示す本発明を実施するための最良の第９４の実施の形態において前記第９３の実施の形態と主に異なる点は、保持体本体４５１の端側上下にクリップで挟み付けるクリップ挟持部４６２ａ、４６２ｂを設け、前立て部位等内側差込部４５２ａ、４５２ｂを先端部位で連結して携帯品保持部４５５を囲う形態となっていて、前立て部位等内側差込部４５２ａを幅広形態としてワイシャツの着衣の前立て部位のボタンのボタン縫い止め糸が嵌る凹形態のボタン縫い止め糸嵌り部４６３ａ、４６３ｂを設けてなる携帯品振れ止め保持具４６４を形成した点にある。
吊クリップ４６５を一方に設け、他方にオスパーツ、メスパーツの２部品からなる着脱パーツ４６６を有する幅７ｍｍの平ゴム紐からなる吊紐４６７からなる全長４０ｃｍのハーフストラップ４６８を取り付けて使用する。
吊クリップ４６５はクリップ挟持部４６２ａないし４６２ｂを挟み付けあるいは着衣の前立て部位を挟み付けて、使用状況に対応した係止を行う。
【０１０６】
＜第９５の実施の形態＞
図１０６、図１０７に示す本発明を実施するための最良の第９５の実施の形態において４７０は携帯品振れ止め保持具であって、この携帯品振れ止め保持具４７０は上下幅５０ｍｍ、横幅７５ｍｍの保持体本体３と、この保持体本体３の横幅１５ｍｍの連絡部４７１と、この連絡部４７１の中央から延びた上下幅２２ｍｍ、横幅４０ｍｍの保持部４８３と、連絡部４７１の上部側から延びた上下幅１１ｍｍ、横幅６０ｍｍの前立て部位等内側差込部４７２ａと、連絡部４７１の下部側から延びた上下幅１１ｍｍ、横幅６０ｍｍの前立て部位等内側差込部４７２ｂと、保持部４８３と前立て部位等内側差込部４７２ａの間に形成された上下幅３ｍｍの一端開放空間からなる前立て部位等入り部４５３ａと、保持部４８３と前立て部位等内側差込部４７２ｂの間に形成された上下幅３ｍｍの一端開放空間からなる前立て部位等入り部４５３ｂと、保持部４８３の表面に上下を開口して設けられたフック受け部４７３と、保持体本体３の背部に設けられたクリップ４５７とからなっている。
携帯電話からなる携帯品４の裏側の上方にはループ面ファスナ４７４が設けられ、該４７４の下方にはフック４７５が設けられている。
携帯品４を吊り支持するネックストラップ４７６は、首に掛け下げる紐部材からなるストラップ本体４７７と、このストラップ本体４７７を対で通して首に掛ける部位であるループ４７８を形成し且つストラップ本体４７７上を移動自在且つ係留自在としてなる移動係留体４７９と、この移動係留体４７９の裏側に接着などによ一体化され立ちさげれれたプレートからなる保持部４８０と、この保持部４８０の表面に設けられたフック面ファスナ４８１と、ストラップ本体４７７の下方に垂れ下がる下端をまとめるように取り付けられた松葉２３を有する着脱パーツ４８２とからなっている。
松葉２３に携帯品４を取り付け繋ぎ、携帯品４のループ面ファスナ４７４を移動係留体４７９のフック面ファスナ４８１に係着させて、携帯品４を移動係留体４７９と一体的に移動させ係留することができるように保持させて使用する。
携帯品振れ止め保持具４７０を着衣の前立て部位１９にクリップ４５７により係止し、移動係留体４７９側に保持した携帯品４のフック４７５を差込、ループ面ファスナ４７４とフック面ファスナ４８１に係着させる。
閉じ付勢されているクリップ４５７の先端は折れ曲がった折れ曲がり挟持部位４５８となっていて、着衣を滑り難く挟持するようになっている。
前立て部位等内側差込部４７２ａ、４７２ｂをポリプロピレン製プレートなどの合成樹脂製プレートやステンレス薄板部材などの金属製プレートとしたものは、使用者が前立て部位等内側差込部４７２ａ、４７２ｂの先方を簡単に湾曲状態に指で曲げ形成でき、その身体への当たりを面当たりとしたソフトで違和感の小さいものにできるとう効果を奏する。
【０１０７】
＜第９６の実施の形態＞
図１０８、図１０９に示す本発明を実施するための最良の第９６の実施の形態において前記第１０の実施の形態と主に異なる点は、携帯品振れ止め保持具６１にネクタイの振れを抑えるように係止するネクタイ係止具４８５を着脱自在に係着できるようにした点である。
ネクタイ係止具４８５は、横を開放した前部板４８６と、この前部板４８６より長く幅広の後部板４８７と、一方の側部を開放した前部板４８６と後部板４８７の間に形成されたネクタイを横から通し入れるすネクタイ通し支持部４８８と、前部板４８６の外面に設けられたフック面ファスナ４５６と、後部板４８７の外面に設けられたループ面ファスナ４８９とからなっている。
保持側面ファスナ６をループ面ファスナ４８９に係着させてネクタイ係止具４８５を携帯品の振れ止め保持具６１取り付け、ワイシャツの着衣の前立て部位１９をクリップ６３で係止してワイシャツに携帯品の振れ止め保持具６１＋をネクタイ係止具４８５を係止する。
ネクタイ通し支持部４８８にネクタイを通し振れを抑えるように支持する。ネクタイの表に前部板４８６が位置しているので、そのフック面ファスナ４５６に携帯品４の背部のループ面ファスナ４７４を係着して、ネクタイの上に携帯品４の振れを抑えるように保持する。
【０１０８】
＜第９７の実施の形態＞
図１１０に示す本発明を実施するための最良の第９７の実施の形態において４９１は携帯品振れ止め保持具であって、この携帯品振れ止め保持具４９１は一枚の横長板をネクタイが入る隙間が形成されるように二つ折りにして形成した、あるいは同様な形態となるように射出成形して形成した前部板４９２と、後部板４９３と、前部板４９２と後部板４９３の間に形成されたネクタイを横から通し入れるすネクタイ通し支持部４９４、前部板４８６の外面に設けられたフック面ファスナ４５６と、後部板４８７の外面のネクタイをネクタイ通し支持部４９４通した状態でワイシャツの着衣の前立て部位１９を挟持できる位置に設けたクリップ４５７とからなっている。いわゆる一種のタイピンである.
ネクタイの表に位置したフック面ファスナ４５６に背部にループ面ファスナを設けた携帯電話などを係着保持することができる。
【０１０９】
＜第９８の実施の形態＞
図１１１、図１１２、図１１３に示す本発明を実施するための最良の第９８の実施の形態において４９７は携帯品振れ止め保持具であって、この携帯品振れ止め保持具４９７は上下幅約５０ｍｍ、横幅約１００ｍｍの保持体本体４９８（約１ｍｍ厚のポリプレピレン樹脂製（ＰＰ製）板材などの硬質樹脂製部材）と、この保持体本体４９８の横幅約１５ｍｍの連絡部４９９と、こ連絡部４９９の中央から延びた上下幅約２２ｍｍ、横幅約４０ｍｍの保持部５００と、連絡部４９９の上部側から延びた上下幅約１１ｍｍ、横幅約８５ｍｍの前立て部位等内側差込部５０１ａと、連絡部４９９の下部側から延びた上下幅約１１ｍｍ、横幅約８５ｍｍの前立て部位等内側差込部５０１ｂと、保持部５００と前立て部位等内側差込部５０１ａとの間に形成された上下幅約３ｍｍの端開放空間からなる前立て部位等入り部５０２ａと、保持部５００と前立て部位等内側差込部５０１ｂとの間に形成された上下幅約３ｍｍの端開放空間からなる前立て部位等入り部５０２ｂと、保持部５００の表面に設けられたフック面ファスナ５０４と、保持体本体３の裏面の略中央に保持部５００に挟持部位を入れて設けられたクリップ５０５とからなっている。
{作用・効果}
携帯品振れ止め保持具４９７は着衣の前立て部位等の縁端が前立て部位等入り部５０２ａ、５０２ｂに当たる状態にしてクリップ５０５で前立等を挟持する。したがって着衣の前立て部位等の縁端から前立て部位等内側差込部５０１ａ、５０１ｂは約８５ｍｍ内側に差し込まれた状態にある。この約８５ｍｍという長さはダブダブノ着衣を除いて、一般的なワイシャツやポケットなどにおいては、略１００ｇ〜２００ｇの重さの携帯電話を保持部５００に保持した状態で振れても、前立て部位等内側差込部５０１ａ、５０１ｂがその一方側を身体側に当てその他方側を着衣側に当てた突っ張り状態、つっかえ状態となって、弾性しなり状態が容易に形成され、振れを大きく抑制した振れのより少ない携帯を実現するという効果を奏する。
具体的には、携帯電話が着衣の前立て部位を閉じる側に振れると、保持体本体４９８の端が身体に圧し当たり保持部５００と前立て部位等内側差込部５０１ａ、５０１ｂは前方へ引かれる。その際前立て部位等内側差込部５０１ａ、５０１ｂは着衣に当たり抑えられて、約８５ｍｍという長さから、着衣にその腹全体を押し当て弾性しなり状態（湾曲反り状態）となって、ソフトにその振れ動作の衝撃を吸収する。
逆に携帯電話が着衣の前立て部位を開く側に振れると、前立て部位等内側差込部５０１ａ、５０１ｂの先方の腹が身体に押し付けられての弾性しなり状態となって、ソフトにその振れ動作の衝撃を吸収する。
また、約１ｍｍ厚の硬質性のポリプレピレン樹脂製（ＰＰ製）板材を使用しているので、横幅約１００ｍｍ、横幅約８５ｍｍという前立て部位等内側差込部５０１ａ、５０１ｂの長さによって、ソフトでしなやかな弾性力を持って携帯電話等の振れの衝撃および振れの大きさを抑制するように動作する。
また、携帯電話が身体動作中に横から周囲の物に衝突しても、保持体本体４９８がその長さで弾性反り曲り状態となってその衝撃を吸収して、携帯電話そのものを保護するとともに、面ファスナで係着状態にある携帯電話の係着が解かれての携帯電話の外れをし難くするという効果を得ることができる。
このような動作及び素材を用いることにより、身体に当たる強さをソフトで違和感の小さいものとでき、且つ、倒れた場合などに身体に縦に突き当たることをすくなくでき、もし当たってもそのしなやかさ曲がり易さ合成樹脂製のそれなりの柔軟性から身体に大きな損傷を与えることなく曲がってしまうという安全性も実現するという効果を得ることができる。
また、携帯電話の振れによる振れは保持体本体４９８であり、保持体本体４９８が着衣側や身体側に当たってその振れを緩和し抑制するものであるので、その保持体本体４９８の内側に固定されたクリップ５０５での着衣の前立て部位等の挟持部分は全く影響を受けない動きの生じない状態が実現されているので、着衣を損傷しないという効果を得ることができる。
また、閉じ付勢されているクリップ４５７の先端は折れ曲がった折れ曲がり挟持部位４５８となっていて、着衣を滑り難く挟持するようになっている。
また、前立て部位等内側差込部５０１ａ、５０１ｂをポリプロピレン製プレートなどの合成樹脂製プレートやステンレス薄板部材などの金属製プレートとしたものは、使用者が前立て部位等内側差込部５０１ａ、５０１ｂの先方を簡単に湾曲状態に指で曲げ形成でき、その身体への当たりを面当たりとしたソフトで違和感の小さいものにできるとう効果を奏する。
保持体本体４９８は上記素材以外にも、、塩化ビニール制樹脂板材、ポリスチレン樹脂製板材、ポリエチレン樹脂製板材、アクリル樹脂製板材など多様なものがある。
その製造方法も板材を打抜成形する方法、射出成形により形成するものなどがある。特に射出成形により形成する場合は、フック面ファスナ、クリップの一部あるいは全部を保持体本体とともに一体的に成形するのが、コストが安く廃棄物が殆ど生じないものであるので最適である。
{比較}
１ｍｍ厚の硬質性のポリプレピレン樹脂製（ＰＰ製）板材を使用しての使用感について述べる。（購入先  ダイソー）
試作品１：  前立て部位等内側差込部５０１ａ、５０１ｂが、縦幅１１ｍｍ、横幅５５ｍｍ。
試作品２：  前立て部位等内側差込部５０１ａ、５０１ｂが、縦幅１１ｍｍ、横幅８５ｍｍ。
着衣は身体に合った標準サイズのワイシャツとし、係止場所はボタンとボタンの中間部。
比較結果
（１）試作品１は、指を掛け引き下げてみると、硬い感じがし、その端部が指に当たる感じも強い弾性抵抗感のある感じのものである。
ワイシャツの着衣の前立て部位に係止して約１００ｇの携帯電話を係着保持して、手で左右に携帯電話を越し動作させた使用。
着衣の前立て部位側のお越し動作では、浅い反り状態で短さからその先端が身体側に強く押し付けられ、そのまま立ち状態となり、この立ち状態ではクリップの挟持部分が強く引っ張られる。
反対側に指を掛けての携帯電話のお越し動作では、前立て部位等内側差込部５０１ａ、５０１ｂの先端が着衣を突き上げ、クリップの挟持部分も引っ張られる、強い抵抗を感じる。
身体を強く振っての動作においては、前立て部位等内側差込部５０１ａ、５０１ｂの先端が身体に当たって違和感を感じるものである。
（２）試作品２は、指を掛け引き下げてみると、簡単に全体がそり曲がり、適度なソフト弾性感のあるそり状態が得られ、その端部が指に当たる感じも抵抗の弱い優しい感じのものである。
ワイシャツの着衣の前立て部位に係止して約１００ｇの携帯電話を係着保持して、手で左右に携帯電話を越し動作させた使用。
着衣の前立て部位側のお越し動作では、保持部から先側が大きな反り状態となり、前立て部位等内側差込部５０１ａ、５０１ｂの反った腹部分が広く身体に当たり、先端が当たるということは無く、その当たり感もソフトで違和感の少ないものであり、クリップの挟持部分は引っ張られることが無い。
反対側に指を掛けての携帯電話のお越し動作では、前立て部位等内側差込部５０１ａ、５０１ｂの腹全体が反って着衣にソフトに当たり、先端が着衣を突き上げることはなく、クリップの挟持部分は引っ張られるが弱い引張りである。
身体を強く振っての動作においては、前立て部位等内側差込部５０１ａ、５０１ｂの先端が身体に当たることがあるが弱いものである。
前立て部位等内側差込部５０１ａ、５０１ｂは、その長さが略７０ｍｍ以上が良好な結果を得られるので好ましく、７０ｍｍの場合はポリプロピレン樹脂製板の厚さは０．７５ｍｍくらいが、良好な弾性しなり力を得られる。
また、試作品１、試作品２のいずれも、日常的な通常の歩行、振り向く、屈むなどの通常の動作ではその身体動作に支障をきたすことはないが、その装着感および使用感においては、試作品２の方が優れている。
【０１１０】
＜第９９の実施の形態＞
図１１４に示す本発明を実施するための最良の第９９の実施の形態において前記第９９の実施の形態と主に異なる点は、携帯品振れ止め保持具４９７の形態を変えてなる、携帯品振れ止め保持具５０７（図１１４（ａ））、携帯品振れ止め保持具５０８（図１１４（ｂ））、携帯品振れ止め保持具５０９（図１１４（ｃ））を形成した点にある。
（１）携帯品振れ止め保持具５０７（図１１４（ａ））
前立て部位等内側差込部５０１ｂおよび前立て部位等入り部５０２ｂの無い、保持体本体４９８と、前立て部位等内側差込部５０１と、前立て部位等入り部５０２と、連絡部４９９と、保持部５００と、フック面ファスナ５０４と、クリップ５０５からなる携帯品振れ止め保持具５０７を形成した点にある。
（２）携帯品振れ止め保持具５０８（図１１４（ｂ））
前立て部位等内側差込部５０１ｂおよび前立て部位等入り部５０２ｂの無い、保持体本体４９８と、前立て部位等内側差込部５０１と、前立て部位等入り部５０２と、連絡部４９９と、保持部５００と、フック面ファスナ５０４と、クリップ５０５と、前立て部位等内側差込部５０１ａの先端から立ち下げられた連絡部４９９と同じ縦幅の先端立下り部５１０とからなる携帯品振れ止め保持具５０８を形成した点にある。
（３）携帯品振れ止め保持具５０９（図１１４（ｃ））
前立て部位等内側差込部５０１ａ、５０１ｂをその先端側で連絡する先端連絡部５１１を設けた携帯品振れ止め保持具５０９を形成した点にある。
クリップ５０５は、軸受け部分は保持体本体４９８と一体成形とし、段差の無い形態が着衣の前立て部位などのスムーズな差込が行えるので好ましい。またクリップはできる限る前後厚みが少ない方が、身体への突起あたりによる異物感を感じさせないので好ましい。
【０１１１】
＜第１００の実施の形態＞
図１１５に示す本発明を実施するための最良の第１００の実施の形態において前記第９９の実施の形態と主に異なる点は、保持部５００を保持体本体４９８から離して着衣の前立て部位等が曲がらずに入るように着衣の前立て部位等入り隙間５１３を形成し、前立て部位等内側差込部５０１ａ、５０１ｂを幅広形態で連絡してなる差込部位連絡部５１４を形成し、保持部５００の端の方裏側に滑り止め部材５１５を設け、差込部位連絡部５１４の内端の方表側に滑り止め部材５１６を設けてなる携帯品振れ止め保持具５１７を形成した点にある。
【０１１２】
＜第１０１の実施の形態＞
図１１６、図１１７に示す本発明を実施するための最良の第１０１の実施の形態において前記第９９の実施の形態と主に異なる点は、クリップをタイピンとしても使用できるようにするために全長５５ｍｍとしたクリップ５１９とし、保持部５００に着衣の前立て部位等に装着した際に表に出る部分を全部覆う装飾体５２０を設け、この装飾体５２０の中央にフック面ファスナ５０４を設けてなる携帯品振れ止め保持具５２１を形成した点にある。
【０１１３】
＜第１０２の実施の形態＞
図１１８、図１１９、図１２０に示す本発明を実施するための最良の第１０２の実施の形態において５２４は携帯品振れ止め保持具であって、この携帯品振れ止め保持具５２４は常にスプリング（図示せず）により閉じ付勢状態とされた挟持部位の長さが約６０ｍｍ〜約１００ｍｍの鳥の嘴状形態の髪止めクリップ形態からなる保持体本体５２５と、この保持体本体５２５を形成する上嘴部５２６と、保持体本体５２５を形成する下嘴部５２７と、上嘴部５２６と下嘴部５２７を開閉自在に連結する連結部５３１と、上嘴部５２６に設けられた平板部５２８と、この平板部５２８に設けられたフック面ファスナ５０４とからなっている。
したがって、下嘴部５２７と上嘴部５２６は先端に行くにしたがって細くなっている。また、下嘴部５２７は上嘴部５２６より先端が１０ｍｍほど短くなっている。
上嘴部５２６（前挟持体）および下嘴部５２７（後挟持体）は断面が内側湾曲凹形態（図示せず）であり、閉じ状態においては上嘴部５２６の内側に下嘴部５２７が嵌る形態となっている。閉じ状態での嵌り範囲は挟持部位の５割〜６割程度である。
逆に上嘴部５２６が下嘴部５２７に嵌る形態もよい。また、下嘴部５２７が内側凸湾曲形態となって上嘴部５２６に嵌る形態もよい。
このような嵌り形態であることにより、ネクタイと着衣の前立て部位を下嘴部５２７と上嘴部５２６の全域で挟持する挟持形態を実現して、確りと挟持し容易には動かない且つ傾かない確りとした係止状態を形成でき、１００ｇ〜２００ｇ程度の重さの携帯電話を保持してもその振れにより居時場所がずれたり、傾いたり、外れたりすることが生じ難い携帯を実現するという効果を奏する。
また、長物の下嘴部５２７と上嘴部５２６の略全域で着衣の前立て部位およびその奥側を挟持するので、１００ｇ〜２００ｇ程度の重さの携帯電話の人の歩行動作程度の揺れ程度では傾いたりずれたりすることが生じない確りとした着衣の前立て部位への係止を実現する。
また、長物の下嘴部５２７と上嘴部５２６全域で着衣の前立て部位およびその奥側を挟持しているので、１００ｇ〜２００ｇ程度の重さの携帯電話の振れ動きによる動き動作があっても、布地の局部的な引張りや擦れや抑えなどが生じないので、布地を損傷しない挟持を実現するという効果を奏する。
また、一般的にも髪飾りとして、上嘴部５２６の表側を小さな色ガラスなどでデコレーションすることが行われており、ファッション性の高いものにできるという効果を奏する。
平板部５２８およびフック面ファスナ５０４を長手方向に移動できるようにするのもよい。移動できる形態例としては、平板部５２８の下部に上嘴部５２６を付勢挟持する爪を設ける形態が考えられる。また、上嘴部５２６に長手方向に２０ｍｍ〜４０ｍｍ程度の長さのピン通し穴を設け、平板部５２８の底部にピン（細ネジを含む）を通し、裏側からナットやピンキャッチなどのキャッチ部材で固定すし、ピンキャッチ部材と上嘴部５２６の間にはスプリングなどの付勢手段が設けられてなる構造が考えられる。
【０１１４】
図１１９において、上嘴部５２６に装飾体５２０を設け、この装飾体５２０に平板部５２８を設け、この平板部５２８にフック面ファスナ５０４を設けてなる携帯品振れ止め保持具５２９、携帯品振れ止め保持具５３０を形成している。
【０１１５】
＜第１０３の実施の形態＞
図１２１に示す本発明を実施するための最良の第１０３の実施の形態において前記第９８の実施の形態と主に異なる点は、クリップを上下幅の広い形態のクリップ６５６とし、前立て部位等内側差込部５０１ａ、５０１ｂを前方に反り曲げた湾曲部５６５を形成してなる携帯品振れ止め保持具６５７を形成した点にある。
このような幅広のクリップとすることにより、着衣の前立て部位を挟持した状態において携帯電話の上下振れ動きがあっても傾き難く、生地を痛め難いものとできる。
また、湾曲部５６５を設けたことにより、保持した携帯電話が振れても身体に当たる部位は湾曲部５６５の面当たりとなるので、より違和感の無いものにできるという効果を奏する。この前立て部位等内側差込部の湾曲部を形成する（設ける）形態は、第９５の実施の形態の携帯品振れ止め保持具４７０でも形成すいることが好ましい。湾曲部５６５は図１２１のように前立て部位等内側差込部先方を湾曲反らせる形態、中ほどから湾曲させ形態、根元に近い所から湾曲させる形態などがある。これらの場合も先方側は全体よりもより底面図において反り上がりの強いものとするのが好ましい。
【０１１６】
＜第１０４の実施の形態＞
図１２２に示す本発明を実施するための最良の第１０４の実施の形態において前記第１０２の実施の形態と主に異なる点は、挟持した着衣の前立て部位の縁からの長さ（挟持部位）が約６０ｍｍ以上の下嘴部５２７の先方を、前方側に湾曲さてなる湾曲部６５８を形成してなる携帯品の振れ止め保持具６５９を形成した点にある。
このような形態とすることにより振れ動いても、下嘴部５２７の先端が身体に当たることがなく、身体への当たりは面ないし線当たりとなるので、ソフトで違和感の少ない当たりを実現し使用感のよいものとできるという効果を奏する。
【０１１７】
＜第１０５の実施の形態＞
図１２３に示す本発明を実施するための最良の第１０５の実施の形態において６６２は携帯品の振れ止め保持具であって、この携帯品の振れ止め保持具６６２は約４０ｍｍ×４０ｍｍ四方形で先端が内側に折れ曲がって突起した挟持部位６６３を形成してなる着衣の前立て部位の表側に位置される表挟持板６６４と、
この表挟持板６６４の表側に設けられたフック面ファスナ６６５と、
表挟持板６６４と根元側の連結部６６６で開閉自在に連結されスプリング６６７で閉じ付勢状態とされてなる約４５ｍｍ×９５ｍｍの長方形の合成樹脂製板材からなる、着衣の前立ての内側に位置される内挟持板６６８（前立て部位等内側差込部）と、
この内挟持板６６８の先方側を湾曲させ形成してなる湾曲部６６９と、
内挟持板６６８の内側に形成された該６６８が弾性しなり状態に容易になるように抜き形成した抜き部６７０と、とからなっている。
連結部６６６から内挟持板６６８の先端までの長さは約８０ｍｍである。
湾曲部６６９により内挟持板６６８の先端が身体に当たらないようにし且つ携帯電話を保持しての振れ動きによる身体への内挟持板６６８当たりが面当たりなって、容易な弾性しなり特性とあいまって、身体への当たりがソフトで違和感の小さいものにできるという効果を奏する。
【０１１８】
＜第１０６の実施の形態＞
図１２４に示す本発明を実施するための最良の第１０６の実施の形態において前記第１０２の実施の形態と主に異なる点は、上嘴部５２６（上挟持部）の先方を湾曲させた湾曲部６７３を設けてなる携帯品の振れ止め保持具６７４を形成した点にある。
湾曲部６７３は平板状態とした形態が好ましい。着衣の内側に隠れる部位であるのでファッション上は問題がなく、身体への当たりをソフトで違和感の小さいものとできる。
【０１１９】
＜第１０７の実施の形態＞
図１２５に示す本発明を実施するための最良の第１０７の実施の形態において前記第９８の実施の形態と主に異なる点は、保持部を長さ１０５ｍｍ程度とした保持部６７４とし、該保持部６７４の先方側にフック面ファスナ６７５を設け、クリップ５０４を幅広のクリップ６７６に変えた携帯品の振れ止め保持具６７７を形成した点にある。
フック面ファスナ６７５とフック面ファスナ５０４を一枚の面ファスナにより構成するのもよい。
着衣の前立て部位から離れた例えば、胸ポケット下あたりにフック面ファスナ６７５位置させ、フック面ファスナ６７５に携帯電話を係着保持することができる。
このようにフック面ファスナ６７５に携帯電話を保持した状態では、フック面ファスナ５０４は空いているので、ネクタイの裏側にループ面ファスナ取り付けフック面ファスナ５０４に係着させてネクタイ振れ止めとして使用できる。
また、逆にフック面ファスナ５０４に携帯電話を係着保持した状態では、フック面ファスナ６７５は空いているので、裏側にループ面ファスナを設けたネックストラップ式カードケースを係着するなど他のものを係着保持することができる。
また、フック面ファスナ６７５とフック面ファスナ５０４のそれぞれに携帯電話を係着保持する、２台保持ができる。以上のように二つの携帯品を着脱自在に保持でき使用できるので大変便利である。
着衣の取り付け箇所は、着衣の前立て部位に限らず、着衣の裾（下部）を入れて該裾縁をたくし上げた状態での上向き挟持（フック面ファスナ６７５が上向き状態）とし、フック面ファスナ６７５が臍上やその横方向（脇腹と臍線の間当たり）に位置させて、携帯電話を係着保持することもできる。これは、前開きでないＴシャツなどでの使用に便利である。
また、携帯品振れ止め保持具５２４のようなクリップ形態の上嘴部（前挟持体）の先方にフック面ファスナを設けた形態もよい。
また、長さ１０５ｍｍ程度とした保持部６７４とその先端側に設けたフック面ファスナ６７５とにより、胸ポケットに携帯品振れ止め保持具５２４をフック面ファスナ６７５外側に位置するように取り付け、これにより胸ポケット外側の中ほどから下方に携帯電話を着脱自在に保持することができるという効果を奏する。
当然のことではあるが、フック面ファスナ５０４を設けないフック面ファスナ６７５のみの形態もよい。
また、フック面ファスナ５０４とその保持部を残し、保持部６７４を別体として、該保持部６７４の裏側のフック面ファスナ６７５とは反対側にフック面ファスナ５０４に係着させるループ面ファスナを設けたものもよい。
【０１２０】
＜第１０８の実施の形態＞
図１２６、図１２７に示す本発明を実施するための最良の第１０８の実施の形態において前記第１０７の実施の形態と主に異なる点は、着衣の前立て部位を挟持するクリップを保持体本体４９８の根元側を延長して裏側に折り曲げる用にして形成したクリップ６８０を形成し、このクリップ６８０にループ面ファスナ６８１（前立て側面ファスナ）を設けてなる携帯品の振れ止め保持具６８２を形成した点にある。
携帯品の振れ止め保持具６８２を着衣の前立て部位に係止し、着衣の内立て部位に係止したフック面ファスナ６８３（内立て側面ファスナ）を設けたクリップ６８４（内立て部位取付体）の該６８３にループ面ファスナ６８１を係着させる。これにより、着衣の前立て部位と着衣の内立て部位は一種の接合状態（連結状態）に固定され、これにより、着衣の前立て部位が開かない形態が形成され、携帯品の振れ止め保持部６８２が殆ど振れない状態にできる。
付勢力クリップに比べて、全体として薄い突起の無い平らな形態を実現するので、身体への当たりの良いものとできる。
クリップ６８４は一枚のプレートを折り曲げ状態に形成してなる内側挟持板６８５と、外側挟持坂６８６と、この外側挟持坂６８６に設けられたフック面ファスナ６８３とからなっている。
前記第１０７の実施の形態のクリップ６７６にループ面ファスナ６８１を設ける形態も同様な作用効果を得ることができる。
また、フック面ファスナ６８３が着衣の前立て部位に縫い付けるなどして設けられてなるものもよい。
また、フック面ファスナと安全ピンとを組み合わせたものもよい。
【０１２１】
＜第１０９の実施の形態＞
図１２８に示す本発明を実施するための最良の第１０９の実施の形態において前記第９８の実施の形態と主に異なる点は、着衣の前立て部位に係止した状態で、該着衣の前立て部位と重なる着衣の内立て部位に当接する前立て部位等内側差込部５０１ａ、５０１ｂの裏側にループ面ファスナ６９０ａ、６９０ｂを設けてなる携帯品の振れ止め保持具６９１を形成した点にある。
細長形態のクリップ６８４（内立て部位取付体）を着衣の内立て部位に係止し、着衣の前立て部位に係止した携帯品の振れ止め保持具６９１のループ面ファスナ６９０ａ、６９０ｂのいずれかをフック面ファスナ６８３に係着させる。
【０１２２】
＜第１１０の実施の形態＞
図１２９に示す本発明を実施するための最良の第１１０の実施の形態において前記第９９の実施の形態と主に異なる点は、前立て部位等内側差込部５０１を倍ほどの上下幅広形態とし、着衣の前立て部位に係止した状態で、該着衣の前立て部位と重なる着衣の内立て部位に当接する前立て部位等内側差込部５０１の裏側にループ面ファスナ６９０を設けてなる携帯品の振れ止め保持具６９４を形成した点にある。
ループ面ファスナ６９０を上下幅広とできるので、ループ面ファスナ６９０とフック面ファスナ６８３の係着操作が容易である。
【０１２３】
＜第１１１の実施の形態＞
図１３０に示す本発明を実施するための最良の第１１１の実施の形態において６９６は携帯品の振れ止め保持具であって、この携帯品の振れ止め保持具６９６は一本の板材を折り曲げるような閉じ付勢形態により形成されてなる全長６０ｍｍ以上の挟持アーム６９７ａと挟持アーム６９７ｂとからなるクリップ本体６９８（保持体本体）と、挟持アーム６９７ａの先端に設けられた挟持部６９９と、挟持アーム６９７ｂの先端に設けられ挟持部６９９とで着衣を挟持する挟持部７００と、挟持部６９９の外側に設けられたフック面ファスナ７０１と、挟持部７００の内側に設けられたゴムや突起などからなる摩擦部７０２とからなっている。
図１３０のように着衣の裾を通し好みの位置まで引き上げ止めて、首から下げた携帯品を係着保持する。
【０１２４】
＜第１１２の実施の形態＞
図１３１に示す本発明を実施するための最良の第１１２の実施の形態において７０５は携帯品の振れ止め保持具であって、この携帯品の振れ止め保持具７０５は１枚スチール製薄板部材（全体が０．２ｍｍ厚の板バネ形成部材）を折り曲げて折り曲げ部７０６と一方の挟持部７０７と他方の挟持部７０８を形成し、折り曲げ部７０６の弾性閉じ付勢力により閉じ付勢状態とされ、一方の挟持部７０７と他方の挟持部７０８による布地の挟持形態が面による面挟持形態であり、着衣の前立て部位を挟持し取り付けられた状態において首からネックストラップにより吊り下げ１００ｇ〜２００ｇ程度の携帯電話を保持した状態で、携帯電話が通常の身体動作により振れても着衣の前立て部位からは容易には外れない挟持状態を維持する挟持力を有する保持具本体７０９とからなり、
この保持具本体７０９の着衣の前立て部位の表側に位置する一方の挟持部７０７に可動可能に設けられた上下左右幅２０ｍｍ以上の可動ベース７１０と、この可動ベース７１０に設けられた携帯電話等の携帯品を着脱自在に保持するための上下左右幅１５ｍｍ以上（図では可動ベース７１０と同じ２０ｍｍ×２０ｍｍ）のフック面ファスナ７１１とからなり、
一方の挟持部７０７は内側は開口部７１２が形成され、且つ、内反り湾曲状態で開き状態を形成し、外反り湾曲状態で閉じ状態を形成し、この開き状態と閉じ状態は弾性切替形態により指で簡単に切替ができるようになっており、
他方の挟持部７０８は中ほどで外側に折り曲げる開口部７１２内に入る幅の折り曲げ部７１３（図では１箇所であるが２箇所、３箇所のばあいもある。）となっていて、折り曲げ部７１３に向かって全体が左右から絞られるような形態をしていて、
一方の挟持部７０７が内反り湾曲状態においては、底面図のごとく一方の挟持部７０７と他方の挟持部７０８は離れ開き状態なり、
一方の挟持部７０７をが外反り湾曲状態に指にすると、閉じ（挟持）状態の底面図のごとく一方の挟持部７０７と他方の挟持部７０８は付勢閉じ状態となって、着衣の前立て部位などの布地を面挟持形態で挟持する、ものである。
保持具本体７０９のこの形態は一般的に使用されているヘアピンである。
保持具本体７０９に最も厚い部位である折り曲げ部７０６の厚さが４ｍｍ程度と薄く且つ全体が際立った突出部位のない弓形態を実現しているので、携帯電話と身体の間にあっても、身体に当たる突起の異物感を感じさせない携帯品の振れ止め保持具を実現するという効果を奏する。
また、布の挟持形態が局部挟持形態ではない半分程度以上の面挟持形態であるので、携帯電話の振れに伴う振れ状態が続いても布地を傷つけることが少ない、一方の挟持部７０７と他方の挟持部７０８が布地との間に強い力が働くと弾性開き弾性反り状態が生じてその力を吸収し緩和し布地を傷つけることが少ないという効果を奏する。
【０１２５】
＜第１１３の実施の形態＞
図１３３に示す本発明を実施するための最良の第１１３の実施の形態において７１５は携帯品の振れ止め保持具であって、この携帯品の振れ止め保持具７１５は１枚スチール製薄板部材（全体が０．６ｍｍ厚の板バネ形成部材）を折り曲げて折り曲げ部７１６と緩い湾曲形態の一方の挟持部７１７と緩い湾曲形態の他方の挟持部７１８を形成し、折り曲げ部７１６の弾性閉じ付勢力により常に閉じ付勢状態とされ、一方の挟持部７１７に形成され少なくとも３箇所が他方の挟持部７１８と当接すして布地を複数湾曲部位挟持形態で挟持する５箇所の湾曲箇所７１９ａ〜７１９ｅとからなる全長６５ｍｍ保持具本体７２０（６０ｍｍい上が好ましい）と、
この保持具本体７０９の着衣の前立て部位の表側に位置する一方の挟持部７１７に固定された上下左右幅２０ｍｍ以上の固定ベース７２１と、この固定ベース７２１に設けられた携帯電話等の携帯品を着脱自在に保持するための上下左右幅１５ｍｍ以上（図では固定ベース７２１と同じ２０ｍｍ×２０ｍｍ）のフック面ファスナ７１１とからなっている。
保持具本体７２０のこの形態は一般的に使用されているヘアピンである。
第１１４の実施の形態と同様な効果を奏する。
【０１２６】
＜第１１４の実施の形態＞
図１３４に示す本発明を実施するための最良の第１１４の実施の形態において前記第９８の実施の形態と主に異なる点は、クリップを保持体本体７０９と同じ形態のクリップ７２４とした携帯品の振れ止め保持具７２５を形成した点にある。
クリップ７２４は離して２個〜３個設けるのが好ましい。
【０１２７】
{付記}
＜本願発明者が発明したところの第1の発明＞
ワイシャツなどのボタン合わせの前開き衣類の前立ての前部あるいは横に携帯電話等の携帯品を保持する保持部を具備する保持体本体と、この保持体本体に設けられた前立ての内側に差し込まれてボタンのボタン縫い止め糸に垂れ掛るあるいは乗り掛るボタン部位掛部と、前記保持部に設けた保持側面ファスナ、磁石、磁着材、フック、フック掛け、ケース、保持枠、保持爪などの携帯品を着脱自在に保持するための着脱保持手段とからなり、前記ボタン縫い止め糸に掛った前記ボタン部位掛部により、前記保持体本体がその位置から下がらないように保持されるようにしてなる携帯品の振れ止め保持具を構成している。
＜本願発明者が発明したところの第２の発明＞
本願発明者が発明したところの第１の発明の構成において、保持体本体に前立てを挟持するクリップを設け、このクリップの部位をボタン部位掛部としてなる携帯品の振れ止め保持具を構成している。
＜本願発明者が発明したところの第３の発明＞
本願発明者が発明したところの第１、２いずれか記載の発明の構成において、ボタン部位掛部にボタン縫い止め糸が嵌り込み掛る凹形態のボタン縫い止め糸掛り部を設けてなる携帯品の振れ止め保持具を構成している。
＜本願発明者が発明したところの第４の発明＞
本願発明者が発明したところの第１、２、３いずれか記載の発明の構成において、保持体本体に携帯品に該保持体本体を固定するための接着剤などの固定手段を設けてなる携帯品の振れ止め保持具を構成している。
＜本願発明者が発明したところの第５の発明＞
本願発明者が発明したところの第１、２、３いずれかの発明の構成において、携帯品にボタン部位掛部が設けられてなるボタン掛け部位付携帯品形態である携帯品振れ止め保持具を構成している。
＜本願発明者が発明したところの第６の発明＞
本願発明者が発明したところの第１〜５いずれかの発明の構成において、着脱保持手段が保持側面ファスナである携帯品の振れ止め保持具を構成している。
＜本願発明者が発明したところの第７の発明＞
本願発明者が発明したところの第１の発明の構成において、保持体本体に該保持体本体の側部側から前立てを通す前立て等入り部を一つあるいは適宜な間隔を空けて複数設け、この前立て等入り部に連絡する前開き衣類の前開き合わせボタンのボタン縫い止め糸が嵌り該ボタン縫い止め糸に掛るボタン縫い止め糸掛り部を上下に略対称に設けてなる携帯品の振れ止め保持具を構成している。
＜本願発明者が発明したところの第８の発明＞
本願発明者が発明したところの第１の発明の構成において、保持体本体が前部材と後部材の２部材からなっていて、この前部材と後部材の一方の側部側が連結され該前部材と後部材の間には前立てが入る前立て等内側差込部が形成され、前記前部材および後部材あるいは前部材に前開き衣類の前開き合わせボタンのボタン縫い止め糸が嵌り該ボタン縫い止め糸に掛るボタン縫い止め糸掛り部を設けてなる携帯品の振れ止め保持具を構成している。
＜本願発明者が発明したところの第９の発明＞
本願発明者が発明したところの第１の発明の構成において、保持体本体の上部および下部あるいはいずれか一方に前開き衣類の前開き合わせボタンを指で摘み布地も少し引き入れ通して容易に該ボタンを前立てのボタン止め穴に入れる大きさ開口からなるボタン引き出し開口を設け、このボタン引出し開口に内あるいは連絡してボタン部位掛部が形成され、保持部が前開き衣類に装着した状態において、前立て前あるいは前立て横に露出するようにしてなる携帯品の振れ止め保持具を構成している。
＜本願発明者が発明したところの第１０の発明＞
本願発明者が発明したところの第７〜９いずれか記載の発明の構成において、保持体本体に前立てを挟持するクリップを設けてなる携帯品の振れ止め保持具を構成している。
＜本願発明者が発明したところの第１１の発明＞
本願発明者が発明したところの第７の発明の構成において、着脱保持手段が保持側面ファスナである携帯品の振れ止め保持具を構成している。
＜本願発明者が発明したところの第１２の発明＞
本願発明者が発明したところの第１〜１１いずれかの発明の構成において、保持体本体に保持部である保持板を該保持体本体の全部あるいは一部を覆うように一方の側部を連結して設け、前記保持体本体と前記保持板の間に前立てが入る前立て等内側差込部を形成し、前記保持板の表側に保持側面ファスナ、磁石、磁着材、フック、フック掛け、ケース、保持枠、保持爪などの携帯品を着脱自在に保持する着脱保持手段を設けてなる携帯品振れ止め保持具を構成している。
＜本願発明者が発明したところの第１３の発明＞
ワイシャツなどのボタン合わせの前開き衣類の前立ての前部あるいは横に携帯電話等の携帯品を保持する保持部を具備する保持体本体と、この保持体本体に設けられた前立ての内側に差し込まれる前立て等内側差込部と、この前立て等内側差込部と前記保持部の間に形成された前立てを避け通すための前立て等入り部と、前記保持部に設けた保持側面ファスナ、磁石、磁着材、フック、フック掛け、ケース、保持枠、保持爪などの携帯品を着脱自在に保持するための着脱保持手段と、前記保持体本体に設けられた前立てを挟持するためのクリップとからなり、前記クリップの前立ての挟持が、２００グラム位の重さの携帯品を保持した状態で、通常の動作による振れでは容易には下降したり外れたりすることがない強い挟持力や挟持状態ロック式や滑り止め付きなどのものである携帯品の振れ止め保持具を構成している。
＜本願発明者が発明したところの第１４の発明＞
本願発明者が発明したところの第１３の発明の構成において、保持部の上部側に上前立て等内側差込部および上前立て等入り部を設け、該保持部の下部側に下前立て等内側差込部および下前立て等入り部を設けてなる携帯品振れ止め保持具を構成している。
＜本願発明者が発明したところの第１５の発明＞
本願発明者が発明したところの第１３、１４いずれかの発明の構成において、前立て等内側差込部に前記前立て等入り部に連絡する該前立て等入り部に通されたボタン縫い止め糸が嵌るボタン縫い止め糸嵌り部を設けてなる携帯品振れ止め保持具を構成している。
＜本願発明者が発明したところの第１６の発明＞
本願発明者が発明したところの第１３、１４いずれかの発明の構成において、前立て等内側差込部の外側にボタン縫い止め糸の嵌るボタン縫い止め糸嵌り部を設けてなる携帯品振れ止め保持具を構成している。
＜本願発明者が発明したところの第１７の発明＞
ワイシャツなどのボタン合わせの前開き衣類の前立ての前部あるいは横に携帯電話等の携帯品を保持する保持部を具備する保持体本体と、前記保持部に設けた保持側面ファスナ、磁石、磁着材、フック、フック掛け、ケース、保持枠、保持爪などの携帯品を着脱自在に保持するための着脱保持手段と、前記保持体本体に適宜な間隔をあけて複数設けられた前立てを挟持するためのクリップとからなり、前記クリップの前立ての挟持が、２００グラム位の重さの携帯品を保持した状態で、通常の動作による振れでは容易には下降したり外れたりすることがない強い挟持力や挟持状態ロック式や滑り止め付きなどのものである携帯品の振れ止め保持具を構成しているので、
前開き着衣の前立てへの複数クリップによる強力な挟持保持を実現するとともに、胸ポケットの縁端、エプロンの上端縁、パンツの縁、腰ベルトなどへの複数クリップによる強力な挟持保持を可能と、前記本願発明者が発明したところの第１３の発明と同様な効果を得ることができる。
また例えば、クリップを奥長いものにすることにより振れをより抑えたものにできる。
＜本願発明者が発明したところの第1の発明の効果＞
ワイシャツなどのボタン合わせの前開き衣類の前立ての前部あるいは横に携帯電話等の携帯品を保持する保持部を具備する保持体本体と、この保持体本体に設けられた前立ての内側に差し込まれてボタンのボタン縫い止め糸に垂れ掛るあるいは乗り掛るボタン部位掛部と、前記保持部に設けた保持側面ファスナ、磁石、磁着材、フック、フック掛け、ケース、保持枠、保持爪などの携帯品を着脱自在に保持するための着脱保持手段とからなり、前記ボタン縫い止め糸に掛った前記ボタン部位掛部により、前記保持体本体がその位置から下がらないように保持されるようにしてなる携帯品の振れ止め保持具を構成しているので、
ボタンに直接掛けるのではなく、前立てのボタン穴に通しとめた状態の前開きの内側にボタン部位掛部を差し込んでボタン縫い止め糸に掛ける操作であるので、前開きの案内されて素早く簡単にボタン縫い止め糸への掛け外しが行えるという効果を得ることができる。
「ボタン縫い止め糸に垂れ掛るあるいは乗り掛るボタン部位掛部」により、携帯品の振れ止め保持具およびそれに保持された携帯品が大きく振れないように保持され、且つ、ボタン縫い止め糸への掛により下がることなく保持されるとともに、着脱手段に保持されている携帯品を素早く簡単軽快に外し操作し簡単に素早く保持したり自在に操作することができるという効果を得ることができる。
＜本願発明者が発明したところの第２の発明の効果＞
本願発明者が発明したところの第１の発明の構成において、保持体本体に前立てを挟持するクリップを設け、このクリップの部位をボタン部位掛部としてなる携帯品の振れ止め保持具を構成しているので、
クリップで前立てを挟持して止めおくものであるので、携帯品振れ止め保持具が横振れするのが抑制され、且つ、着衣から外れ難いという効果を得ることができる。
＜本願発明者が発明したところの第３の発明の効果＞
本願発明者が発明したところの第１、２いずれか記載の発明の構成において、ボタン部位掛部にボタン縫い止め糸が嵌り込み掛る凹形態のボタン縫い止め糸掛り部を設けてなる携帯品の振れ止め保持具を構成しているので、
ボタン縫い止め糸に掛けたり外したりする操作が簡単素早く行うことを可能とし、且つ、嵌り形態によりボタン縫い止め糸が切れない限り殆ど外れないとうい効果を得ることができる。
＜本願発明者が発明したところの第４の発明の効果＞
本願発明者が発明したところの第１、２、３いずれか記載の発明の構成において、保持体本体に携帯品に該保持体本体を固定するための接着剤などの固定手段を設けてなる携帯品の振れ止め保持具を構成しているので、
携帯品のボタン縫い止め糸への掛け保持操作および外し操作が簡単素早く行うことができるという効果を得ることができる。
＜本願発明者が発明したところの第５の発明の効果＞
本願発明者が発明したところの第１、２、３いずれかの発明の構成において、携帯品にボタン部位掛部が設けられてなるボタン掛け部位付携帯品形態である携帯品振れ止め保持具を構成しているので、
携帯品のボタン縫い止め糸への掛け保持操作および外し操作が簡単素早く行うことができるという効果を得ることができる。
＜本願発明者が発明したところの第６の発明の効果＞
本願発明者が発明したところの第１〜５いずれかの発明の構成において、着脱保持手段が保持側面ファスナである携帯品の振れ止め保持具を構成しているので、
携帯側面ファスナを設けた携帯品を素早く確実に保持し且つ素早く外して操作することができるという効果を得ることができる。
＜本願発明者が発明したところの第７の発明の効果＞
本願発明者が発明したところの第１の発明の構成において、保持体本体に該保持体本体の側部側から前立てを通す前立て等入り部を一つあるいは適宜な間隔を空けて複数設け、この前立て等入り部に連絡する前開き衣類の前開き合わせボタンのボタン縫い止め糸が嵌り該ボタン縫い止め糸に掛るボタン縫い止め糸掛り部を上下に略対称に設けてなる携帯品の振れ止め保持具を構成しているので、
ボタンに直接掛けるのではなく、前立てのボタン穴に通しとめた状態の前開きの内側にボタン部位掛部を差し込んでボタン縫い止め糸に掛ける操作であるので、前開きの案内されて素早く簡単にボタン縫い止め糸への掛け外しが行えるという効果を得ることができる。
携帯品の振れ止め保持具の表をそのままにして、半回転させることにより左右向き変えての使用が可能となり、前開き形態が逆の男女の前開き衣類のいずれでも使用できる男女兼用を実現するという効果を得ることができる。
特に前立て等入り部が一つの形態ではコンパクト化を実現できるという効果を得ることができる。
＜本願発明者が発明したところの第８の発明の効果＞
本願発明者が発明したところの第１の発明の構成において、保持体本体が前部材と後部材の２部材からなっていて、この前部材と後部材の一方の側部側が連結され該前部材と後部材の間には前立てが入る前立て等内側差込部が形成され、前記前部材および後部材あるいは前部材に前開き衣類の前開き合わせボタンのボタン縫い止め糸が嵌り該ボタン縫い止め糸に掛るボタン縫い止め糸掛り部を設けてなる携帯品の振れ止め保持具を構成しているので、
ボタンに直接掛けるのではなく、前立てのボタン穴に通しとめた状態の前開きの内側にボタン部位掛部を差し込んでボタン縫い止め糸に掛ける操作であるので、前開きの案内されて素早く簡単にボタン縫い止め糸への掛け外しが行えるという効果を得ることができる。
携帯品の振れ止め保持具ボタン縫い止め糸への掛けおよび外し操作が簡単えるとともに、携帯品の着脱操作も簡単素早く行えるという効果をえることができる。
特に、前部材と後部材の両方にボタン縫い止め糸掛り部を設けてなる形態は、横に回し裏返すことにより、左右向き変えての使用が可能となり、前開き形態が逆の男女の前開き衣類のいずれでも使用できる男女兼用を実現するという効果を得ることができる。
また、前部材と後部材で前立てを挟持する形態して、該挟持摩擦による横振れし難くできるという効果を得ることができる。
＜本願発明者が発明したところの第９の発明の効果＞
本願発明者が発明したところの第１の発明の構成において、保持体本体の上部および下部あるいはいずれか一方に前開き衣類の前開き合わせボタンを指で摘み布地も少し引き入れ通して容易に該ボタンを前立てのボタン止め穴に入れる大きさ開口からなるボタン引き出し開口を設け、このボタン引出し開口に内あるいは連絡してボタン部位掛部が形成され、保持部が前開き衣類に装着した状態において、前立て前あるいは前立て横に露出するようにしてなる携帯品の振れ止め保持具を構成しているので、
携帯品の振れ止め保持具がボタン縫い止め糸が切れたりボタンがボタン穴から外れない限り、激しく振れても外れないという効果を得ることができる。
＜本願発明者が発明したところの第１０の発明の効果＞
本願発明者が発明したところの第７〜９いずれか記載の発明の構成において、保持体本体に前立てを挟持するクリップを設けてなる携帯品の振れ止め保持具を構成しているので、
横振れせず外れ難い安定性のある携帯品の振れ止め保持具を実現するという効果を得ることができる。
＜本願発明者が発明したところの第１１の発明の効果＞
本願発明者が発明したところの第７の発明の構成において、着脱保持手段が保持側面ファスナである携帯品の振れ止め保持具を構成しているので、
携帯側面ファスナを設けた携帯品を素早く確実に保持し且つ素早く外して操作することができるという効果を得ることができる。
＜本願発明者が発明したところの第１２の発明の効果＞
本願発明者が発明したところの第１〜１１いずれかの発明の構成において、保持体本体に保持部である保持板を該保持体本体の全部あるいは一部を覆うように一方の側部を連結して設け、前記保持体本体と前記保持板の間に前立てが入る前立て等内側差込部を形成し、前記保持板の表側に保持側面ファスナ、磁石、磁着材、フック、フック掛け、ケース、保持枠、保持爪などの携帯品を着脱自在に保持する着脱保持手段を設けてなる携帯品振れ止め保持具を構成しているので、
保持部位の広さや形状を多様な形態にできるという効果を得ることができる。
例えば、保持体と保持部で前立てを摩擦挟持する構成とすることができ、横振れが起き難い安定性のある携帯を可能とするという効果を得ることができる。
＜本願発明者が発明したところの第１３の発明の効果＞
ワイシャツなどのボタン合わせの前開き衣類の前立ての前部あるいは横に携帯電話等の携帯品を保持する保持部を具備する保持体本体と、この保持体本体に設けられた前立ての内側に差し込まれる前立て等内側差込部と、この前立て等内側差込部と前記保持部の間に形成された前立てを避け通すための前立て等入り部と、前記保持部に設けた保持側面ファスナ、磁石、磁着材、フック、フック掛け、ケース、保持枠、保持爪などの携帯品を着脱自在に保持するための着脱保持手段と、前記保持体本体に設けられた前立てを挟持するためのクリップとからなり、前記クリップの前立ての挟持が、２００グラム位の重さの携帯品を保持した状態で、通常の動作による振れでは容易には下降したり外れたりすることがない強い挟持力や挟持状態ロック式や滑り止め付きなどのものである携帯品の振れ止め保持具を構成しているので、
前たてに強い挟持力のクリップにより保持体本体を固定し且つ前立て等内側差込部を前立ての内側に差し込むので、ボタン縫い止め糸を擦り消耗させることがない、クリップと保持部と前立て等内側差込部の内と外からの抑えにより振れの小さい安定した携帯品の保持を実現するという効果をえることができる。
携帯品はネックストラップや前立てを強く挟持するクリップ付の短めのストラップに繋いで携帯品の振れ止め保持具に保持するように使用し、これにより素早く外しての着信通話、素早い外して腕を延ばしての操作など特に携帯電話の素早い操作を落下の心配なしに行える。
また、携帯品が着衣により振れないように保持されているので、家事仕事、釣り、軽い運動などでも邪魔にならない携帯を実現する。
また、クリップの強い挟持力により、胸ポケットの内側に前立て等内側差込部を刺し込み保持部を外側に出してクリップでポケットの縁端を挟持することにより、ポケットの歪みなしに携帯品をポケットの外側に係止することができ、同じようにズボン縁やベルトに取り付けて腰に携帯品を係止することができる。
＜本願発明者が発明したところの第１４の発明の効果＞
本願発明者が発明したところの第１３の発明の構成において、保持部の上部側に上前立て等内側差込部および上前立て等入り部を設け、該保持部の下部側に下前立て等内側差込部および下前立て等入り部を設けてなる携帯品振れ止め保持具を構成しているので、
半回転させても対称となる形態を形成するので、前立ての向きの逆な前開き着衣の男女兼用を実現するとともに、上下の前立て刺し込み部により内側から抑え且つ前立ての縁も上下で抑えるので、より安定した保持を実現する。
＜本願発明者が発明したところの第１５の発明の効果＞
本願発明者が発明したところの第１３、１４いずれかの発明の構成において、前立て等内側差込部に前記前立て等入り部に連絡する該前立て等入り部に通されたボタン縫い止め糸が嵌るボタン縫い止め糸嵌り部を設けてなる携帯品振れ止め保持具を構成しているので、
ボタン縫い止め糸をボタン縫い止め糸嵌り部に嵌めることにより、横の動きをボタン縫い止め糸で止めてより安定した携帯を実現するとともに、保持体本体はクリップにより下降できない状態に強く固定されているので、ボタン縫い止め糸に大きな負荷や擦れが掛るということがない。
＜本願発明者が発明したところの第１６の発明の効果＞
本願発明者が発明したところの第１３、１４いずれかの発明の構成において、前立て等内側差込部の外側にボタン縫い止め糸の嵌るボタン縫い止め糸嵌り部を設けてなる携帯品振れ止め保持具を構成しているので、
このような構成としても前記本願発明者が発明したところの第１５の発明と同様な効果を得ることができる。
（１）文献（実用新案登録第３０８８１５０号  多目的機能を備えた携帯電話のバッテリーカバー）
携帯電話のバッテリーカバーに携帯電話側面ファスナを設け、この携帯電話側面ファスナに相対する衣類側面ファスナを衣類の表面に予め張り付けセットしておき、携帯電話本体に予め伸縮可能なチェーン等を連結して該チェーン等を衣類に接続して、携帯電話を面ファスナを介して衣類に着脱可能に保持することにより、携帯電話の脱落・落下を防止しながら携帯電話の取り扱い性を損なわない技術が開示されている。
（２）文献（特開平１１−６８９０８  携帯品用クリップ）
携帯電話の背部に接着テープにて固定するか携帯電話の背部部材に一体的に形成してなる、携帯電話を下ろし操作して衣類のボタンを挿着する下部開口形態の係止用孔部７を有してなるとともに、携帯電話よりも幅および長さの小さい携帯品用クリップが開示されている。
（１）文献1
文献1の技術は衣類に面ファスナを縫い付けるなどして設けなれがならないという欠点を有するものであった。
（２）文献２
文献２のクリップは、衣類のボタンに挿着するのであるが、挿着操作が面倒であること、ボタンから抜き取る場合はボタンと衣類が引っ張られるなど、使用し難いという欠点を有するものであった。
本発明は以上のような従来技術の欠点に鑑み、前開き衣類側に携帯のための手段を設けることなく、前開き衣類上に携帯品を振れないようにし且つ該携帯品を着脱自在に保持するとともに携帯品の着脱操作が簡単に行える携帯品振れ止め保持具を提供することを目的としている。
【産業上の利用可能性】
【０１２８】
本発明は携帯電話などの携帯を便利にするためのグッズを製造する産業で利用される。
【図面の簡単な説明】
【０１２９】
【図１】本発明を実施するための最良の第1の実施の形態を示す着衣の前立て部位への装着状態図、使用状態図および正面図。
【図２】本発明を実施するための最良の第２の実施の形態を示す着衣の前立て部位への装着状態図および使用状態図。
【図３】本発明を実施するための最良の第３の実施の形態を示す使用状態図。
【図４】本発明を実施するための最良の第４の実施の形態を示す使用状態図。
【図５】本発明を実施するための最良の第５の実施の形態を示す正面図および使用状態図。
【図６】本発明を実施するための最良の第６の実施の形態を示す正面図および使用状態図。
【図７】本発明を実施するための最良の第７の実施の形態を示す使用状態図。
【図８】本発明を実施するための最良の第８の実施の形態を示す正面図および着衣の前立て部位への装着状態図。
【図９】本発明を実施するための最良の第９の実施の形態を示す着衣の前立て部位への装着状態図、正面図および使用状態図。
【図１０】本発明を実施するための最良の第１０の実施の形態を示す着衣の前立て部位への装着状態図および使用状態図。
【図１１】本発明を実施するための最良の第１１の実施の形態を示す着衣の前立て部位への装着状態図および使用状態図。
【図１２】本発明を実施するための最良の第１２の実施の形態を示す着衣の前立て部位への装着状態図および使用状態図。
【図１３】本発明を実施するための最良の第１３の実施の形態を示す着衣への多様な総チャック状態図。
【図１４】本発明を実施するための最良の第１４の実施の形態を示す使用状態図。
【図１５】本発明を実施するための最良の第１５の実施の形態を示す使用状態図。
【図１６】本発明を実施するための最良の第１６の実施の形態を示す使用状態図。
【図１７】本発明を実施するための最良の第１７の実施の形態を示す使用状態図。
【図１８】本発明を実施するための最良の第１８の実施の形態を示す使用状態図。
【図１９】本発明を実施するための最良の第１９の実施の形態を示す使用状態図。
【図２０】本発明を実施するための最良の第２０の実施の形態を示す使用状態図。
【図２１】本発明を実施するための最良の第２１の実施の形態を示す着衣の前立て部位への装着状態図、使用状態図、正面図および平面図。
【図２２】本発明を実施するための最良の第２２の実施の形態を示す正面図、着衣の前立て部位への装着状態図および使用状態図。
【図２３】本発明を実施するための最良の第２３の実施の形態を示す平面図、正面図および着衣の前立て部位への装着状態図。
【図２４】本発明を実施するための最良の第２４の実施の形態を示す平面図、正面図および使用状態図。
【図２５】本発明を実施するための最良の第２５の実施の形態を示す平面図、正面図および使用状態図。
【図２６】本発明を実施するための最良の第２６の実施の形態を示す正面図。
【図２７】本発明を実施するための最良の第２７の実施の形態を示す平面図、正面図および着衣の前立て部位への装着状態図。
【図２８】本発明を実施するための最良の第２８の実施の形態を示す（ａ）正面図、（ｂ）平面図、（ｃ）背面図、（ｄ）右側面図、（ｅ）着衣の前立て部位への装着状態図、（ｆ）着衣の前立て部位への装着状態状態拡大底面図。
【図２９】本発明を実施するための最良の第２９の実施の形態を示す正面図および側面図。
【図３０】本発明を実施するための最良の第３０の実施の形態を示す使用状態図。
【図３１】本発明を実施するための最良の第３１の実施の形態を示す正面図および側面図。
【図３２】本発明を実施するための最良の第３２の実施の形態を示す使用状態図。
【図３３】本発明を実施するための最良の第３３の実施の形態を示す平面図、正面図および使用状態図。
【図３４】本発明を実施するための最良の第３４の実施の形態を示す正面図。
【図３５】本発明を実施するための最良の第３５の実施の形態を示す正面図、側面図および背面図。
【図３６】本発明を実施するための最良の第３６の実施の形態を示す背面図。
【図３７】本発明を実施するための最良の第３７の実施の形態を示す部品構成図および収納図。
【図３８】本発明を実施するための最良の第３８の実施の形態を示す正面図、背面図、側面図、底面図および取付け状態図。
【図３９】本発明を実施するための最良の第３９の実施の形態を示す正面図、底面図および側面図。
【図４０】本発明を実施するための最良の第４０の実施の形態を示す（ａ）正面図、（ｂ）背面図、（ｃ）底面図、（ｄ）平面図、（ｅ）左側面図、（ｆ）右側面図およびＡ−Ａ線切断拡大断面図。
【図４１】本発明を実施するための最良の第４０の実施の形態の使用状態図。
【図４２】本発明を実施するための最良の第４１の実施の形態を示す（ａ）正面図、（ｂ）背面図、（ｃ）底面図、（ｄ）平面図、（ｅ）左側面図および（ｆ）右側面図。
【図４３】本発明を実施するための最良の第４１の実施の形態の使用状態図。
【図４４】本発明を実施するための最良の第４２の実施の形態の正面図および使用状態図。
【図４５】本発明を実施するための最良の第４３の実施の形態の正面図、取り付け背面図および使用状態図。
【図４６】本発明を実施するための最良の第４４の実施の形態の正面図、取り付け背面図および使用状態図。
【図４７】本発明を実施するための最良の第４５の実施の形態の正面図、取り付け背面図および使用状態図。
【図４８】本発明を実施するための最良の第４６の実施の形態の着衣の前立て部位への装着状態図。
【図４９】本発明を実施するための最良の第４７の実施の形態の正面図。
【図５０】本発明を実施するための最良の第４８の実施の形態の正面図。
【図５１】本発明を実施するための最良の第４９の実施の形態の正面図、背面図および着衣の前立て部位への装着状態図。
【図５２】本発明を実施するための最良の第５０の実施の形態の正面図。
【図５３】本発明を実施するための最良の第５１の実施の形態の組立前正面図および組立正面図。
【図５４】本発明を実施するための最良の第５２の実施の形態の正面図、側面図および背面図。
【図５５】本発明を実施するための最良の第５３の実施の形態の正面図および着衣の前立て部位への装着状態図。
【図５６】本発明を実施するための最良の第５４の実施の形態のストラップを取り付けた状態の図および使用状態図。
【図５７】本発明を実施するための最良の第５４の実施の形態の他のストラップを取り付けた状態の図。
【図５８】本発明を実施するための最良の第５４の実施の形態の他のストラップと並べた図。
【図５９】図５９に示したものの使用例を示す図。
【図６０】本発明を実施するための最良の第５４の実施の形態の他のストラップを並べた図。
【図６１】図６１に示したものの使用例を示す図。
【図６２】本発明を実施するための最良の第５４の実施の形態の他のストラップを並べた図。
【図６３】図６３に示したものの使用例を示す図。
【図６４】本発明を実施するための最良の第５５の実施の形態の正面図および使用状態図。
【図６５】本発明を実施するための最良の第５６の実施の形態の使用状態図。
【図６６】本発明を実施するための最良の第５７の実施の形態の着衣の前立て部位への装着状態図。
【図６７】本発明を実施するための最良の第５８の実施の形態の正面図および使用状態図。
【図６８】本発明を実施するための最良の第５９の実施の形態の正面図および使用状態図。
【図６９】本発明を実施するための最良の第６０の実施の形態の正面図および使用状態図。
【図７０】本発明を実施するための最良の第６０の実施の形態の使用状態図。
【図７１】本発明を実施するための最良の第６１の実施の形態のカードを入れた状態の正面図および使用状態例図。
【図７２】本発明を実施するための最良の第６２の実施の形態の正面図。
【図７３】本発明を実施するための最良の第６３の実施の形態の正面図。
【図７４】本発明を実施するための最良の第６４の実施の形態の正面図、背面図、底面図および使用状態。
【図７５】本発明を実施するための最良の第６５の実施の形態を示す着脱手段が外れた状態の正面図。
【図７６】本発明を実施するための最良の第６６の実施の形態を示す着脱手段が外れた状態の平面図（雌パーツ側は省略）および正面図。
【図７７】本発明を実施するための最良の第６７の実施の形態を示す着衣の前立て部位への装着状態図。
【図７８】本発明を実施するための最良の第６８の実施の形態を示す正面図。
【図７９】本発明を実施するための最良の第６９の実施の形態を示す正面図および底面図。
【図８０】本発明を実施するための最良の第７０の実施の形態を示す正面図および底面図。
【図８１】本発明を実施するための最良の第７１の実施の形態を示す正面図、背面図および底面図。
【図８２】本発明を実施するための最良の第７２の実施の形態を示す正面図および底面図。
【図８３】本発明を実施するための最良の第７３の実施の形態を示す着衣の前立て部位への装着状態図。
【図８４】本発明を実施するための最良の第７４の実施の形態を示す着衣の前立て部位への装着状態図。
【図８５】本発明を実施するための最良の第７５の実施の形態を示す平面図および正面図。
【図８６】本発明を実施するための最良の第７６の実施の形態を示す正面図および使用状態図。
【図８７】本発明を実施するための最良の第７７の実施の形態を示す着衣の前立て部位への装着状態図。
【図８８】本発明を実施するための最良の第７８の実施の形態を示す正面図、底面図および着衣の前立て部位への装着状態図。
【図８９】本発明を実施するための最良の第７９の実施の形態を示す正面図および着衣の前立て部位への装着状態図。
【図９０】本発明を実施するための最良の第８０の実施の形態を示す正面図、背面図、平面図および着衣の前立て部位への装着状態図。
【図９１】本発明を実施するための最良の第８１の実施の形態を示す正面図、背面図、平面図および着衣の前立て部位への装着状態図。
【図９２】本発明を実施するための最良の第８２の実施の形態を示す正面図および使用状態左側面図。
【図９３】本発明を実施するための最良の第８３の実施の形態を示す正面図、背面図および着衣の前立て部位への装着状態図。
【図９４】本発明を実施するための最良の第８４の実施の形態を示す正面図、背面図、拡大底面図および着衣の前立て部位への装着状態図。
【図９５】本発明を実施するための最良の第８５の実施の形態を示す正面図および着衣の前立て部位への装着状態図。
【図９６】本発明を実施するための最良の第８６の実施の形態を示す正面図および着衣の前立て部位への装着状態図。
【図９７】本発明を実施するための最良の第８７の実施の形態を示す正面図。
【図９８】本発明を実施するための最良の第８８の実施の形態の正面図、使用状態図およびクリプの開き側面図および閉じ側面図。
【図９９】本発明を実施するための最良の第８９の実施の形態の背面図および使用状態図。
【図１００】本発明を実施するための最良の第９０の実施の形態の正面図および着衣の前開きへの装着状態図。
【図１０１】本発明を実施するための最良の第９１の実施の形態の使用状態図。
【図１０２】本発明を実施するための最良の第９２の実施の形態の使用状態図。
【図１０３】本発明を実施するための最良の第９３の実施の形態の正面図および底面図。
【図１０４】本発明を実施するための最良の第９３の実施の形態の使用状態例図。
【図１０５】本発明を実施するための最良の第９４の実施の形態の正面図。
【図１０６】本発明を実施するための最良の第９５の実施の形態の携帯品の側面図、ワイシャツの着衣の前立て部位に装着した状態側面図、携帯品振れ止め保持具の正面図および携帯品振れ止め保持具の底面図。
【図１０７】本発明を実施するための最良の第９５の実施の形態のネックストラップの携帯品を保持しない吊り垂らし状態の正面図および携帯品を移動係留体側に係着保持した状態図。
【図１０８】本発明を実施するための最良の第９６の実施の形態のネクタイ係止具の正面図、その背面図、その底面図、携帯品振れ止め保持具の正面図およびネクタイ係止具を携帯品振れ止め保持具に係着した正面図。
【図１０９】本発明を実施するための最良の第９６の実施の形態の使用状態側面図および使用状態全体正面図。
【図１１０】本発明を実施するための最良の第９７の実施の形態の正面図、底面図および使用状態を示す底面図。
【図１１１】本発明を実施するための最良の第９８の実施の形態の正面図および底面図。
【図１１２】本発明を実施するための最良の第９８の実施の形態の正面図、背面図、底面図、平面図、左側面図および右側面図で部分意匠登録願をするための図面であり、実践の部分が意匠を受けようとする部分意匠である。
【図１１３】本発明を実施するための最良の第９８の実施の形態の使用状態例を示す正面図。
【図１１４】本発明を実施するための最良の第９９の実施の形態の正面図（ａ）、他の形態を示す正面図（ｂ）、他の形態を示す正面図（ｃ）。
【図１１５】本発明を実施するための最良の第１００の実施の形態の正面図および底面図。
【図１１６】本発明を実施するための最良の第１０１の実施の形態の正面図、背面図および底面図。
【図１１７】本発明を実施するための最良の第１０１の実施の形態の使用状態例図。
【図１１８】本発明を実施するための最良の第１０２の実施の形態の少し開いた状態の斜視図、切断端面図および正面図。
【図１１９】本発明を実施するための最良の第１０２の実施の形態の他の形態（ａ）を示す正面図および他の形態（ｂ）を示す正面図。
【図１２０】本発明を実施するための最良の第１０２の実施の形態の使用状態例図。
【図１２１】本発明を実施するための最良の第１０３の実施の形態の正面図、背面図および底面図。
【図１２２】本発明を実施するための最良の第１０４の実施の形態の閉じ状態の側面図および開き状態の側面図。
【図１２３】本発明を実施するための最良の第１０５の実施の形態の閉じ状態の正面図および底面図。
【図１２４】本発明を実施するための最良の第１０６の実施の形態の閉じ状態の斜視図。
【図１２５】本発明を実施するための最良の第１０７の実施の形態の正面図および底面図。
【図１２６】本発明を実施するための最良の第１０８の実施の形態の正面図および底面図。
【図１２７】本発明を実施するための最良の第１０８の内立て部位取付体の正面図、底面図および着衣の前立て部位と着衣の内立て部位に取付状態底面図。
【図１２８】本発明を実施するための最良の第１０９の正面図、底面図、内立て部位取付体の正面図、内立て部位取付体の底面図および組合せ状態底面図。
【図１２９】本発明を実施するための最良の第１１０の正面図、裏側に内立て部位取付体を係着させた状態正面。
【図１３０】本発明を実施するための最良の第１１１の正面図、側面図、開いた状態の側面図及び使用状態例図。
【図１３１】本発明を実施するための最良の第１１２の正面図、背面図および底面図。
【図１３２】本発明を実施するための最良の第１１２の付勢閉じ状態の底面図および着衣への取り付け状態図。
【図１３３】本発明を実施するための最良の第１１３の正面図、背面図および底面図。
【図１３４】本発明を実施するための最良の第１１４の正面図、背面図および底面図。
【符号の説明】
【０１３０】
１：携帯品振れ止め保持具、
２：着衣、
３：保持体本体、
４：携帯品、
６、６ａ、６ｂ：保持側面ファスナ、
７：指で抑える部位、
８：指で抑える部位、
９：ボタン、
１０：ボタン縫い止め糸、
１１、１１ａ、１１ｂ：ボタン縫い止め糸入れ掛り部、
１５：前立て部位等内側差込部、
１６：保持部、
１７：ファスナマスク、
１９：着衣の前立て部位、
２０、２０ａ、２０ｂ：前立て部位等入り部、
２１：携帯側面ファスナ、
２２：ネックストラップ、
２３：松葉（携帯品繋ぎ細紐）、
２６：ケース側面ファスナ、
２７：ケース、
３０：脚部（前立て部位等内側差込部）、
３１：前立て部位等入り部、
３２：携帯品振れ止め保持具、
３４：フック、
３５：携帯品振れ止め保持具、
３６：ボタン部位支持部、
３７：ボタン通し部、
３８：携帯品振れ止め保持具、
３９：ボタン縫い止め糸案内口、
４０：糸案内部、
４１：ボタン縫い止め糸入れ掛り部、
４２：携帯品振れ止め保持具、
４３：クリップ、
４４：携帯品振れ止め保持具、
４８：携帯品振れ止め保持具、
４９：ボタン部位掛部材通し部、
５０：ベース、
５１：ピン、
５２：挟持ボタン、
５３：タイピン、
５５：携帯品振れ止め保持具、
５６：保持体本体、
５７：指で抑える部位、
６１：携帯品振れ止め保持具、
６３：クリップ、
６４：携帯品振れ止め保持具、
６６：安全ピン、
６７：ボタン部位乗り部、
６８：携帯品振れ止め保持具、
７１：携帯品振れ止め保持具、
７２：保持体本体、
７４：携帯品振れ止め保持具、
７５：保持体本体、
７６：凹部、
７７：磁石、
７８：磁石、
７９：挟持板、
８１：携帯品振れ止め保持具、
８２：保持体本体、
８３：胴廻し保持手段、
８４：調節手段、
８５：脱着手段、
８６：首掛けループ部、
８７：紐、
８８：携帯品振れ止め保持具、
８９：調節パーツ、
９０：携帯品保持部付衣服、
９１ａ〜９１ｉ：衣服側面ファスナ、
９２：携帯品振れ止め保持具、
９３：保持体本体、
９４：保持側表面ファスナ、
９５：保持側裏面ファスナ、
９７：衣服側面ファスナ、
９８：携帯品保持部付衣服、
９９ａ〜９９ｇ：携帯品振れ止め保持具、
１００：携帯品保持部付衣服、
１０１：保持体本体、
１０２：面ファスナ、
１０４ａ〜１０４ｇ：面ファスナ、
１０５：携帯品保持部付衣服、
１０６：クリップ、
１０７、１０７ａ、１０７ｂ、７０１ｃ：クリップ、
１０８：携帯品振れ止め保持具、
１０９：ストラップ、
１１０：指で抑える部位、
１１２：携帯品振れ止め保持具、
１１４：携帯品振れ止め保持具、
１１６：携帯品振れ止め保持具、
１１７：ボタン逃げ部、
１１９：ストラップ取付け部、
１２０：携帯品振れ止め保持具、
１２２：携帯品振れ止め保持具、
１２４：携帯品振れ止め保持具、
１２６：掛け部（前立て部位等内側差込部）、
１２７：前立て部位等入り部、
１２９：携帯品振れ止め保持具、
１３１：携帯品振れ止め保持具、
１３２：フック、
１３３：携帯品振れ止め保持具、
１３４：フック受け、
１３６：ケース、
１３７：携帯品振れ止め保持具、
１３９：底受け部、
１４０ａ、１４０ｂ：脇支持部品、
１４２ａ、１４２ｂ：脇支持部、
１４３：中空部位、
１４４：携帯品振れ止め保持具、
１４６：付勢部、
１４７：挟持部位、
１４８：携帯品振れ止め保持具、
１５０：携帯品振れ止め保持具、
１５２：掛け部、
１５３：携帯品振れ止め保持具、
１５４：ボタン入り隙間、
１５６：携帯品振れ止め保持具、
１５７：袋、
１５８：携帯品振れ止め保持具、
１５９：固定部、
１６０：接着部、
１６２：携帯品、
１６３：携帯品本体、
１６４：保持体本体、
１６５：バッテリーカバー、
１６６：ディスプレー蓋、
１６８：携帯品振れ止め保持具、
１６９：固定部、
１７１：携帯品、
１７２：保持体本体、
１７４：携帯品振れ止め保持具、
１７５ａ、１７５ｂ：保持部、
１７７：携帯品振れ止め保持具、
１８０：携帯品振れ止め保持具、
１８１：粘着剤、
１８２：携帯品振れ止め保持具、
１８４：保持体本体、
１８５：固定部、
１８６：携帯品振れ止め保持具、
１８８：取り付けバー、
１８９：バー取付け部、
１９０：携帯品振れ止め保持具、
１９３：携帯品振れ止め保持具、
１９４：ストラップ、
１９６：飛び出し表現部、
１９７：携帯品振れ止め保持具、
１９８：カード、
１９９、１９９ａ、１９９ｂ：カード収納部、
２００：携帯品振れ止め保持具、
２０１：透明カバー、
２０２、２０２ａ、２０２ｂ：カード指当て孔、
２０４：携帯品振れ止め保持具、
２０６：携帯品振れ止め保持具、
２０７：安全ピン、
２０８：ピン、
２０９ａ、２０９ｂ：ピン通し孔、
２１０：携帯品振れ止め保持具、
２１２：携帯品振れ止め保持具、
２１４：着衣の前立て部位挟持部、
２１５：携帯品振れ止め保持具、
２１９：紐部分、
２２０：通し穴、
２２２：トッパーリング、
２２４：ストラップ、
２２６：ループ、
２２７：ストラップ、
２２９：ベルト掛け部、
２３０：携帯品振れ止め保持具、
２３２：挟持穴、
２３３：携帯品振れ止め保持具、
２３５：ボタン部位囲い部、
２３６：携帯品振れ止め保持具、
２３７：内側部位、
２３９：挿入部、
２４０：携帯品振れ止め保持具、
２４２：携帯品振れ止め保持具、
２４４：携帯品振れ止め保持具、
２４５ａ、２４５ｂ：掛け部（前立て部位等内側差込部）、
２４６：保持部、
２４７ａ、２４７ｂ：前立て部位等入り部、
２４８ａ、２４８ｂ：ボタン縫い止め糸入れ掛り部、
２４９：連絡部、
２５０：調節手段、
２５１：ストラップ、
２５２：摘みパーツ、
２５４：カードケース、
２５５：携帯品振れ止め保持具、
２５７：突出部、
２５８：携帯品振れ止め保持具、
２５９：狭い通り部
３００：軸支部、
３０１ａ、３０１ｂ：掛かり脚部、
３０２：携帯品振れ止め保持具、
３０３：付勢手段、
３０４：携帯品振れ止め保持具、
３０５：クリップ、
３０６：ボタン部位掛り部、
３０７：クリップ開摘み部、
３０８：着脱手段、
３０９：雌側パーツ、
３１０：雄側パーツ、
３１１：携帯品振れ止め保持具、
３１３：クリップ取付部、
３１４：携帯品振れ止め保持具、
３１６：携帯品振れ止め保持具、
３１７、３１７ａ、３１７ｂ：ボタン引き出し開口、
３１８：ボタン縫い止め糸入れ掛り部、
３１９：ボタン縫い止め糸通し係止部、
３２０：抜け防止部、
３２１：保持部、
３２２：接合部、
３２３：露出部、
３２５ａ、３２５ｂ：前立て部位等入り部、
３２６：保持部、
３２７：携帯品振れ止め保持具、
３２９：保持板、
３３０：突起、
３３１：携帯品振れ止め保持具、
３３２ａ、３３２ｂ：ボタン縫い止め糸通し部、
３３３：携帯品振れ止め保持具、
３３５：保持板、
３３６：携帯品振れ止め保持具、
３３８：隙間、
３３９：保持板、
３４０：携帯品振れ止め保持具、
３４２：携帯品振れ止め保持具、
３４４ａ、３４４ｂ：ボタン引き出し開口、
３４５：携帯品振れ止め保持具、
３４７ａ、３４７ｂ：内着衣の前立て部位掛り部、
３４８：携帯品振れ止め保持具、
３５０：フック掛け部、
３５１：フック、
３５２ａ、３５２ｂ：フック止め部、
３５３：携帯品振り止め保持具、
３５５：内側辺連結部（前立て部位等内側差込部）、
３５６：携帯品振れ止め保持具、
３５８：携帯品振れ止め保持具、
３５９ａ、３５９ｂ：掛け部（前立て部位等内側差込部）、
３６０：前立て部位等入り部、
３６１ａ、３６１ｂ：ボタン縫い止め糸入れ掛り部、
３６２：連絡部、
３６３ａ、３６３ｂ：保持側面ファスナ、
３６４：前立て部位等内側差込部、
３６５：携帯品振れ止め保持具、
３６６ａ、３６６ｂ：内立て入り部、
３６７：保持板、
３６８：接合部、
３６９：携帯品振れ止め保持具、
３７０、３７０ａ、３７０ｂ：ボタン縫い止め糸通し部、
３７１：保持板、
３７２：携帯品の振れ止め保持具、
３７４：保持体本体、
３７５ａ、３７５ｂ：フック掛け部、
３７６：携帯品振れ止め保持具、
３８０：保持板（保持部）、
３８１：携帯品振れ止め保持具、
３８３：保持板、
３８４ａ、３８４ｂ：ボタン係り部、
３８５：携帯品振れ止め保持具、
３８７：携帯品振れ止め保持具、
３８８ａ、３８８ｂ：ボタン縫い止め糸入れ掛り部、
３８９ａ、３８９ｂ：外周部、
３９０：ボタン縫い止め糸通し部、
３９１：保持部、
３９３：携帯品振れ止め保持具、
３９４：保持部、
３９５：前開き入り部、
４００：携帯品振れ止め保持具、
４０１：保持部、
４０２：保持体本体、
４０３ａ、４０３ｂ：前立て部位等内側差込部、
４０４ａ、４０４ｂ：前立て部位等入り部、
４０５：保持側面ファスナ、
４０６ａ、４０６ｂ：ボタン縫い止め糸嵌り部、
４０７、４０７ａ：クリップ、
４０８：ベース部、
４０９：軸受け板、
４１０：ハンドル軸受部、
４１１：挟持爪軸受け部、
４１２：挟持爪、
４１３：ハンドル、
４１５：紐通し穴、
４１６：ハーフストラップ、
４１９ａ、４１９ｂ：ボタン縫い止め糸嵌り部、
４２０：ロングストラップ、
４２１：携帯品振れ止め保持具、
４２５：携帯品振れ止め保持具、
４２６：保持体本体、
４２７：打抜部、
４２８：前立て部位等内側差込部、
４２９：携帯品保持部、
４３０：クリップ、
４３１ａ：ボタン縫い止め糸上当り部、
４３１ｂ：ボタン縫い止め糸上当り部、
４３４：携帯品振れ止め保持具、
４３５：保持体本体、
４３６：クリップ、
４３７：吊り紐
４３８：クリップ、
４３９：移動リング、
４４０：ハーフストラップ、
４４４：吊り紐、
４４５：携帯品振れ止め保持具、
４５０：携帯品振れ止め保持具、
４５１：保持体本体、
４５２ａ、４５２ｂ：前立て部位等内側差込部、
４５３ａ、４５３ｂ：前立て部位等入り部、
４５４：ネクタイ入り支持部、
４５５：携帯品保持部、
４５６：フック面ファスナ、
４５７：クリップ、
４５９：ネクタイ、
４６０：携帯品の携帯補助具、
４６２ａ、４６２ｂ：クリップ挟持部、
４６３ａ、４６３ｂ：ボタン縫い止め糸嵌り部、
４６４：携帯品振れ止め保持具、
４６５：吊クリップ、
４６６：着脱パーツ、
４６７：吊紐、
４６８：ハーフストラップ、
４７０：携帯品振れ止め保持具、
４７１：連絡部、
４７２ａ、４７２ｂ：前立て部位等内側差込部、
４７３：フック受け部、
４７４：ループ面ファスナ、
４７５：フック、
４７６：ネックストラップ、
４７７：ストラップ本体、
４７８：ループ、
４７９：移動係留体、
４８０：保持部、
４８１：フック面ファスナ、
４８２：着脱パーツ、
４８３：保持部、
４８５：ネクタイ係止具、
４８６：前部板、
４８７：後部板、
４８８：ネクタイ通し支持部、
４８９：ループ面ファスナ、
４９１：携帯品振れ止め保持具、
４９２：前部板、
４９３：後部板、
４９４：ネクタイ通し支持部、
４９７：携帯品振れ止め保持具、
４９８：保持体本体、
４９９：連絡部、
５００：保持部、
５０１、５０１ａ、５０１ｂ：前立て部位等内側差込部、
５０２、５０２ａ、５０２ｂ：前立て部位等入り部、
５０４：フック面ファスナ、
５０５：クリップ、
５０７：携帯品振れ止め保持具、
５０８：携帯品振れ止め保持具、
５０９：携帯品振れ止め保持具、
５１０：先端立下り部、
５１１：先端連絡部、
５１３：着衣の前立て部位等入り隙間、
５１４：差込部位連絡部、
５１５：滑り止め部材、
５１６：滑り止め部材、
５１７：携帯品振れ止め保持具、
５１９：クリップ、
５２０：装飾体、
５２１：携帯品振れ止め保持具、
５２４：携帯品振れ止め保持具、
５２５：保持体本体、
５２６：上嘴部（前挟持体）、
５２７：下嘴部（後挟持体）、
５２８：平板部、
５２９：携帯品振れ止め保持具、
５３０：携帯品振れ止め保持具、
５３１：連結部、
６４１：携帯品振れ止め保持具、
６４８：保持体本体、
６４９ａ、６４９ｂ：掛け部（前立て部位等内側差込部）、
６５０：保持部、
６５１ａ、６５１ｂ：前立て部位等入り部、
６５２ａ、６５２ｂ：ボタン縫い止め糸入れ掛り部、
６５３：連絡部、
６５５：湾曲部、
６５６：クリップ、
６５７：携帯品振れ止め保持具、
６５８：湾曲部、
６５９：携帯品振れ止め保持具、
６６２：携帯品の振れ止め保持具、
６６３：挟持部位、
６６４：表挟持板、
６６５：フック面ファスナ、
６６６：連結部、
６６７：スプリング、
６６８：内挟持板、
６６９：湾曲部、
６７０：抜き部、
６７２：湾曲部、
６７３：携帯品の振れ止め保持具、
６７４：保持部、
６７５：フック面ファスナ、
６７６：フック面ファスナ、
６７７：携帯品の振れ止め保持具、
６８０：クリップ、
６８１：ループ面ファスナ、
６８２：携帯品の振れ止め保持具、
６８３：フック面ファスナ、
６８４：クリップ、
６８５：内側挟持板、
６８６：外側挟持坂、
６９０、６９０ａ、６９０ｂ：ループ面ファスナ、
６９１：携帯品の振れ止め保持具、
６９４：携帯品の振れ止め保持具、
６９６：携帯品の振れ止め保持具、
６９７ａ、６９７ｂ：挟持アーム、
６９８：クリップ本体、
６９９：挟持部、
７００：挟持部、
７０１：フック面ファスナ、
７０２：摩擦部、
７０５：携帯品の振れ止め保持具、
７０６：折り曲げ部、
７０７：一方の挟持部、
７０８：他方の挟持部、
７０９：保持具本体、
７１０：可動ベース、
７１１：フック面ファスナ７、
７１２：開口部、
７１３：折り曲げ部、
７１５：携帯品の振れ止め保持具、
７１６：折り曲げ部、
７１７：一方の挟持部、
７１８：他方の挟持部、
７１９ａ〜７１９ｅ：湾曲箇所、
７２０：保持具本体、
７２１：固定ベース、
７２４：クリップ、
７２５：携帯品の振れ止め保持具。
【図２】
2007160072.tif 000003
【図５】
2007160072.tif 000004
【図８】
2007160072.tif 000005
【図２１】
2007160072.tif 000006
【図２２】
2007160072.tif 000007
【図２５】
2007160072.tif 000008
【図２６】
2007160072.tif 000009
【図２８】
2007160072.tif 000010
【図３４】
2007160072.tif 000011
【図４７】
2007160072.tif 000012
【図９５】
2007160072.tif 000013
【図１０３】
2007160072.tif 000014
【図１０４】
2007160072.tif 000015
【図１０５】
2007160072.tif 000016
【図１０６】
2007160072.tif 000017
【図１０７】
2007160072.tif 000018
【図１０８】
2007160072.tif 000019
【図１０９】
2007160072.tif 000020
【図１１０】
2007160072.tif 000021
【図１１１】
2007160072.tif 000022
【図１１２】
2007160072.tif 000023
【図１１３】
2007160072.tif 000024
【図１１４】
2007160072.tif 000025
【図１１５】
2007160072.tif 000026
【図１１６】
2007160072.tif 000027
【図１１７】
2007160072.tif 000028
【図１１８】
2007160072.tif 000029
【図１１９】
2007160072.tif 000030
【図１２０】
2007160072.tif 000031
【図１２１】
2007160072.tif 000032
【図１２２】
2007160072.tif 000033
【図１２３】
2007160072.tif 000034
【図１２４】
2007160072.tif 000035
【図１２５】
2007160072.tif 000036
【図１２６】
2007160072.tif 000037
【図１２７】
2007160072.tif 000038
【図１２８】
2007160072.tif 000039
【図１２９】
2007160072.tif 000040
【図１３０】
2007160072.tif 000041
【図１３１】
2007160072.tif 000042
【図１３２】
2007160072.tif 000043
【図１３３】
2007160072.tif 000044
【図１３４】
2007160072.tif 000045
【図１】
2007160072.tif 000046
【図３】
2007160072.tif 000047
【図４】
2007160072.tif 000048
【図６】
2007160072.tif 000049
【図７】
2007160072.tif 000050
【図９】
2007160072.tif 000051
【図１０】
2007160072.tif 000052
【図１１】
2007160072.tif 000053
【図１２】
2007160072.tif 000054
【図１３】
2007160072.tif 000055
【図１４】
2007160072.tif 000056
【図１５】
2007160072.tif 000057
【図１６】
2007160072.tif 000058
【図１７】
2007160072.tif 000059
【図１８】
2007160072.tif 000060
【図１９】
2007160072.tif 000061
【図２０】
2007160072.tif 000062
【図２３】
2007160072.tif 000063
【図２４】
2007160072.tif 000064
【図２７】
2007160072.tif 000065
【図２９】
2007160072.tif 000066
【図３０】
2007160072.tif 000067
【図３１】
2007160072.tif 000068
【図３２】
2007160072.tif 000069
【図３３】
2007160072.tif 000070
【図３５】
2007160072.tif 000071
【図３６】
2007160072.tif 000072
【図３７】
2007160072.tif 000073
【図３８】
2007160072.tif 000074
【図３９】
2007160072.tif 000075
【図４０】
2007160072.tif 000076
【図４１】
2007160072.tif 000077
【図４２】
2007160072.tif 000078
【図４３】
2007160072.tif 000079
【図４４】
2007160072.tif 000080
【図４５】
2007160072.tif 000081
【図４６】
2007160072.tif 000082
【図４８】
2007160072.tif 000083
【図４９】
2007160072.tif 000084
【図５０】
2007160072.tif 000085
【図５１】
2007160072.tif 000086
【図５２】
2007160072.tif 000087
【図５３】
2007160072.tif 000088
【図５４】
2007160072.tif 000089
【図５５】
2007160072.tif 000090
【図５６】
2007160072.tif 000091
【図５７】
2007160072.tif 000092
【図５８】
2007160072.tif 000093
【図５９】
2007160072.tif 000094
【図６０】
2007160072.tif 000095
【図６１】
2007160072.tif 000096
【図６２】
2007160072.tif 000097
【図６３】
2007160072.tif 000098
【図６４】
2007160072.tif 000099
【図６５】
2007160072.tif 000100
【図６６】
2007160072.tif 000101
【図６７】
2007160072.tif 000102
【図６８】
2007160072.tif 000103
【図６９】
2007160072.tif 000104
【図７０】
2007160072.tif 000105
【図７１】
2007160072.tif 000106
【図７２】
2007160072.tif 000107
【図７３】
2007160072.tif 000108
【図７４】
2007160072.tif 000109
【図７５】
2007160072.tif 000110
【図７６】
2007160072.tif 000111
【図７７】
2007160072.tif 000112
【図７８】
2007160072.tif 000113
【図７９】
2007160072.tif 000114
【図８０】
2007160072.tif 000115
【図８１】
2007160072.tif 000116
【図８２】
2007160072.tif 000117
【図８３】
2007160072.tif 000118
【図８４】
2007160072.tif 000119
【図８５】
2007160072.tif 000120
【図８６】
2007160072.tif 000121
【図８７】
2007160072.tif 000122
【図８８】
2007160072.tif 000123
【図８９】
2007160072.tif 000124
【図９０】
2007160072.tif 000125
【図９１】
2007160072.tif 000126
【図９２】
2007160072.tif 000127
【図９３】
2007160072.tif 000128
【図９４】
2007160072.tif 000129
【図９６】
2007160072.tif 000130
【図９７】
2007160072.tif 000131
【図９８】
2007160072.tif 000132
【図９９】
2007160072.tif 000133
【図１００】
2007160072.tif 000134
【図１０１】
2007160072.tif 000135
【図１０２】
2007160072.tif 000136